(57)【特許請求の範囲】
【請求項１】
遊技機において、
遊技機の前面側に回転自在に装備された役物としての回転リングと、
この回転リングを回転駆動可能な回転リング駆動手段と、
この回転リングの内側に配設されてこの回転リングに支持された複数の可動役物手段と、
前記回転リング駆動手段と異なる駆動手段であって、前記回転リングに装備されて複数の前記可動役物手段を同期駆動可能な共通の１つの駆動手段とを備えたことを特徴とする遊技機。
【発明の詳細な説明】
【技術分野】
【０００１】
本発明は、遊技機（パチンコ遊技機や回転リール式遊技機）に関し、特に回転リングに複数の可動役物手段とこれら可動役物手段を駆動可能な共通の１つの駆動手段を設けたものに関する。
【背景技術】
【０００２】
パチンコ遊技機では、遊技盤の中央部のセンタ役物はその中央領域に画像表示器が設けられ、この画像表示器の前面近傍の外周部のうちの上部、左右の側部、下部等に種々の可動役物装置が装備され、大当り予告やリーチ予告や外れ予告等の遊技演出に面白みや躍動感を付与する。
【０００３】
可動役物装置の躍動感や演出効果を高めるため、画像表示器の外周側を囲うように回転リングを設け、その回転リングに複数の可動役物を設け、所定の演出条件が成立した場合に、複数の可動役物は回転リングの内側空間部に且つ画像表示器の画面の前側に進出した作動位置に移動して発光状態の「☆」形枠を形成し、その「☆」形枠を維持したまま、回転リングと一体的に回転するように構成した回転役物装置も実機に採用されている。
【０００４】
特許文献１に記載の遊技機の役物装置では、画像表示器の前面側の上部において、左右に開閉可能なタイトルギミックを構成する１対の可動役物が設けられ、これら可動役物は平面視円弧形に形成されて１対のアーム状の可動役物支持部材に支持され、可動役物駆動機構により１対の可動役物支持部材を開閉させ、水平面内で円弧軌跡を描くように１対の可動役物を画面の前面側に移動させたタイトル表示状態（進出位置）と、画面の前面の左右側方へ退避した退避位置とに切換え可能に構成してある。このように、可動役物を画面の前側に進出させた進出位置と、この進出位置から側方へ退避させた退避位置に切換える技術は公知である。
【先行技術文献】
【特許文献】
【０００５】
【特許文献１】特開２０１０−１４８６４８号公報
【発明の概要】
【発明が解決しようとする課題】
【０００６】
役物としての回転リングに複数の可動役物手段を設ける場合に、それら可動役物手段を個別に駆動する複数の駆動手段を設けると、駆動手段の数が多くなり、構成が複雑化し製作費も高価になる。
【０００７】
可動役物手段が回転役物である場合に、それら複数の回転役物の原点位置を夫々検出する原点検出手段を設けると、構成が複雑化し製作費も高価になる。
前記回転リングを回転自在に支持する複数のガイドローラを設けると共に、回転リングの原点位置を検出する回転リング原点検出手段を設ける場合に、回転リング原点検出手段の作動確実性を確保できるようにガイドローラを配置することが望ましい。
【課題を解決するための手段】
【０００８】
第１発明の遊技機は、遊技機(1) において、遊技機(1) の前面側に回転自在に装備された役物としての回転リング(110) と、この回転リング(110) を回転駆動可能な回転リング駆動手段(120) と、この回転リング(110) の内側に配設されてこの回転リング(110) に支持された複数の可動役物手段(130，150)と、前記回転リング駆動手段(120) と異なる駆動手段であって、前記回転リング(110) に装備されて複数の前記可動役物手段(130，150)を同期駆動可能な共通の１つの駆動手段(140,160) とを備えたことを特徴としている。
【０００９】
尚、第１発明において、前記可動役物手段(130，150)が回転役物(150) であり、前記回転役物(150) が回転駆動される際に回転役物(150) と同期回転すると共に回転役物(150) の軸心から離隔した軸心を有する回転部材(175a)と、この回転部材(175a)に形成した被検出部(175b)を設け、前記回転部材(175a)の被検出部(175b)を介して前記回転役物(150) の原点位置を検出可能な原点検出手段(174) を前記回転リング(110) に設けてもよい。
【００１０】
また、第１発明において、前記回転リング(110) の原点位置を検出可能な回転リング原点検出手段(173) と、前記回転リング(110) を回転自在に保持する複数のガイドローラ(102〜105)とを備え、前記複数のガイドローラ(102〜105)のうちの１つを回転リング原点検出手段(173) の近傍部位に配置してもよい。
【発明の効果】
【００１１】
第１発明によれば、回転リングに複数の可動役物手段を設け、これら複数の可動役物手段を同期駆動する共通の１つの駆動手段を回転リングに設けるため、駆動手段の数が少なく、構成も簡単で製作費の面でも有利である。
【図面の簡単な説明】
【００１４】
【図１】本発明の実施例に係るパチンコ遊技機の斜視図である。
【図２】遊技盤の正面図である。
【図３】遊技盤の上可動役物装置と下可動役物装置の作動時の正面図である。
【図４】遊技盤の可動表示役物装置の作動時の正面図である。
【図５】遊技盤の回転役物装置の作動時の正面図である。
【図６】第２大入賞口装置の要部断面図である。
【図７】パチンコ遊技機の制御系のブロック図である。
【図８】第１，第２，第３可動役物が初期位置のときの正面図である。
【図９】第３可動役物が作動位置のときの正面図である。
【図１０】第３可動役物が作動位置、第１，第２可動役物が下降移動したときの正面図である。
【図１１】第１〜第３可動役物が進出位置のときの正面図である。
【図１２】第１〜第３可動役物が進出位置のときの前方下側からの斜視図である。
【図１３】第１可動役物の背面図である。
【図１４】第１，第２可動役物の後方からの斜視図である。
【図１５】第３可動役物の正面図である。
【図１６】第３可動役物が作動位置のときの後方下側からの拡大斜視図である。
【図１７】待機位置にある可動表示役物装置（第１，第２，第３可動表示役物が第１の表示位置）の正面図である。
【図１８】待機位置にある可動表示役物装置（カバーを取り除いた状態）の斜視図である。
【図１９】待機位置にある可動表示役物装置の背面図である。
【図２０】作動位置にある可動表示役物装置（第１，第２，第３可動表示役物が第２の表示位置）の正面図である。
【図２１】作動位置にある可動表示役物装置（カバーを取り除いた状態）の斜視図である。
【図２２】作動位置にある可動表示役物装置（役物ベースを取り除いた状態）の背面図である。
【図２３】可動表示役物装置（第１，第２，第３可動表示役物が第３の表示位置）の拡大正面図である。
【図２４】図２３のＸＸＩＶ−ＸＸＩＶ線断面図である。
【図２５】（１）可動表示役物装置（第１，第２，第３可動表示役物が第３の表示位置）の斜視図である。（２）可動表示役物の分解斜視図である。
【図２６】可動表示役物装置のＬＥＤ基板とベース部材を含む（可動表示役物を取り除いた状態）正面図である。
【図２７】基盤部材に装着された回転役物装置( 回転役物：展開状態) の前側から視た斜視図である。
【図２８】前記回転役物装置( 回転役物：展開状態) から前面カバーを取り外した状態の正面図である。
【図２９】前記回転役物装置( 回転役物：展開状態) の背面図である。
【図３０】前記回転役物装置( 回転役物：収納状態) の前側から視た斜視図である。
【図３１】前記回転役物装置( 回転役物：収納状態) の正面図である。
【図３２】前記回転役物装置( 回転役物：収納状態) の背面図である。
【図３３】前記回転役物装置( 回転役物：展開状態) の背面図である。
【図３４】回転リングと回転リング駆動機構の要部斜視図である。
【図３５】回転役物が展開状態のときの可動役物と回転役物と揺動駆動機構の正面図である。
【図３６】揺動駆動機構の要部斜視図である。
【図３７】図３５のXXXVII-XXXVII 線断面図である。
【図３８】回転役物が収納状態のときの可動役物と回転役物と揺動駆動機構等の正面図である。
【図３９】回転役物が収納状態のときの可動役物と回転役物と揺動駆動機構等の背面図である。
【図４０】第１群の回転役物の分解斜視図である。
【図４１】第１群の回転役物( 展開状態) の背面側を示す斜視図である。
【図４２】第１群の回転役物( 収納状態) の背面側を示す斜視図である。
【図４３】第２群の回転役物( 展開状態) の前面側を示す斜視図である。
【図４４】回転役物駆動機構の要部の背面側を示す斜視図である。
【図４５】接触子ユニットの斜視図である。
【図４６】下側のガイドローラとその近傍部の断面図である。
【図４７】上側のガイドローラとその近傍部の断面図である。
【図４８】原点検出センサとその近傍のガイドローラ等の斜視図である。
【図４９】原点検出センサとその近傍のガイドローラ等の正面図である。
【図５０】可動役物の揺動限界位置検出手段を示す斜視図である。
【図５１】回転役物の原点位置を検出する原点位置検出手段を示す正面図である。
【図５２】回転リングに設けたスリップリングとバンド部材と導入部と張力付加機構を示す斜視図である。
【図５３】回転リングとスリップリングと導入部の斜視図である。
【図５４】電動モータとその電動モータに装着したモータカバーの斜視図である。
【図５５】電動モータとモータカバーの分解斜視図である。
【図５６】パチンコ遊技機の機能ブロック図である。
【図５７】大当り判定テーブルを示す図表である。
【図５８】図柄判定テーブルを示す図表である。
【図５９】特別遊技におけるＲ遊技数と特定Ｒを示す図表である。
【図６０】特別遊技中の第２大入賞口及び特定領域の開放パターンを示すタイムチャートである。
【図６１】第２始動口作動モードを示す図表である。
【図６２】複数の遊技状態を示す図表である。
【図６３】特別遊技終了後の遊技状態を示す図表である。
【図６４】（１）が複数の図柄変動演出、（２）が複数の特別遊技演出、（３）が複数のエンディング演出を夫々示す図表である。
【図６５】画像表示装置に表示された図柄変動演出を示す図である。
【図６６】回転役物装置の複数の可動パターンを示す図表である。
【図６７】画像表示装置に表示された分岐演出と操作指示表示を示す図である。
【図６８】操作有効期間、分岐演出、可動役物装置の作動を示すタイムチャートである。
【図６９】画像表示装置での表示と待機位置の可動表示役物の正面図である。
【図７０】上昇する可動表示役物の正面図である。
【図７１】画像表示装置での表示と作動位置の可動表示役物の正面図である。
【図７２】操作有効期間、可動表示役物装置の作動、カットイン演出の実行を示すタイムチャートである。
【図７３】可動表示役物での表示とカットイン演出の態様を示す図表である。
【図７４】遊技盤と液晶ベースの前側から斜視図である。
【図７５】遊技盤と液晶ベースの後側から斜視図である。
【図７６】遊技盤と液晶ベースの後側から分解斜視図である。
【図７７】液晶ベースの正面図である。
【図７８】液晶ベースの前側からの斜視図である。
【図７９】液晶ベースの後側からの斜視図である。
【図８０】液晶ベースと板状部材の前側からの分解斜視図である。
【図８１】図７８のＡ- Ａ線断面図である。
【図８２】板状部材の正面図である。
【図８３】板状部材の前側からの斜視図である。
【図８４】板状部材の背面図である。
【図８５】板状部材の後側からの斜視図である。
【図８６】配線用凹部と不正防止部材の右側面図である。
【図８７】配線用凹部と不正防止部材の後側からの斜視図である。
【図８８】配線用凹部と一部を切欠いた不正防止部材の後側からの斜視図である。
【図８９】配線用凹部と不正防止部材の後側からの分解斜視図である。
【図９０】不正防止部材を示し、（１）が右側面図、（２）が左側面図、（３）が前側からの斜視図、（４）が後側からの斜視図、（５）が要部断面図である。
【図９１】配線用凹部と不正防止部材を示し、（１）が図８７のＢ- Ｂ線断面図、（２）が図８７のＣ- Ｃ線断面図である。
【図９２】遊技盤と入賞装置構造の前側からの斜視図である。
【図９３】遊技盤と入賞装置構造の背面図である。
【図９４】遊技盤と入賞装置構造（装飾パネルと遊技盤部材）の前側からの分解斜視図である。
【図９５】遊技盤と入賞装置構造（入賞装置本体）の後側からの分解斜視図である。
【図９６】入賞装置本体と装飾パネルの正面図である。
【図９７】入賞装置本体の前側からの分解斜視図である。
【図９８】入賞装置本体の前側からの斜視図である。
【図９９】入賞装置本体の後側からの斜視図である。
【図１００】装飾パネルと遊技盤部材の前側からの分解斜視図である。
【図１０１】遊技盤部材の後からの斜視図である。
【発明を実施するための形態】
【００１５】
以下、発明を実施するための形態について実施例に基づいて説明する。尚、以下の説明において、パチンコ遊技機１の前方（遊技者側）を前方とし、遊技者側から視て左右方向を左右方向として説明する。
【実施例】
【００１６】
図１〜図５に示すように、パチンコ遊技機１には、遊技ホールの島構造に取付けられる外枠（図示略）に開閉枠２（内枠２）が開閉自在に装着され、開閉枠２に開閉扉３が開閉自在に装着されている。開閉扉３に窓３ａが形成され、その窓３ａに透明板３ｂが装着されている。開閉枠２の左端部に開閉扉３の左端部が鉛直軸心回りに回動自在に支持され、開閉扉３の右端部には、開閉扉３を開閉枠２に施錠するキーシリンダ３ｃが装着されている。開閉枠２に遊技盤４が装着され、遊技盤４とその前側の透明板３ｂとの間に遊技球が流下可能な遊技領域４ａが形成され、この遊技領域４ａが開閉扉３により開閉される。
【００１７】
開閉扉３には、窓３ａの下側に遊技球を貯留する貯留皿５が設けられ、その貯留皿５に遊技者が操作可能な演出ボタンＳＷ６ａと十字キーＳＷ６ｂとエンターボタンＳＷ６ｃとを有する演出操作装置６（「ＳＷ」はスイッチを意味する）が装着され、貯留皿５の右下側に発射ハンドル７が装着されている。発射ハンドル７が回動操作されると、貯留皿５から発射位置に導入された遊技球が発射され、貯留皿５に複数の遊技球が貯留されている場合、複数の遊技球が約0.6 秒間隔で連続発射される。発射された遊技球はガイドレール８で案内され遊技領域４ａの上部に導入される。
【００１８】
図２〜図７に示すように、遊技領域４ａには、多数の障害釘（図示略）の他、第１始動口１０と、開閉式の第２始動口１１ａを有する第２始動口装置１１と、ゲート１２と、開閉式の第１大入賞口１３ａを有する第１大入賞口装置１３（第１可変入賞装置）と、開閉式の第２大入賞口１４ａ及び開閉式の特定領域１４ｆを有する第２大入賞口装置１４（第２可変入賞装置）と、複数の一般入賞口１５が、夫々遊技球が入賞（入球・通過）可能に図示の配置で設けられている。
【００１９】
第１始動口１０とゲート１２と複数の一般入賞口１５には、入賞した遊技球を検出する第１始動口ＳＷ１０ａとゲートＳＷ１２ａと複数の一般入賞口ＳＷ１５ａが夫々付設されている。
【００２０】
第２始動口装置１１は、第２始動口１１ａと、第２始動口１１ａを開閉する開閉部材１１ｂと、第２始動口１１ａに入賞した遊技球を検出する第２始動口ＳＷ１１ｃと、開閉部材１１ｂを開閉駆動する第２始動口ＳＯＬ１１ｄ（「ＳＯＬ」はソレノイドアクチュエータを意味する）とを有する。第２始動口１１ａは、開閉部材１１ｂと第２始動口ＳＯＬ１１ｄにより、通常は遊技球が入賞し難い（入賞不可能な）閉状態となり、この閉状態と遊技球が入賞し易い開状態とに作動し得る。
【００２１】
第１大入賞口装置１３は、第１大入賞口１３ａと、第１大入賞口１３ａを開閉する開閉部材１３ｂと、第１大入賞口１３ａに入賞した遊技球を検出する第１大入賞口ＳＷ１３ｃと、開閉部材１３ｂを開閉駆動する第１大入賞口ＳＯＬ１３ｄとを有する。第１大入賞口１３ａは、開閉部材１３ｂと第１大入賞口ＳＯＬ１３ｄにより、通常は遊技球が入賞し難い（入賞不可能な）閉状態となり、この閉状態と遊技球が入賞し易い開状態とに作動し得る。
【００２２】
第２大入賞口装置１４は、第２大入賞口１４ａと、第２大入賞口１４ａを開閉する開閉部材１４ｂと、第２大入賞口１４ａに入賞した遊技球を検出する第２大入賞口ＳＷ１４ｃと、開閉部材１４ｂを開閉駆動する第２大入賞口ＳＯＬ１４ｄとを有する。第２大入賞口１４ａは、開閉部材１４ｂと第２大入賞口ＳＯＬ１４ｄにより、通常は遊技球が入賞し難い（入賞不可能な）閉状態となり、この閉状態と遊技球が入賞し易い開状態とに作動し得る。
【００２３】
更に、第２大入賞口装置１４は、第２大入賞口１４ａに入賞した遊技球が通過可能な通常領域１４ｅ（第１領域）及び特定領域１４ｆ（第２領域）と、通常領域１４ｅを通過した遊技球を検出する通常領域ＳＷ１４ｇ-1と、特定領域１４ｆを通過した遊技球を検出する特定領域ＳＷ１４ｇ-2と、遊技球を通常領域１４ｅと特定領域１４ｆの何れかに振分ける振分手段１４ｈとを有する。振分手段１４ｈは、振分部材１４ｉと、振分部材１４ｉを図６に実線で示す第１位置と仮想線で示す第２位置とに亙って駆動する振分ＳＯＬ１４ｊとを有し、振分部材１４ｉが第１位置にあるときに遊技球を通常領域１４ｅに誘導し、振分部材１４ｉが第２位置にあるときに遊技球を特定領域１４ｆに誘導する。
【００２４】
遊技領域４ａに発射された遊技球が入賞口１０ａ，１１ａ，１３ａ，１４ａ，１５の何れかに入賞すると、遊技球１個の入賞につき入賞口１０ａ，１１ａ，１３ａ，１４ａ，１５毎に設定された数（数個〜10数個）の遊技球が賞球として貯留皿５に払出される。遊技領域４ａに発射された遊技球が入賞口１０ａ，１１ａ，１３ａ，１４ａ，１５の何れにも入賞しないと、最終的に下部排出口９から遊技領域４ａの外部へ排出される。
【００２５】
遊技球が第１，第２始動口１０，１１ａの何れかに入賞すると大当り抽選が行われ、その大当り抽選で当選すると、第１，第２大入賞口１３ａ，１４ａが開放する特別遊技（大当り遊技）が行われる。遊技球がゲート１２を通過すると当り抽選が行われ、その当り抽選で当選すると、第２始動口１１ａが開放する補助遊技が行われる。
【００２６】
遊技盤４にはセンタ役物１６が取付けられ、このセンタ役物１６又はその周辺に演出用の画像表示装置１７（液晶の画像表示器１７）と上可動役物装置２０と下可動役物装置２１と可動表示役物装置２２と回転役物装置２３が装備されている。センタ役物１６は、そのセンタ枠体１６ａが遊技盤４に形成されたセンタ開口部（図示略）に嵌合装着され、画像表示装置１７は、その画面をパチンコ遊技機１の前側からセンタ枠体１６ａの内側を通して視認可能に配置され、この画像表示装置１７に主に遊技演出が表示される。
【００２７】
発射ハンドル７を操作し、その操作量（回動角度）を変えて、遊技球の発射強度を調整可能である。依って、遊技球の発射強度を弱くして、遊技球がセンタ役物１６の左側を落下するように、遊技球を発射させる「左打ち」を行うことが可能であり、遊技球の発射強度を強くして、遊技球がセンタ役物１６の右側を落下するように、遊技球を発射させる「右打ち」を行うことが可能である。多数の障害釘、第１，第２始動口１０，１１ａ、ゲート１２、第１，第２大入賞口１３ａ，１４ａ、センタ役物１６の図示の配置等によって、「左打ち」では、第１始動口１０を狙うことが可能になる一方で、第２始動口１１ａ、ゲート１２、第１，第２大入賞口１３ａ，１４ａを狙うことが困難になる。また、「右打ち」では、前記とは逆に、第２始動口１１ａ、ゲート１２、第１，第２大入賞口１３ａ，１４ａを狙うことが可能になる一方で、第１始動口１０を狙うことが困難になる。
【００２８】
遊技盤４の左下部に遊技表示盤２９が設けられ、この遊技表示盤２９は、第１特図表示器２９ａ、第２特図表示器２９ｂ、普図表示器２９ｃ、第１特図保留ランプ２９ｄ、第２特図保留ランプ２９ｅ、普図保留ランプ２９ｆ、右打ちランプ２９ｇを備えている。
【００２９】
第１特図表示器２９ａには第１特別図柄が変動可能に表示され、第１特図保留ランプ２９ｄには第１特図保留数が表示され、その第１特図保留数は４未満の場合に第１始動口１０に遊技球が入賞する毎に１加算される。第２特図表示器２９ｂには第２特別図柄が変動可能に表示され、第２特図保留ランプ２９ｅには第２特図保留数が表示され、その第２特図保留数は４未満の場合に第２始動口１１ａに遊技球が入賞する毎に１加算される。
【００３０】
第１，第２特別図柄が変動停止状態で、第１特図保留数が１以上の場合に１減算されて第１特別図柄が変動開始され、その後の停止図柄で大当り抽選の結果が表示され、或いは、第２特図保留数が１以上の場合に１減算されて第２特別図柄が変動開始され、その後の停止図柄で大当り抽選の結果が表示される。
【００３１】
普図表示器２９ｃには普通図柄が変動可能に表示され、普図保留ランプ２９ｆには普図保留数が表示され、その普図保留数は４未満の場合にゲート１２に遊技球が入賞する毎に１加算される。普通図柄が変動停止状態で、普図保留数が１以上の場合、普図保留数が１減算されて普通図柄が変動開始され、その後の停止図柄で当り抽選の結果が表示される。
【００３２】
右打ちランプ２９ｇは、特別遊技が行われているときと後述の「高確・時短状態」又は「低確・時短状態」が設定されているとき、つまり「右打ち」を行うと有利になるときに点灯し、それ以外のとき、つまり「右打ち」を行うと不利になるときに消灯する。
【００３３】
次に、パチンコ遊技機１の制御系について説明する。
図７に示すように、制御装置３０は、遊技制御基板３１、払出制御基板３２、演出制御基板３３、画像制御基板３４、ランプ制御基板３５を備え、これら制御基板３１〜３５に夫々ＣＰＵとＲＯＭとＲＡＭを含むコンピュータを備えて構成され、演出制御基板３３は更にＲＴＣ（「ＲＴＣ」はリアルタイムクロックを意味する）を備えている。
【００３４】
遊技制御基板３１のコンピュータは、第１，第２始動口ＳＷ１０ａ，１１ｃ、ゲートＳＷ１２ａ、第１，第２大入賞口ＳＷ１３ｃ，１４ｃ、通常領域ＳＷ１４ｇ-1、特定領域ＳＷ１４ｇ-2、複数の一般入賞口ＳＷ１５ａからの信号、払出制御基板３２からの制御情報を受けて、第２始動口ＳＯＬ１１ｄ、第１，第２大入賞口ＳＯＬ１３ｄ，１４ｄ、振分ＳＯＬ１４ｊ、図柄表示器２９ａ〜２９ｃ、図柄保留ランプ２９ｄ〜２９ｆ、右打ちランプ２９ｇを制御し、払出制御基板３２、演出制御基板３３に制御情報（コマンド）を出力する。
【００３５】
払出制御基板３２のコンピュータは、遊技制御基板３１からの制御情報、払出球検出ＳＷ３６ｂ、球有り検出ＳＷ３６ｃ、満タン検出ＳＷ３６ｄからの信号を受けて、払出モータ３６ａを制御し、遊技制御基板３１に制御情報を出力する。演出制御基板３３のコンピュータは、遊技制御基板３１、画像制御基板３４、ランプ制御基板３５からの制御情報、演出操作装置６（ＳＷ６ａ，６ｂ，６ｃ）からの信号を受けて、画像制御基板３４、ランプ制御基板３５に制御情報を出力する。
【００３６】
画像制御基板３４のコンピュータは、演出制御基板３３からの制御情報を受けて、演出用の画像表示装置１７、スピーカ３７を制御し、演出制御基板３３に制御情報を出力する。ランプ制御基板３５のコンピュータは、演出制御基板２３からの制御情報、下可動役物装置２０（原点ＳＷ）、上可動役物装置２１（原点ＳＷ）、可動表示役物装置２２（原点ＳＷ）、回転役物装置２３（原点ＳＷ）からの信号を受けて、演出用の枠ランプ３８ａ、盤ランプ３８ｂ、下可動役物装置２０（電動モータ）、上可動役物装置２１（電動モータ）、可動表示役物装置２２（電動モータ）、回転役物装置２３（電動モータ）を制御し、演出制御基板３３に制御情報を出力する。
【００３７】
○[ 上可動役物装置] 
上可動役物装置２１について詳細に説明する。
図８〜図１６に示すように、上可動役物装置２０は、センタ役物１６の上部に装備され、役物ベース４１と、前後方向に多層状に且つ上下方向へ互いに相対移動可能に設けられた第１，第２，第３可動役物４２, ４３, ４４と、第１可動役物４２を上下方向へ移動させる第１役物駆動手段４５と、第３可動役物４４を上下方向へ移動させる第２役物駆動手段４６と、第１役物駆動手段４５により移動される第１可動役物４２に第２可動役物４３を従動させて第１，第３可動役物４２, ４４と異なる所定動作を実現可能な役物作動手段４７とを備えている。
【００３８】
図１３、図１４に示すように、役物ベース４１は、上下長が左右長の約２倍以上ある合成樹脂製の矩形板状に形成され、盤面と平行に且つセンタ役物１６の上部後側に隠れた状態で配置されて、センタ役物１６の上部の後面部にセンタ役物１６から後方へ間隔をあけて複数のボス部４１ａを介して取付けられている。
【００３９】
第１可動役物４２について説明する。
図８〜図１４に示すように、第１可動役物４２は、画像表示装置１７の画面の左右長と略同じ左右長を有し、目を含む顔の一部を模した形状の役物本体４８と、板状の可動ベース部材４９とを備えている。役物本体４８の前面部には左右１対の電飾部４８ａが設けられ、これら電飾部４８ａは夫々目の輪郭を模した外形形状に形成され、ＬＥＤ基板４８ｂに実装された複数のＬＥＤ（図示略）と、これらＬＥＤの前方に配置された合成樹脂製のレンズカバー４８ｃとを有するものである。可動ベース部材４９は、その下端部が役物本体４８の上端部に固定され、盤面と平行な方向であって上下方向（以下、Ｘ方向）へ移動自在に第１，第２ガイド機構５０, ５１によりガイドされている。
【００４０】
図１３、図１４に示すように、第１ガイド機構５０は、上下方向に細長い前、後、中の３つのガイド部材５０ａ, ５０ｂ, ５０ｃを有し、前ガイド部材５０ａが可動ベース部材４９の左部の後面部に固定され、後ガイド部材５０ｃが役物ベース４１の左部の前面部に固定され、中ガイド部材５０ｂが前、後のガイド部材５０ａ, ５０ｂに夫々上下方向へスライド自在に係合している。
【００４１】
第２ガイド機構５１は、第１ガイド機構５０と同様に、前、後、中の３つのガイド部材５１ａ, ５１ｂ, ５１ｃを有し、前ガイド部材５１ａが可動ベース部材４９の右部の後面部に固定され、後ガイド部材５１ｃが役物ベース４１の右部の前面部に固定され、中ガイド部材５１ｂが前、後のガイド部材５１ａ, ５１ｂに夫々上下方向へスライド自在に係合している。可動ベース部材４９には、第１役物駆動手段４５と連動連結するための係合穴４９ａが設けられ、この係合穴４９ａは、可動ベース部材４９の右部の上側部分の前ガイド部材５１ａの近傍部位に形成されている。
【００４２】
第１役物駆動手段４５について説明する。
図１３に示すように、第１役物駆動手段４５は、電動モータ５２と、ギヤ機構５３と、アーム部材５４とを備えている。電動モータ５２は、役物ベース４１の上側部分の左右方向略中央部に前向きに固定されている。ギヤ機構５３は、電動モータ５２の出力軸５２ａに固着された駆動ギヤ５３ａと、この駆動ギヤ５３ａに噛合して役物ベース４１に回転自在に支持された第１中間ギヤ５３ｂと、第１中間ギヤ５３ｂに噛合して役物ベース４１に回転自在に支持された第２中間ギヤ５３ｃと、第２中間ギヤ５３ｃに噛合して役物ベース４１に回転自在に支持された従動ギヤ５３ｄとを備えている。
【００４３】
アーム部材５４は、可動ベース部材４９と従動ギヤ５３ｄの間に配置され、従動ギヤ５３ｄの直径よりも長い左右長を有し、左端部が役物ベース４１から前方へ突出する支軸５５に回動自在に支持されている。
【００４４】
アーム部材５４には、その長さ方向にストレートに延びる係合長孔５４ｂが形成されている。この係合長孔５４ｂには、従動ギヤ５３ｄの前面部の外周近傍部位に前方突出状に設けられた係合ピン５６が摺動自在に係合している。
【００４５】
アーム部材５４の右端部には、係合ピン５４ａが前後に突出状に設けられている。この係合ピン５４ａの前端部が可動ベース部材４９に形成された横長矩形状の前後に貫通状の係合穴４９ａに摺動自在に係合している。これにより、アーム部材５４と可動ベース部材４９とが連動連結している。このように、電動モータ５２の駆動力がギヤ機構５３を介してアーム部材５４に伝達され、アーム部材５４が支軸５５を中心に時計／反時計方向に回動すると、可動ベース部材４９が、アーム部材５４の回動動作に連動して第１, 第２ガイド機構５０, ５１によりガイドされたＸ方向へ移動する。
【００４６】
可動ベース部材４９が第１，第２ガイド機構５０, ５１によりガイドされたＸ方向へ移動することで、役物本体４８が、画像表示装置１７の画面の前側において、図８、図９に示す退避位置（図２に示すその大部分がセンタ役物１６の上部に隠れた位置）（第１位置）と、図４、図１１、図１２に示すセンタ役物１６の上部から下方へ出現した進出位置（第２位置）とに亙って図１０に示す進出途中位置（第３位置）を経由して移動し得る。役物本体４８は、進出位置では、画像表示装置１７の画面中央付近の前側に位置する。
【００４７】
役物本体４８の退避位置が初期位置（原点位置）となり、この初期位置を検出するために、第１役物駆動手段４５に被検出部５７が設けられ、役物ベース４１の前面部に位置検出センサ５８が設けられている。被検出部５７は、アーム部材５４の右端側部分に上方突出状に設けられた遮蔽板５７からなり、位置検出センサ５８は、役物ベース４１の上端部分の電動モータ５２の近傍部位に取付けられた発光部と受光部とを有する光学センサ５８からなる。
【００４８】
役物本体４８が退避位置のときに、光学センサ５８は、その発光部と受光部との間が遮蔽板５７で遮られることで、役物本体４８が退避位置であることを検出する。尚、ランプ制御基板３５のコンピュータは、そのＲＯＭに格納された可動役物制御プログラムに従って、演出制御基板３３からの制御指令情報と位置検出センサ５８からの位置検出情報とに基づいて電動モータ５２を制御する。
【００４９】
第２可動役物４３について説明する。
図８〜図１４に示すように、第２可動役物４３は、第１可動役物４２と第３可動役物４４の間に配置され、第１可動役物４２の左右長と略同じ左右長を有する兜を模した形状に形成され、第１可動役物４２に対して前側に階層状に且つ上下方向に相対移動可能に設けられる。
【００５０】
役物作動手段４７について説明する。
図１３、図１４に示すように、役物作動手段４７は、ガイド手段６０と係合手段６１を備え、第２可動役物４３を第１可動役物４２の退避位置に対応する位置と第１可動役物４２の進出途中位置に対応する位置に亙って移動させる。  ガイド手段６０は、第２可動役物４３の左右両端部の上端部分に夫々後方突出状に設けられた１対の係合部６０ａと、第１可動役物４２の可動ベース部材４９の左右両端部の上端部分に夫々形成された１対の係合長穴６０ｂとを有している。係合部６０ａは、前後方向に厚みのある縦長長円形状に形成されている。係合長穴６０ｂは、係合部６０ａの上下長よりも長く上下方向に延びるように形成され、この係合長穴６０ｂに、係合部６０ａが上下方向に移動自在に係合し且つ前後方向に移動不能に係合している。
【００５１】
係合手段６１は、センタ役物１６の上部の左右両端部の下端部分に夫々後方突出状に設けられた１対の受止部６１ａと、第２可動役物４３の左右両端部の上端部に夫々前方突出状に設けられ、受止部６１ａに上側から係合可能な１対の係合部６１ｂとを有している。
【００５２】
第１可動役物４２（役物本体４８ａ）が退避位置（図８、図９）→進出途中位置（図１０）→進出位置（図１１、図１２）へ下降移動する際、役物作動手段４７は次のように機能する。
【００５３】
第１可動役物４２が退避位置のとき、第２可動役物４３は、その自重によりガイド手段６０において係合部６０ａが係合長穴６１ａの下端部に係止することで、センタ役物１６の上部に隠れた状態で且つ第１可動役物４２の前方に重なるように位置（退避位置に対応する位置）する。第１可動役物４２が退避位置から進出途中位置へ下降移動する際、自重により係合部６０ａが係合長穴６０ｂの下端部に係止した状態を維持して、係合手段６１において係合部６１ｂが受止部６１ａに係合するまで第２可動役物４３を第１可動役物４２と一体的に下降移動させる。
【００５４】
第１可動役物４２が進出途中位置へ移動したときに、係合手段６１において係合部６１ｂが受止部６１ａに係合することで第２可動役物４３の移動を停止させ（進出途中位置に対応する位置）、第１可動役物４２が進出途中位置から進出位置へ下降移動するまでの間、第２可動役物４３の移動停止状態を維持する。第１可動役物４２が進出位置のときには、ガイド手段６０において係合部６０ａが係合長穴６０ｂの上端近傍に係合した状態になる。
【００５５】
第３可動役物４４について説明する。
図８〜図１２、図１５、図１６に示すように、第３可動役物４４は、第２可動役物４３に対して前側に階層状に位置し得るように固定ベース部材６２に可動に配置され、所定のロゴマークを模した形状に形成され役物本体６３を備えている。
【００５６】
固定ベース部材６２は、その上端部がセンタ役物１６の上部の下端側部分に固定されている。役物本体６３の前面部には複数の電飾部６３ａ, ６３ｂが設けられ、これら電飾部６３ａ, ６３ｂは、「鬼」の文字の外形形状や円形状に形成され、ＬＥＤ基板（図示略）に実装された複数のＬＥＤ（図示略）と、これらＬＥＤの前方に配置された合成樹脂製のレンズカバー６３ｃ, ６３ｄとを有するものである。役物本体６３は、固定ベース部材６２の前側に配置され、第１，第２ガイド支持機構６４, ６５によりＸ方向へ移動自在にガイド支持されている。
【００５７】
第１ガイド支持機構６４は、上下方向に延びるロッド６４ａと、ロッド６４ａを上下方向にスライド自在にガイド支持するロッド支持部６４ｂとを備えている。ロッド６４ａの上端部と下端部は、役物本体６３の左端部の上端部と下端部に夫々後方突出状に設けられた連結部６３ａ, ６３ｂに固定されている。ロッド支持部６４ｂは、固定ベース部材６２の左端部の下部において上下に２つ前方突出状に設けられ、このロッド支持部６４ｂには上下に貫通状の係合穴６４ｃが形成され、この係合穴６４ｃにロッド６４ａが上下方向にスライド自在に係合し、且つ、前後方向へ移動不能に係合支持されている。
【００５８】
第２ガイド支持機構６５は、第１ガイド支持機構６４と同様に、ロッド６５ａとロッド支持部６５ｂとを備え、ロッド６５ａの上端部と下端部は、役物本体６３の右端部の上端部と下端部に夫々後方突出状に設けられた連結部６３ｃに固定されている。ロッド支持部６５ｂは、固定ベース部材６２の右端部の下部において上下に２つ前方突出状に設けられ、このロッド支持部６５ｂには上下に貫通状の係合穴６５ｃが形成され、この係合穴６５ｃにロッド６５ａが上下方向にスライド自在に係合し、且つ、前後方向へ移動不能に係合支持されている。
【００５９】
第２役物駆動手段４６について説明する。
第２役物駆動手段４６は、電動モータ６６と、ギヤ機構６７と、駆動レバー部材６８と、変換機構６９とを備え、第３可動役物４４をセンタ役物１６の上部の前側に位置する待機位置と第２可動役物４３の下降移動に沿って移動した作動位置とに亙って移動させる。電動モータ６６は、固定ベース部材６２に後向きに固定されている。
【００６０】
ギヤ機構６７は、電動モータ６６の出力軸６２ａに固着された駆動ギヤ６７ａと、この駆動ギヤ６７ａに噛合して固定ベース部材６２に回転自在に支持された従動ギヤ６７ｂとを備えている。
【００６１】
駆動レバー部材６８は、従動ギヤ６７ｂに固定的に設けられている。これにより、電動モータ６６の駆動力がギヤ機構６７を介して駆動レバー部材６８に伝達されて、駆動レバー部材６８が時計／反時計回りに回動する。変換機構６９は、駆動レバー部材６８の先端部に前方突出状に設けられたピン部６８ａと、役物本体６３の左部に左右方向に細長く形成された長孔６３ｅとを備え、この長孔６３ｅにピン部６８ａが摺動自在に係合している。これにより、駆動レバー部材６８の回動動作を役物本体６３の直線動作に変換して、役物本体６３をガイド支持機構６４, ６５にガイドされたＸ方向へ移動させる。
【００６２】
図１５に示すように、第２可動役物４３の上端側部分には、第２可動役物４３が第１可動役物４２の退避位置に対応する位置にあるときに、第２可動役物４３が第２役物駆動手段４６の電動モータ６６に干渉するのを防止する切欠部７０が形成されている。
【００６３】
切欠部７０は、第２可動役物４３が第１可動役物４２の退避位置に対応する位置のときに、第２可動役物４３の上部を電動モータ６６の下半部を受容可能な大きさに切り欠いた上方開放の半円形状に形成されている。これにより、第２可動役物４３が第１可動役物４２の退避位置に対応する位置にあるときには、電動モータ６２の下半部が第２可動役物４３に干渉せずに切欠部７０内に受容された状態になる。
【００６４】
また、第１可動役物４２（可動ベース部材４９）における前記切欠部７０に対応する部位にも、第２可動役物４３の切欠部７０よりも大きく切り欠いた半円形状の切欠部７１が形成されている。第２可動役物４３の上部を電動モータ６６の下半部を受容可能な大きさに切り欠いた上方開放の半円形状に形成されている。これにより、第１可動役物４２が退避位置にあるときには、電動モータ６２の下半部が第１可動役物４２に干渉せずに切欠部７１内に受容された状態になる。
【００６５】
第２役物駆動手段４６は、第３可動役物４４が待機位置から作動位置へ下降移動する際、待機位置から作動位置まで下降移動した第２可動役物４３の切欠部７０が前方へ露出しないように、第３可動役物４４を第２可動役物４３の下降移動に先行して又は第２可動役物４３の下降移動に追従して役物本体６３の前面部で切欠部７０を前側からカバーできる位置（隠蔽できる位置）まで下降移動させる（図１０〜図１２参照）。
【００６６】
以上説明した上可動役物装置２１の作用・効果について説明する。
図８に示すように、通常時には、第３可動役物４４（役物本体６３）は、センタ役物１６の上部の前側に待機し、第１可動役物４２（役物本体４８）と第２可動役物４３は、図２に示すその大部分がセンタ役物１６の上部に隠れた退避位置で待機している。たとえば、始動条件の成立により行われる大当り抽選の結果に基づいて、遊技者に大当りが行わる可能性があることを示唆又は報知する際、先ず、第３可動役物４４が作動位置まで移動した後（図９）、第１, 第２可動役物４２, ４３が退避位置から進出途中位置まで一体的に移動し（図１０）、更に、第２可動役物４３が移動停止した状態で、第１可動役物４２が進出途中位置から進出位置まで移動する（図１１、図１２）。
【００６７】
一方、第１，第２，第３役物４２，４３，４４が上昇移動する場合、先ず、第３可動役物４４が作動位置から待機位置へ上昇移動し、その移動に追従して、第１可動役物４２が移動途中位置まで上昇移動した後、第１，第２可動役物が一体的に退避位置まで上昇移動する。
【００６８】
ここで、従来の可動役物装置では、第１可動役物が退避位置から進出位置へ移動する際、第２可動役物が回動しない（第１可動役物が退避位置から途中位置へ移動する）ときも、回動する（第１可動役物が途中位置から進出位置へ移動する）ときも、第２可動役物は常に第１可動役物と一体的に移動し、即ち常に動作するので、その役物動作が比較的単純な動作になり、斬新な役物動作を実現できない。
【００６９】
本発明の上側可動役物装置２１においては、盤面と平行な方向であって上下方向に移動可能に設けられた第１可動役物４２と、第１可動役物４２に対して前側に階層状に且つ上下方向へ相対移動可能に設けられた第２可動役物４３と、第１可動役物４２を退避位置と進出位置とに亙って進出途中位置を経由して移動させる第１役物駆動手段４５と、第１役物駆動手段４５により第１可動役物４２を退避位置から進出途中位置へ下降移動させる際に、その第１可動役物４２と一体的に第２可動役物４３を下降移動させるとともに、第１役物駆動手段４５により第１可動役物４２を進出途中位置から進出位置へ下降移動させる間、第２可動役物４３を移動停止させる役物作動手段４７とを備えたので、２つの可動役物４２, ４３の斬新な動作を実現して、演出効果を高めることができる。
【００７０】
また、第２可動役物４３に対して前側に階層状に且つ上下方向へ相対移動可能に設けられた第３可動役物４４と、第３可動役物４４を第２可動役物４２の移動方向に沿って移動させる第２役物駆動手段４６とを更に備えたので、３つの可動役物４２, ４３, ４４によりインパクトのある役物演出を実現することができる。更に、これら２つの可動役物４２，４３の動作と、下可動役物装置２０と、可動表示装置２２と、画像表示装置１７による画像との協働により特定の遊技演出を行うことが可能である。
【００７１】
更に、第２可動役物４３が第１可動役物４２の退避位置に対応する位置にあるときに第２役物駆動手段４６の電動モータ６２と相互に干渉しないように、第２可動役物４３に切欠部７０が形成されたので、第２可動役物４３と電動モータ６２の破損を確実に防止することができる。
【００７２】
更に、役物作動手段４７により第２可動役物４３を下降移動させることで切欠部７０が露出しないように、第２役物駆動手段４６により下降移動された第３可動役物４４により切欠部７０をカバー可能であるので、第２可動役物４３の意匠性の低下を防止することできる。
【００７３】
上可動役物装置２１を部分的に変更する例について説明する。
[ １] 切欠部７０の形状は、実施例の形状に限定されるものでなく、電動モータ６２と干渉しない大きさであればよい（例えば、凹状形状等）。
[ ２] 第１可動役物４２に対して第２可動役物４３を後側に且つ階層状に設けてもよい。
[ ３] 実施例では、第３可動役物４４を第１，第２可動役物４２，４３よりも先行させて下降移動させたが、第３可動役物４４を第１，第２可動役物４２，４３の下降移動に追従させて移動させてもよい。
【００７４】
○［可動表示役物装置］
可動表示役物装置２２について詳細に説明する。
図１７〜図２６に示すように、可動表示役物装置２２は、センタ役物１６の下部に装備され、役物ベース７５と、３つの表示面７２Ｙ（７２Ａ，７２Ｂ，７２Ｃ），７３Ｙ（７３Ａ，７３Ｂ，７３Ｃ），７４Ｙ（７４Ａ，７４Ｂ，７４Ｃ）を夫々有する第１，第２，第３可動表示役物７６，７７，７８と、第１，第２，第３可動表示役物７６，７７，７８を夫々回転自在に支持するベース部材７９と、第１，第２，第３可動表示役物７６，７７，７８と共に、ベース部材７９を第１位置（待機位置）と第２位置（作動位置）とに亙って移動させるベース駆動手段８０と、第１，第２，第３可動表示役物７６，７７，７８を作動（回転）させる役物駆動手段８１と、第１，第２，第３可動表示役物７６，７７，７８の後側に設けられ、第１，第２，第３可動表示役物７６，７７，７８に向けて光を照射可能な複数の光源９５ａ，９５ｂ，９５ｃと、第１，第２，第３可動表示役物７６，７７，７８の３つの表示面７２Ｙ，７３Ｙ，７４Ｙに対する視覚的補完機能を有する２つのカバー部材８２とを備えている。
【００７５】
役物ベース７５は、センタ役物１６と略同じ左右長を有する合成樹脂製の矩形板状に形成され、盤面と平行に且つセンタ役物１６の下部に後側に隠れた状態で配置され、センタ役物１６の下部後面部にセンタ役物１６から後方へ間隔をあけて複数のボス部（図示略）を介して取り付けられている。
【００７６】
ベース部材７９について説明する。
ベース部材７９は、役物ベース７５の前側に配置され、上面板（天板）７９ａと、後面板７９ｂと、左右１対の側面板７９ｃ，７９ｄとを備えている。１対の側面板７９ｃ，７９ｄには、夫々、前側からカバー９２，９３が取り付けられている。カバー９２，９３の前面部には装飾板（図示略）が取り付けられている。ベース部材７９は、盤面と平行な方向であって上下方向へ移動自在にガイド機構８３によりガイド支持されている。
【００７７】
図２０〜図２２に示すように、ガイド機構８３は、上下方向に細長い前，後ガイド部材８３ａ，８３ｂを有し、前ガイド部材８３ａがベース部材７９の後面板７９ｂの後面部に固定され、後ガイド部材８３ｂが役物ベース７５の前面部に固定され、前ガイド部材８３ａが後ガイド部材８３ｂに上下方向へスライド自在に係合している。
【００７８】
ベース駆動手段８０について説明する。
図１８〜図２２に示すように、ベース駆動手段８０は、電動モータ８４と、ギヤ機構８５と、回動部材８６と、連結部材８７と、アーム部材８８を有する。電動モータ８４は、役物ベース７５に前向きに取り付けられている。ギヤ機構８５は、電動モータ８４の出力軸８４ａに固着された駆動ギヤ８５ａと、駆動ギヤ８５ａに噛合して役物ベース７５に回転自在に支持された中間ギヤ８５ｂと、中間ギヤ８５ｂに噛合して役物ベース７５に回転自在に支持された従動ギヤ（図示略）を有する。
【００７９】
回動部材８６は、前記従動ギヤに固定的に設けられている。回動部材８６の前面部には、その回動中心から偏心した部位に係合部材８６ａが前方突出状に設けられている。連結部材８７は回動部材８６の前側に配置され、連結部材８７には、左端部からその長さ方向にストレートに延びる係合長孔８７ａが形成され、この係合長孔８７ａに回動部材８６の係合部材８６ａが摺動自在に係合している。
【００８０】
連結部材８７の左端側部分には下方に突出したバネ掛け部８７ｂが形成され、このバネ掛け部８７ｂに引っ張りバネ９１の一端部が係止され、他端部が役物ベース７５の左部の下端部に形成された前方突出状のバネ掛け部７５ａに係止されている。この引っ張りバネ９１は、ベース部材７９を上昇移動させるときのアシスト機能とベース駆動手段８０（ギヤ機構８５）のバックラッシュ（作動クリアランス）を除去（吸収）する機能を有する。
【００８１】
アーム部材８８の基端部（下端部）は、連結部材８７の右端部と一体的に連結して、軸部８８ｂを介して役物ベース９５に回動自在に支持されている。アーム部材８８の先端部（上端部）には、係合部材８８ａが前方突出状に設けられ、この係合部材８８ａがベース部材７９の後面板７９ｂの左部に左右方向に細長く形成された係合長孔７９ｅに摺動自在に係合している。これにより、電動モータ８４の駆動力が、ギヤ機構８５、回動部材８６、連結部材８７を介してアーム部材８８に伝達され、アーム部材８８の回動動作をベース部材７９の直線動作に変換して、ベース部材７９をガイド機構８３によりガイドされた方向に沿って第１位置（待機位置）と第２位置（作動位置）とに亙って移動させる。
【００８２】
第１，第２，第３可動表示役物７６，７７，７８について説明する。
図２４、図２５に示すように、第１，第２，第３可動表示役物７６，７７，７８は、光透過性のある合成樹脂材料で同形同サイズに形成され、上下方向に僅かな隙間を空けて並設され、夫々その左右方向の中心軸回りに回動可能にベース部材７９に支持されて設けられている。次に、第１，第２，第３可動表示役物７６，７７，７８の順に説明する。但し、第２，第３可動表示役物７７，７８において、第１可動表示役物７６と同じ構成については、適宜、説明を省略、或いは、簡単に説明する。
【００８３】
第１可動表示役物７６は、３つの表示面７２Ｙ（７２Ａ，７２Ｂ，７２Ｃ）を形成する三角筒状の周壁７６Ｘと、ベース部材７９に回転可能に支持された役物基部材７６Ｚと、周壁７６Ｘ及び役物基部材７６Ｚの左右両端部に夫々結合された三角平板状の側板部７６Ｄ，７６Ｅとを有する。
【００８４】
周壁７６Ｘは、その中心軸を中心に周方向に１２０度間隔で分割され３つの表示面７２Ｙ( ７２Ａ，７２Ｂ，７２Ｃ) を夫々形成する３個の横長平板状の分割周壁７６Ａ，７６Ｂ，７６Ｃを有し、この３個の分割周壁７６Ａ，７６Ｂ，７６Ｃが役物基部材７６Ｚに結合されている。
【００８５】
図２５（２）に示すように、役物基部材７６Ｚは、中心軸部７６ｄと、中心軸部７６ｄから半径方向に延びる３枚の平板部７６ｅとを有し、中心軸部７６ｄと３枚の平板部７６ｅとが一体形成されている。中心軸部７６ｄは、平板部７６ｅよりも左右方向へ長く形成され、その両端部分が側板部７６Ｄ，７６Ｅに形成された貫通穴７６ｆを挿通してベース部材７９の側面板７９ｃ，７９ｄに回転自在に支持されている。
【００８６】
３枚の平板部７６ｅは、中心軸部７６ｄに周方向１２０度間隔おきに形成されている。２つの平板部７６ｅの先端部に１つの分割周壁７６Ａ（７６Ｂ，７６Ｃ）の２つの長辺部が結合されている。つまり、各平板部７６ｅの先端部分が、周壁７６Ｘのうちの３つの分割周壁７６Ａ，７６Ｂ，７６Ｃの境界部となる３つの角部分を形成し、且つＬＥＤ群９５Ａからの光を周壁７６Ｘの内側に導入する３つの光導入部７６Ｆを形成する。３つの光導入部７６Ｆは、夫々、中心軸と平行な左右方向に細長く形成され、この３つの光導入部７６Ｆによって、周壁７６Ｘの角部分は面取りされたように形成されている。
【００８７】
左右の側板部７６Ｄ，７６Ｅにはキー溝７６ｇが形成され、中心軸部７６ｄの両端側部分にはキー部７６ｈが形成され、中心軸部７６ｄの両端部分が側板部７６Ｄ，７６Ｅの貫通穴７６ｆを挿通してキー部７６ｈがキー溝７６ｇに係合し、役物基部材７６Ｚに対して側板部７６Ｄ，７６Ｅが相対回転しないように取付られている。
【００８８】
各分割周壁７６Ａ，７６Ｂ，７６Ｃの外面部には電飾用のシート部材７２Ａ，７２Ｂ，７２Ｃが取り付けられ、このシート部材７２Ａ，７２Ｂ，７２Ｃにより第１，第２，第３の表示面７２Ａ，７２Ｂ，７２Ｃが形成されている。各シート部材７２Ａ，７２Ｂ，７２Ｃには、その表面に模様や柄等が施されていると共に、所定の図形、文字やキャラクタ等の一部を象った光拡散部７２ａ，７２ｂ，７２ｃが形成されている。
【００８９】
光拡散部７２ａ，７２ｂ，７２ｃには、ローレット加工やダイヤモンドカット加工等の光拡散処理が施されている。例えば、第１の表示面７２Ａの光拡散部７２ａにはローレット加工が施され、第２の表示面７２Ｂの光拡散部７２ｂにはダイヤモンドカット加工が施されている。つまり、少なくとも２つの表示面７２Ａ，７２Ｂの光拡散部７２ａ，７２ｂの光拡散処理を異ならせている。尚、第１，第２，第３の表示面７２Ａ，７２Ｂ，７２Ｃの光拡散部７２ａ，７２ｂ，７２ｃに同じ光拡散処理を施してもよい。
【００９０】
第２可動表示役物７７は、３つの表示面７３Ｙ（７３Ａ，７３Ｂ，７３Ｃ）を形成する３個の分割周壁７７Ａ，７７Ｂ，７７Ｃを有する三角筒状の周壁７７Ｘと、役物基部材７７Ｚと、左右１対の側板部７７Ｄ，７７Ｅとを有し、役物基部材７７Ｚの両端部がベース部材７９の側面板７９ｃ，７９ｄに回転自在に支持されている。
【００９１】
周壁７７Ｘのうち３個の分割周壁７７Ａ，７７Ｂ，７７Ｃの境界部となる３つの角部分に夫々光導入部７７Ｆが形成されている。各分割周壁７７Ａ，７７Ｂ，７７Ｃの外面部には電飾用のシート部材７３Ａ，７３Ｂ，７３Ｃが取り付けられ、このシート部材７３Ａ，７３Ｂ，７３Ｃにより第１，第２，第３の表示面７３Ａ，７３Ｂ，７３Ｃが形成されている。シート部材７３Ａ，７３Ｂ，７３Ｃには光拡散部７３ａ，７３ｂ，７３ｃが形成されている。
【００９２】
第３可動表示役物７８は、３つの表示面７４Ｙ（７４Ａ，７４Ｂ，７４Ｃ）を形成する３個の分割周壁７８Ａ，７８Ｂ，７８Ｃを有する三角筒状の周壁７８Ｘと、役物基部材７８Ｚと、左右１対の側板部７８Ｄ，７８Ｅを有し、役物基部材７８Ｚの両端部がベース部材７９の側面板７９ｃ，７９ｄに回転自在に支持されている。
【００９３】
周壁７８Ｘのうち３個の分割周壁７８Ａ，７８Ｂ，７８Ｃの境界部となる３つの角部分に夫々光導入部７８Ｆが形成されている。各分割周壁７８Ａ，７８Ｂ，７８Ｃの外面部には電飾用のシート部材７４Ａ，７４Ｂ，７４Ｃが取り付けられ、このシート部材７４Ａ，７４Ｂ，７４Ｃにより第１，第２，第３の表示面７４Ａ，７４Ｂ，７４Ｃが形成されている。シート部材７４Ａ，７４Ｂ，７４Ｃには光拡散部７４ａ，７４ｂ，７４ｃが形成されている。
【００９４】
図２４，図２６に示すように、第１，第２，第３可動表示役物７６，７７，７８の後側において、ＬＥＤ基板９４がベース部材７９の後面板７９ｂの前面部に取り付けられている。このＬＥＤ基板９４は、第１，第２，第３可動表示役物７６，７７，７８に接近対向状に配設されている。ＬＥＤ基板９４の前面部には、３つのＬＥＤ群９５Ａ，９５Ｂ，９５Ｃが上下に並列状に装備されている。各ＬＥＤ群９５Ａ，９５Ｂ，９５Ｃは、中心軸と平行方向へ所定間隔おきに一列状に配置した複数のＬＥＤ（光源）９５ａ，９５ｂ，９５ｃを有する。
【００９５】
ここで、３つの可動表示役物７６，７７，７８において、夫々の周壁７６Ｘ，７７Ｘ，７８Ｘの第１の表示面７２Ａ，７３Ａ，７４Ａを前向きにして上下に並べたときに、それら３つの表示面７２Ａ，７３Ａ，７４Ａの光拡散部７２ａ，７３ａ，７４ａにより表示態様Ａ（図形「□」）を表示する第１の表示位置（図１７）になり、第２の表示面７２Ｂ，７３Ｂ，７４Ｂを前向きにして上下に並べたときに、それら３つの表示面７２Ｂ，７３Ｂ，７４Ｂの光拡散部７２ｂ，７３ｂ，７４ｂにより表示態様Ｂ（図形「△」）を表示する第２の表示位置（図２０）になり、第３の表示面７２Ｃ，７３Ｃ，７４Ｃを前向きにして上下に並べたときに、それら３つの表示面７２Ｃ，７３Ｃ，７４Ｃの光拡散部７２ｃ，７３ｃ，７４ｃにより表示態様Ｃ（図形「○」）を表示する第３の表示位置（図２３、図２５（１））になる。第１，第２，第３可動表示役物７６，７７，７８は、第１〜第３の表示位置のうちの何れかの表示位置に回転停止可能である。
【００９６】
図１７に示すように、第１，第２，第３可動表示役物７６，７７，７８が第１の表示位置に回転停止したときに、前方へ向けた第１の表示面７２Ａ，７３Ａ，７４Ａと対向する光導入部７６Ｆ，７７Ｆ，７８Ｆが、夫々、３つのＬＥＤ群９５Ａ，９５Ｂ，９５Ｃと接近対向する位置になり、各ＬＥＤ群９５Ａ，９５Ｂ，９５Ｃの複数のＬＥＤ９５ａ，９５ｂ，９５ｃが発光すると、その光が光導入部７６Ｆ，７７Ｆ，７８Ｆから周壁７６Ｘ，７７Ｘ，７８Ｘの内側に入射されて（例えば、光導入部７６Ｆ，７７Ｆ，７８Ｆを形成する役物基部材７６Ｚの内部を通って）前方へ向けた第１の表示面７２Ａ，７３Ａ，７４Ａに後側から照射され、光拡散部７２ａ，７３ａ，７４ａで拡散されて周壁７６Ｘ，７７Ｘ，７８Ｘの内側から表示態様Ａを発光させる。
【００９７】
図２０に示すように、第１，第２，第３可動表示役物７６，７７，７８が第２の表示位置に回転停止したときに、前方へ向けた第２の表示面７２Ｂ，７３Ｂ，７４Ｂと対向する光導入部７６Ｆ，７７Ｆ，７８Ｆが、夫々、ＬＥＤ群９５Ａ，９５Ｂ，９５Ｃと接近対向する位置になり、各ＬＥＤ群９５Ａ，９５Ｂ，９５Ｃの複数のＬＥＤ９５ａ，９５ｂ，９５ｃが発光すると、その光が光導入部７６Ｆ，７７Ｆ，７８Ｆから周壁７６Ｘ，７７Ｘ，７８Ｘの内側に入射されて前方へ向けた第２の表示面７２Ｂ，７３Ｂ，７４Ｂに後側から照射され、光拡散部７２ｂ，７３ｂ，７４ｂで拡散されて周壁７６Ｘ，７７Ｘ，７８Ｘの内側から表示態様Ｂを発光させる。
【００９８】
図２３に示すように、第１，第２，第３可動表示役物７６，７７，７８が第３の表示位置に回転停止したときに、前方へ向けた第３の表示面７２Ｃ，７３Ｃ，７４Ｃと対向する光導入部７６Ｆ，７７Ｆ，７８Ｆが、夫々、ＬＥＤ群９５Ａ，９５Ｂ，９５Ｃと接近対向する位置になり、各ＬＥＤ群９５Ａ，９５Ｂ，９５Ｃの複数のＬＥＤ９５ａ，９５ｂ，９５ｃが発光すると、その光が光導入部７６Ｆ，７７Ｆ，７８Ｆから周壁７６Ｘ，７７Ｘ，７８Ｘの内側に入射されて前方へ向けた第３の表示面７２Ｃ，７３Ｃ，７４Ｃに後側から照射され、光拡散部７２ｃ，７３ｃ，７４ｃで拡散されて周壁７６Ｘ，７７Ｘ，７８Ｘの内側から表示態様Ｃを発光させる。
【００９９】
役物駆動手段８１について説明する。
図１８、図２１等に示すように、役物駆動手段８１は、電動モータ８９と、電動モータ８９の駆動力を第１，第２，第３可動表示役物７６，７７，７８に伝達するギヤ機構９０とを有し、第１，第２，第３可動表示役物７６，７７，７８を同期して回転させると共に、第１の表示位置（図１７）と、第２の表示位置（図２０）と、第３の表示位置（図２３、図２５（１））の何れかの表示位置に停止させる。
【０１００】
電動モータ８９は、左側のカバー９２の下端部に左向きに固定されている。ギヤ機構９０は、電動モータ８９の出力軸８９ａに固着された駆動ギヤ９０ａと、ベース部材７９の左側の側面板７９ｃに回転自在に支持された複数の中間ギヤ９０ｂ〜９０ｄと、第１，第２，第３従動ギヤ９０ｅ，９０ｆ，９０ｇとを有する。これら複数のギヤ９０ａ〜９０ｇは上下に配列されて、隣接するギヤ同士が互いに噛合するように構成され、左側のカバー９２に前側から覆われている。
【０１０１】
第１，第２，第３従動ギヤ９０ｅ，９０ｆ，９０ｇには、夫々、盤面と平行な方向であって軸心方向に延びる筒部９６ａ，９６ｂ，９６ｃが一体形成され、これらの筒部９６ａ，９６ｂ，９６ｃが、夫々、第１，第２，第３可動表示役物７６，７７，７８の役物基部材７６Ｚの中心軸部７６ｅに外嵌固定されるとともに、側面板７９ｃに形成された前方開放状のＵ字状の切欠部（図示略）に回転自在に係合支持されている。切欠部の前面はカバー９２により閉塞されている。これにより、電動モータ８９の駆動力が、ギヤ機構９０を介して第１，第２，第３可動表示役物７６，７７，７８に伝達されて、第１，第２，第３可動表示役物７６，７７，７８を盤面と平行な軸心回りに同期して回転させる。
【０１０２】
ランプ制御基板３５のコンピュータは、そのＲＯＭに格納された表示位置切換え制御プログラムに従って、演出制御基板３３からの制御指令情報と位置検出センサ（図示略）からの第１，第２，第３可動表示役物７６，７７，７８の位置検出情報とに基づいて電動モータ８９を制御して、第１，第２，第３可動表示役物７６，７７，７８の表示位置を択一的に切り換える制御処理を行う。
【０１０３】
第１，第２，第３可動表示役物７６，７７，７８は上下方向に僅かな隙間を空けて並設されており、第１，第２，第３可動表示役物７６，７７，７８が第１〜第３の表示位置の何れかの表示位置に回転停止したときに、３つの第１の表示面７２Ａ，７３Ａ，７４Ａで表示される図形「□」の表示態様Ａ、３つの第２の表示面７２Ｂ，７３Ｂ，７４Ｂで表示される図形「△」の表示態様Ｂ、３つの第３の表示面７２Ｃ，７３Ｃ，７４Ｃで表示される図形「○」の表示態様Ｃが、夫々、表示面７２Ｙ，７３Ｙ，７４Ｙの間の隙間により分断された状態で表示される。
【０１０４】
第１，第２，第３可動表示役物７６，７７，７８の前側には２つのカバー部材８２が配設されている。カバー部材８２は、盤面と平行な左右方向に延びてその左右両端部がカバー９２，９３に固定されている。２つのカバー部材８２は、夫々、第１，第２，第３可動表示役物７６，７７，７８の上下３つの表示面７２Ｙ，７３Ｙ，７４Ｙの間の隙間を前側から覆い隠すために、その隙間に対応する位置に配置され、その隙間に沿って延びるバー状に形成されている。
【０１０５】
図１７に示すように、カバー部材８２により第１の表示面７２Ａ，７３Ａ，７４Ａの間の隙間により分断された部分が隠されることで、図形「□」の表示態様Ａが３つの第１の表示面７２Ａ，７３Ａ，７４Ａに亙って連続的に繋がっているように視せることができる。同様に、図２０、図２３に示すように、カバー部材８２により第２又は第３の表示面７２Ｂ，７３Ｂ，７４Ｂ、７２Ｃ，７３Ｃ，７４Ｃの間の隙間により分断された部分が隠されることで、図形「△」の表示態様Ｂ、図形「○」の表示態様Ｃが３つの第２又は第３の表示面７２Ｂ，７３Ｂ，７４Ｂ、７２Ｃ，７３Ｃ，７４Ｃに亙って連続的に繋がっているように視せることができる。
【０１０６】
以上説明した可動表示役物装置２２の作用・効果について説明する。
図３、図１７、図１８に示すように、通常時には、第１，第２，第３可動表示役物７６、７７、７８がセンタ役物１６の下部の前側に待機している。たとえば、始動条件の成立により行われる大当り抽選の結果に基づいて、遊技者に大当りが行われる可能性があることを示唆又は報知する際、図４、図２０、２１に示すように、ベース部材７９と共に、第１，第２，第３可動表示役物７６、７７、７８が待機位置から作動位置へ上昇移動し、第１，第２，第３可動表示役物７６、７７、７８が同期して回転し、第１〜第３の表示位置の何れかの表示位置に回転停止する。
【０１０７】
従来の回転役物を有する可動役物装置では、３つの回転役物が左右方向に僅かな隙間を空けて並設されているので、その隙間が視えることによって、３つの回転役物の表示面が分断されていることが視て判ることになるため、例えば、停止している３つの表示面に亙って同一図柄を表示させる場合等、その表示が連続的に１つに繋がっているように視えないので、その表示に対して視覚効果が低下する。
【０１０８】
本発明の可動表示役物装置２２は、３つの表示面７２Ｙ，７３Ｙ，７４Ｙを夫々有する第１，第２，第３可動表示役物７６，７７，７８が第１〜第３の表示位置の何れかの表示位置で停止したときに、第１，第２，第３可動表示役物７６，７７，７８の前向きにして上下に並べた３つの表示面７２Ｙ，７３Ｙ，７４Ｙの間の隙間の前側に設けられ、その隙間をカバーするように前記隙間に沿って延びるカバー部材８２を備えたので、３つの表示面７２Ｙ，７３Ｙ，７４Ｙが連続的に１つに繋がったように視えるため、そこに表示される表示態様も同じく繋がったように視え、３つの可動表示役物７６，７７，７８による表示に対して視覚効果を高めることができる。
【０１０９】
第１，第２，第３可動表示役物７６，７７，７８を夫々回動自在に支持するベース部材７９を備え、ベース部材７９にカバー部材８２を設けたので、カバー部材８２を取り付けるための部材を別途設ける必要がなく、ベース部材７９を有効活用して、カバー部材８２を簡単に且つ容易に取り付けることができる。
【０１１０】
役物駆動手段８１は、第１，第２，第３可動表示役物７６，７７，７８の第１の表示面７２Ａ，７３Ａ，７４Ａ同士を前向きにして上下に並べた第１の表示位置と、第２の表示面７２Ｂ，７３Ｂ，７４Ｂ同士を前向きにして上下に並べた第２の表示位置と、第３の表示面７２Ｃ，７３Ｃ，７４Ｃ同士を前向きして上下に並べた第３の表示位置とに択一的に切換え可能であるので、遊技状態に応じて種々の表示を択一的に行って、第１，第２，第３可動表示役物７６，７７，７８による演出効果を高めることができる。
【０１１１】
従来の回転役物を有する可動役物装置では、回転役物の内部に複数のＬＥＤ及びＬＥＤ基板が設けられているので、静止側部材に取り付けられた支持ケースを回転役物の内部に挿入し、複数のＬＥＤの光が前方へ向けた回転役物の表示面に後側から照射されるようにＬＥＤ基板を支持ケースに固定し、更に、その支持ケースやＬＥＤ基板と干渉しないように回転役物を回転可能に支持及び駆動する機構を設ける必要がある。要するに、ＬＥＤ及びＬＥＤ基板を配置する為の構造、回転役物を回転させる為の構造が複雑になる。
【０１１２】
ここで、回転役物の後側に複数のＬＥＤを実装したＬＥＤ基板を配設した場合、複数のＬＥＤからの光が回転役物の表面に形成された凹凸のある図柄や文字等からなる装飾部により光源側へ反射されるため、回転役物の内部から前方へ向く表示面を明るく均一に発光させることができない可能性がある。
【０１１３】
本発明の可動表示役物装置２２は、第１，第２，第３可動表示役物７６，７７，７８の後側に、第１，第２，第３可動表示役物７６，７７，７８に向けて光を照射可能な複数のＬＥＤ群９５Ａ，９５Ｂ，９５Ｃを設け、第１，第２，第３可動表示役物７６，７７，７８の周壁７６Ｘ，７７Ｘ，７８Ｘに、各ＬＥＤ群９５Ａ，９５Ｂ，９５Ｃの複数のＬＥＤ９５ａ，９５ｂ，９５ｃからの光を周壁７６Ｘ，７７Ｘ，７８Ｘの内側に導入する光導入部７６Ｆ，７７Ｆ，７８Ｆを設け、周壁７６Ｘ，７７Ｘ，７８Ｘの内側に導入された光が前方へ向けた表示面７２Ｙ，７３Ｙ，７４Ｙに後側から照射されるように構成したので、第１，第２，第３可動表示役物７６，７７，７８の後側にＬＥＤ群９５Ａ，９５Ｂ，９５Ｃを設けても、周壁７６Ｘ，７７Ｘ，７８Ｘの内側から前方へ向く上下に並べた３つの表示面７２Ｙ，７３Ｙ，７４Ｙを明るく均一に発光させることができるから、可動表示役物を回動させる為の構造、可動表示役物の表示面を発光させる為の構造を簡単化することができる。
【０１１４】
第１可動表示役物７６は、夫々、３つの表示面７２Ａ，７２Ｂ，７２Ｂを形成する三角筒状の周壁７６Ｘを有し、周壁７６Ｘのうち３つの表示面７２Ａ，７２Ｂ，７２Ｃの境界となる３つの角部分に、中心軸と平行方向へ細長い３つの光導入部７６Ｆを夫々形成したので、ＬＥＤ群９５の複数のＬＥＤ９５ａからの光を周壁７６Ｘの内側に確実に入射させることができる。また、第２可動表示役物７７，第３可動表示役物７８の周壁７７Ｘ，７８Ｘにも、光導入部７７Ｆ，７８Ｆを形成したので、光導入部７７Ｆ，７８ＦによりＬＥＤ群９５Ｂ，９５Ｃの複数のＬＥＤ９５ｂ，９５ｃからの光を周壁７７Ｘ，７８Ｘの内側に確実に入射させることができる。
【０１１５】
可動表示役物装置２２を部分的に変更する例について説明する。
［１］３つの可動表示役物７６，７７，７８を左右方向に直列状に僅かな隙間を空けて並設してベース部材７９に回転自在に支持し、表示位置にある複数の可動表示役物７６，７７，７８の表示面の間の隙間をカバーするカバー部材をその隙間に沿って設けてもよい。
【０１１６】
［２］実施例では、３つの可動表示役物７６，７７，７８を設けたが、４つ以上の可動表示役物を設けてもよく、この場合、設けられた可動表示役物の数に応じて、表示位置にある複数の可動表示役物の表示面の間の複数の隙間に沿って複数のカバー部材を設ける。また、２つの可動表示役物を上下方向に僅かな隙間だけ空けて並設し、表示位置にある２つの可動表示役物の表示面の間の１つの隙間に沿って１つのカバー部材を設けてもよい。
【０１１７】
［３] ２つの可動表示役物を設け、一方の可動表示役物が、センタ役物１６の上部の前側（又は上部の後側に隠れた位置）近傍部位（待機位置）と液晶表示装置１７の画面中央付近の前側（作動位置）に亙って盤面と平行な方向であって上下方向に移動可能に設けられ、他方の可動表示役物が、センタ役物１６の下部の前側（又は下部に後側に隠れた位置）（待機位置）と液晶表示装置１７の画面中央付近の前側（作動位置）に亙って盤面と平行な方向であって上下方向に移動可能に設け、これら２つの可動表示役物が作動位置のときに（２つの可動表示役物が合体した状態）、２つの可動表示役物の表示面の間の隙間に対応する位置に、カバー部材を設けてもよい。
【０１１８】
［４］周壁を、三角筒状以外の多角筒状（例えば四角筒状、五角筒状や六角筒状等）に形成してもよい。この場合、３つの可動表示役物を回転可能な距離をあけて上下方向に配設するものとし、可動表示役物の後側において、可動表示役物が回転停止したときに、前方を向く表示面に対向する光導入部に対応する位置にＬＥＤ基板を配設し、３つの表面間の隙間に対応するようにカバー部材の上下幅を調整するものとする。
【０１１９】
［５］光拡散部を有するシート部材を省略して、光拡散部をインモールド成形等の射出成形により周壁に一体形成してもよい。
［６] 光導入部の外面や内面に光を拡散する為の複数の凹凸を形成してもよい。
【０１２０】
●［回転役物装置］
パチンコ遊技機１は回転役物装置２３（所定の役物に相当する）を備えている。
この回転役物装置２３は、液晶ベース３００（図７４〜図８０参照）に固定される透明な合成樹脂製の基盤部材１０１に装備されている。液晶ベース３００の後面壁３０６には、液晶画像表示器１７の画面に対応する画面開口３０８ａが形成されて、その後面壁３０６に液晶画像表示器１７が固定され、液晶ベース３００の外周壁３０１内に装着固定された基盤部材１０１は、ほぼ正方形状の外形と円形開口部１０１ａとを有する。
【０１２１】
回転役物装置２３を初期状態（原点状態）にした状態を例にして説明すると、回転役物装置２３は、図２７〜図３３に示すように、役物としての回転自在の回転リング１１０（回転役物本体、ベース部材、回転体）と、この回転リング１１０に装備された４つの可動役物１３０（第１演出部）と、４つの可動役物１３０に装備された４つの回転役物１５０（第２演出部）と、回転リング１１０を回転駆動可能な回転リング駆動機構１２０と、下部の２つの可動役物１３０と上部の２つの可動役物１３０を夫々揺動駆動可能な上下１対の揺動駆動機構１４０と、４つの可動役物１３０に夫々装備された４つの回転役物１５０を同期回転するように回転駆動可能な回転役物駆動機構１６０とを備えている。
可動役物１３０が「可動役物手段」に相当し、揺動駆動機構１４０が「駆動手段」に相当する。同時に、回転役物１５０が「可動役物手段」に相当し、回転役物駆動機構１６０が「駆動手段」に相当する。
【０１２２】
回転リング１１０は、遊技機１の前面側に配置され、画像表示器１７の画面の外周側領域の前方近傍位置に配置されている。この回転リング１１０は、背面側の環状ベース部１１１と、この環状ベース部１１０の外周近傍部から前方へ突出状に一体形成された筒状部１１２と、この筒状部１１２の前端部に内嵌されて環状ベース部１１１の前面側を覆う環状の前面カバー１１３と、筒状部１１２よりも外側へ突出するように環状ベース部１１１に一体形成された環状鍔部１１４と、環状ベース部１１１の背面側部分の外周部に形成された全周に亙るリングギヤ部１１５とを備えている。前面カバー１１３は複数のビス１０６で環状ベース部１１１に形成された複数のボス部１１１ａに固定される。
【０１２３】
回転リング１１０の下部を保持するように案内支持する左右１対のガイドローラ１０２と、上部を保持するように案内する左右１対のガイドローラ１０３と、左右１対のガイドローラ１０２の間において下部を保持するように案内するガイドローラ１０４と、後述する原点検出サンセ１７３の近傍部位において回転リング１１０を保持するように案内するガイドローラ１０５が基盤部材１０１に装備されている。
【０１２４】
図４６に示すように、ガイドローラ１０２は、前後方向向きの金属製の軸部材１０２ａと、この軸部材１０２ａに回転自在に装着された合成樹脂製の前後１対の円板部１０２ｂと、これら円板部１０２ｂの間で軸部材１０２ａに回転自在に外嵌された金属製の小径筒体１０２ｃとを有し、前後１対の円板部１０２ｂで環状鍔部１１４の前後方向位置を規制し、小径筒体１０２ｃで回転リング１１０の環状鍔部１１４の外周面を回転自在に支持している。ガイドローラ１０２の外側約半分は、基盤部材１０１と、基盤部材１０１にビスで固定された合成樹脂製のローラケース１０２ｄ内に収容され、軸部材１０２ａの後端部は基盤部材１０１の軸穴１０２ｅで支持され、軸部材１０２ａの前端部はローラケース１０２ｄの蓋部の軸穴１０２ｆで支持されている。
【０１２５】
図４７に示すように、ガイドローラ１０３は、前後方向向きの金属製の軸部材１０３ａと、この軸部材１０３ａに回転自在に装着された合成樹脂製のカイド輪１０３ｂであって前後１対の円板部と小径筒部を一体形成したカイド輪１０３ｂとを有し、カイド輪１０３ｂの１対の円板部で回転リング１１０の環状鍔部１１４の前後方向位置を規制している。ガイドローラ１０４，１０５も上記と同様の構造である。
【０１２６】
ガイドローラ１０３の外側約半分は、基盤部材１０１にビスで固定された合成樹脂製のローラケース１０３ｃとその蓋板１０３ｄ内に収容され、軸部材１０３ａの後端部は基盤部材１０１の軸穴１０３ｅで支持され、軸部材１０３ａの前端部は蓋板１０３ｄの軸穴１０３ｆで支持されている。
【０１２７】
尚、図４５に示すように、ガイドローラ１０４のローラケースは、複数の信号線を案内する深溝状の信号線案内溝１０４ａを形成する溝形成部材１０４ｂであって基盤部材１０１にビスで固定された溝形成部材１０４ｂで構成され、信号線案内溝１０４ａには複数の信号線が導入されている。尚、ガイドローラ１０５のローラケースについては、ガイドローラ１０３とほぼ同様であるが、原点検出サンセ１７３を説明する際に後述する。
【０１２８】
回転リング駆動機構１２０は基盤部材１０１の左側下隅部に装備されている。
図２７，図２８，図３０，図３１，図３３，図３４に示すように、回転リング駆動機構１２０は、電動モータ１２１（ステッピングモータ）と、この電動モータ１２１の出力軸に固定されたピニオン１２２と、このピニオン１２２に噛合したギヤ１２３と、このギヤ１２３と同軸一体のギヤ１２４と、このギヤ１２４に噛合したギヤ１２５と、このギヤ１２５と同軸一体のギヤ１２６であって前記回転リング１１０のリングギヤ部１１５に噛合したギヤ１２６とを備え、ギヤ１２６からリングギヤ部１１５に回転駆動力を伝達してリングギヤ部１１５を時計回り方向へ回転させたり、反時計回り方向に回転させたりすることが可能に構成してある。
【０１２９】
前記可動役物１３０（可動役物手段）は緩湾曲状の刀剣を模したもので、回転リング１１０の半径にほぼ等しい長さを有する。４つの可動役物１３０の外周側端部（基端部）は、回転リング１１０の環状ベース部１１１の円周４等分位置に配置され、各可動役物１３０の基端部が回転リング１１０の環状ベース部１１１に装備した前後方向向きの枢支軸１３５に揺動可能（回動可能）に連結されている。４つの可動役物１３０は、同一の鉛直面内に配置されている。尚、対角関係にある第１群の可動役物１３０ａ，１３０ｃ（右下側の可動役物と左上側の可動役物）と、別の対角関係にある第２群の可動役物１３０ｂ，１３０ｄ（左下側の可動役物と右上側の可動役物）は全て共通の構造であるため、区別して説明する必要がない限り、第１，第２群の可動役物１３０ａ〜１３０ｄを可動役物１３０と総称する。
【０１３０】
図３５，図３６，図３８，図３９，図４４に示すように、可動役物１３０は、前面部材１３１と、背面部材１３２と、これらの内部に収容された薄い反射板（図示略）と基板１３３と基板１３３に装備されたギヤ列１３４とを有する。前面部材１３１は透明合成樹脂製であるが、前面部材１３１の後面（内面）には断面波形の光拡散レンズ（図示略）が形成され、この光拡散レンズの裏面側に多数の小凸部を有する反射板が配置されている。この前面部材１３１の先端側約３／４部分の外周部には数ｍｍ幅の光拡散部であって表面を三角波面に形成した光拡散部１３０ｅが突出状に形成されている。
【０１３１】
前記基板１３３には複数のＬＥＤ（図示略）が装着されており、これらＬＥＤから発したカラー光が反射板と光拡散レンズにより前方へ拡散され、光拡散部１３０ｅにより前方へ拡散される。尚、基板１３３に装備されたギヤ列１３４は、後述の回転役物駆動機構１６０に属するものである。
【０１３２】
次に、可動役物１３０を揺動駆動可能な揺動駆動機構１４０について説明する。
下側の１対の可動役物１３０ａ，１３０ｂを同期して揺動駆動する共通の１つの揺動駆動機構１４０と上側の１対の可動役物１３０ｃ，１３０ｄを同期して揺動駆動する共通の１つの揺動駆動機構１４０は、回転リング１１０の中心に対して点対称のものであるので、下側の揺動駆動機構１４０を例にして説明する。これら両駆動機構１４０において同一部材に同一符号をつける。
【０１３３】
図２８，図３５，図３６，図３８，図３９に示すように、この揺動駆動機構１４０は、回転リング１１０の環状ベース部１１１の下部の内周部に沿う円弧部材１４１と、この円弧部材１４１の長さ方向中央部に形成された円弧状のラック部１４１ａと、このラック部１４１ａに噛合したギヤ１４２と、このギヤ１４２に噛合するギヤ１４３と、このギヤ１４３と同軸一体に形成したギヤ１４４と、このギヤ１４４に噛合するピニオン１４５と、このピニオン１４５を駆動する電動モータ１４６（ステッピングモータ）とを備え、ピニオン１４５は電動モータ１４６の出力軸に固定されている。尚、上記の揺動駆動機構１４０は回転リング１１０の環状ベース部１１１に装備してある。
【０１３４】
前記円弧部材１４１は、回転リング１１０の内周面より内側に突出する内側円弧部１４１ｂと、この内側円弧部１４１ｂの外周側に一体形成された第１，第２外側円弧部１４１ｃ，１４１ｄとを有する。第１外側円弧部１４１ｃは左端側部分に形成され、第２外側円弧部１４１ｄは右端側部分に長く形成され、これら第１，第２外側円弧部１４１ｃ，１４１ｄは環状ベース部１１１の支持壁１１１ｂ（図２８，図３７参照）の前面に摺接して後方移動しないように規制されている。前記ラック部１４１ａは、内側円弧部１４１ｂの長さ方向中央部の外面部に形成されている。
【０１３５】
図２７，図２８，図３５〜図３７に示すように、第１外側円弧部１４１ｃに１つのガイド部１４７が形成され、第２外側円弧部１４１ｄには２つのガイド部１４７が形成されて、円弧部材１４１が周方向へ所定距離移動自在にガイドされている。
【０１３６】
図３７に示すように、ガイド部１４７は、第１又は第２外側円弧部１４１ｃ，１４１ｄに形成された段部１４１ｆのついた円弧穴１４１ｅと、環状ベース部１１１の支持壁１１１ｂに突設されて円弧穴１４１ｅに挿入された２本のピン部１１１ｈと、これらピン部１１１ｈに夫々円弧穴１４１ｅ内で回転自在に装着された２つのローラ１４８と、２つのピン部１１１ｈの先端部を凹部１４９ａに係合させた状態で２つのローラ１４８の外面側を押える長円形の押え片１４９と、この押え片１４９を２つのピン部１１１ｈに固定する２つのビス１４９ａとを有する。
【０１３７】
可動役物１３０の基端部の近傍部位のうち、前記枢支軸１３５から先端側へ小距離離隔した部位の右側部には突出片１３６が一体形成され、この突出片１３６にはヘ字形のカム穴１３６ａが形成され、円弧部材１４１の右端部に一体形成したピン部１４１ｇがカム穴１３６ａに挿通されて、可動役物１３０が円弧部材１４１に連動連結されている。
【０１３８】
図３６に示すように、前記揺動駆動機構１４０の電動モータ１４６とギヤ１４２〜１４４及びピニオン１４５によりラック部１４１ａを駆動し、円弧部材１４１を最大限右方へ移動させると、ピン部１４１ｇが突出片１３６を右方へ押し、図２７〜図２９，図３３及び図３５に示すように、枢支軸１３５を揺動中心として可動役物１３０が回転リング１１０の内側空間部の内側方向（中心側部分）へ進出した作動位置（進出位置）になる。このとき、円弧部材１４１の右端部が、環状ベース部１１１のストッパ部１１１ｃ（図２８参照）で受け止められて位置規制される。
【０１３９】
可動役物１３０が作動位置（進出位置）になった状態では、可動役物１３０の先端が回転リング１１０の内側空間部の中心寄り部位に位置し、その可動役物１３０に装備された回転役物１５０が回転リング１１０の内側空間部において回転可能な状態になる。
上記とは反対に、揺動駆動機構１４０により円弧部材１４１を最大限左方へ移動させると、ピン部１４１ｇが突出片１３６を左方へ押し、図３０〜図３２，図３８及び図３９に示すように、枢支軸１３５を揺動中心として可動役物１３０が回転リング１１０に接近するように揺動して先端部を除く大部分が回転リング１１０の前面カバー１１３の背面側に退避した退避位置になる。
【０１４０】
次に、回転役物１５０について説明する。
４つの回転役物１５０は、対角関係にある第１群の回転役物１５０Ａが第１群の可動役物１３０ａ，１３０ｃの前面側に夫々装備され、別の対角関係にある第２群の回転役物１５０Ｂが第２群の可動役物１３０ｂ，１３０ｄの背面側（後面側）に装備されている。以下、区別して説明する必要がない限り、第１，第２群の回転役物１５０Ａ，１５０Ｂを回転役物１５０と総称する。
【０１４１】
図２７〜図２９、図３３及び図３５に示すように、４つの可動役物１３０を作動位置にした状態で、４つの回転役物１５０を自転回転させる際には、周方向に隣接する回転役物１５０の回転空間が部分的に前後方向にラップする関係上、上記のように、第１群の回転役物１５０Ａと第２群の回転役物１５０Ｂが干渉しないように、第１群の回転役物１５０Ａを可動役物１３０ａ，１３０ｃの前面側に装備し、第２群の回転役物１５０Ｂを可動役物１３０ｂ，１３０ｄの背面側に装備してある。
【０１４２】
図４０〜図４３に示すように、回転役物１５０は、刀剣を振り回した際の刀剣の残像を模する光反射性能に優れるものである。回転役物１５０は、緩湾曲状の暗色のアーム体１５１と、このアーム体１５１の一端部に装備された三日月形の第１反射部材１５２と、アーム体１５１の他端部に装備された２つの三日月形を一体化した第２反射部材１５３とを備えている。第２反射部材１５３は第１反射部材１５２よりも幾分小型のもので、回転役物１５０が展開状態のとき、第１，第２反射部材１５２，１５３は、湾曲内側を対向させた状態になる。尚、第１，第２反射部材１５２，１５３の全面にメタリックの被膜が形成されている。
【０１４３】
第１群の２つの回転役物１５０Ａは回転リング１１０の中心に対して点対称であり、第２群の２つの回転役物１５０Ｂは回転リング１１０の中心に対して点対称である。最初に、第１群の回転役物１５０Ａを例にして説明する。
【０１４４】
図４０〜図４２に示すように、アーム体１５１は、前後に重ね合せ且つ長さ方向に相対移動可能に係合させた第１，第２アーム部材１５４，１５５からなる。第１アーム部材１５４の一端部には軸穴付きのボス部１５４ａが形成され、第１アーム部材１５４の他端近傍部には軸穴付きのボス部１５４ｂが形成され、第１アーム部材１５４の長さ方向中間部には後方へ水平に延びる軸部１５４ｃが形成され、第１アーム部材１５４の他端部には引っ張りバネ１５６を連結するフック１５４ｄが形成されている。
【０１４５】
第２アーム部材１５５の一端部と他端部には段付きの長穴１５５ａ，１５５ｂが形成され、長さ方向中間部には軸部１５４ｃを挿通させる長穴１５５ｃが形成され、この長穴１５５ｃの端部付近には後方へ突出する１対の円弧状のスペーサ１５５ｄが突設され、一端側の長穴１５５ａの側方部位には前面開放の第１係合溝１５５ｇを有する第１係合部１５５ｆが形成され、他端側の長穴１５５ｂの側方部位には前面開放の第２係合溝１５５ｉを有する第２係合部１５５ｈと、引っ張りバネ１５６を連結するフック１５５ｅが形成されている。尚、前記スペーサ１５５ｄはアーム体１５１と可動役物１３０ａ，１３０ｃの間の間隔を規制するものである。
【０１４６】
第１反射部材１５２の背面には、ボス部１５４ａに挿入される軸部１５２ａと、第１係合溝１５５ｇに係合されるピン部１５２ｂが後方へ突出状に形成されている。第２反射部材１５３の背面には、ボス部１５４ｂに挿入される軸部１５３ａと、第２係合溝１５５ｉに係合されるピン部１５３ｂが形成されている。
【０１４７】
第１アーム部材１５４の軸部１５４ｃを第２アーム部材１５５の長穴１５５ｃに挿通させ、一端側のボス部１５４ａに軸部１５２ａを挿入した状態で、ボス部１５４ａを長穴１５５ａに挿入し、第２アーム部材１５５の背面側で長穴１５５ａに係合させた円形の案内具１５７ａをビス１５８ａにより軸部１５２ａの後端に結合し、ピン部１５２ｂを第１係合溝１５５ｇに係合してある。尚、第１アーム部材１５４の軸部１５４ｃは、可動役物１３０ａ，１３０ｃ内のギヤ列１３４の終端ギヤ１３４ｈのギヤ軸に固定される。
【０１４８】
第２反射部材１５３の軸部１５３ａを第１アーム部材１５４の他端側のボス部１５４ｂに挿入した状態で、ボス部１５４ｂを長穴１５５ｂに挿入し、第２アーム部材１５５の背面側で長穴１５５ｂに係合させた円形の案内具１５７ｂをビス１５８ｂにより軸部１５３ａの後端に結合し、ピン部１５３ｂを第２係合溝１５５ｉに係合してある。そして、フック１５４ｄとフック１５５ｅには引っ張りバネ１５６の両端部を連結してボス部１５４ａ，１５４ｂが長穴１５５ａ，１５５ｂの図４１における右端に位置するように第２アーム部材１５５に対して第１アーム部材１５４を弾性付勢している。こうして、第１，第２反射部材１５２，１５３を回転作動させる展開状態のとき、第１，第２反射部材１５２，１５３を図４１に示すようにほぼ平行状に対向させている。
【０１４９】
可動役物１３０ａ，１３０ｃを退避位置に保持し、回転役物１５０Ａを収納状態にしたとき、第１反射部材１５２は正面視にて反時計回り方向へ大きく回動し、第２反射部材１５３が時計回り方向へ大きく回動して、図３０，図４２に示すように第１，第２反射部材１５２，１５３がアーム体１５１を延長したような湾曲形状になる。
【０１５０】
可動役物１３０ａ，１３０ｃを退避位置にするのと並行して、回転役物１５０Ａを収納状態に切換えるため、第１反射部材１５２の一端部（アーム体１５１の湾曲の凸側に対応する一端部）には操作用ピン１５２ｃが後方向きに突設されている。
【０１５１】
操作用ピン１５２ｃをアーム体１５１に接近する方向へ操作すると、第１反射部材１５２のピン側半分はアーム体１５１に接近し、ピン部１５２ｂを中心にしてビス１５８ａと案内具１５７ａが長穴１５５ａに沿って第２反射部材１５３側へ移動するため、図４２に示すように、第１，第２アーム部材１５４，１５５は引っ張りバネ１５６が延びる方向へ相対移動し、第２反射部材１５３は第２係合部１５５ｈがピン部１５３ｂを第１反射部材１５２側へ押動するため、第２反射部材１５３の係合部側の一部がアーム体１５１に接近し、第１，第２反射部材１５２，１５３がアーム体１５１と連なるような湾曲形状に大きく展開した状態になる。
【０１５２】
可動役物１３０を退避位置に切換えるのに並行して、回転役物１５０Ａの操作用ピン１５２ｃを操作するための役物操作部と、第１，第２反射部材１５２，１５３の一部を収容する収容部について説明する。
【０１５３】
図２７，図３０，図３１に示すように、第１群の可動役物１３０ａ，１３０ｃを退避位置に切換え、その回転役物１５０Ａを収納状態に切換えた際に、第２反射部材１５３の一部を収容する小収容部１１３ｂと第１反射部材部材１５２の一部を収容する大収容部１１３ａが前面カバー１１３にその内周面よりも外周側に凹設されている。
【０１５４】
大収容部１１３ａの内周縁には、前面カバー１１３の内周面よりも僅かに内側へ突出し且つその突出量が時計回り方向に漸増する役物操作部１１３ｃが形成されている。
可動役物１３０ａ，１３０ｃが退避位置に移動する際に回転役物１５０Ａの操作用ピン１５２ｃを役物操作部１１３ｃ（役物誘導部）で受止め操作することで、回転役物１５０Ａを展開状態から収納状態に切換え、大収容部１１３ａに第１反射部材１５２の一部をまた小収容部１１３ｂに第２反射部材１５３の一部を収容する。尚、可動役物１５０Ａを退避位置に切換える前に、回転役物１５０Ａを原点位置に切換えて停止させておくものとする。
【０１５５】
第２群の回転役物１５０Ｂは、次の点で第１群の回転役物１５０Ａと相違し、その他の構成は同じである。図４３に示すように、この回転役物１５０Ｂは、可動役物１３０ｂ，１３０ｄの背面側に配置されるため、第１アーム部材１５４の前面の長さ方向中間部に軸部１５４ｃとスペーサ１５４ｅが突設され、可動役物１３０ｂ，１３０ｄ内の終端ギヤ１３４ｈのギヤ軸が軸部１５４ｃに直接固定される。尚、スペーサ１５４ｅは、アーム体１５１と可動役物１３０ｂ，１３０ｄとの間の間隔を規制するものである。
【０１５６】
第１群の回転役物１５０Ａと同様に、第２群の可動役物１５０Ｂを退避位置に切換え、その回転役物１５０Ｂを収納状態に切換えた際に、第２反射部材１５３の一部を収容する小収容部１１１ｅと第１反射部材部材１５２の一部を収容する大収容部１１１ｄが環状ベース部１１１にその内周面よりも外径側に形成されている（図２８参照）。
【０１５７】
大収容部１１１ｄの内周縁には、環状ベース部１１１の内周面よりも僅かに内側へ突出し且つその突出量が時計回り方向に漸増する役物操作部１１１ｆ（役物誘導部に相当する）が形成されている。可動役物１３０ｂ，１３０ｄが退避位置に移動する際に回転役物１５０Ｂの操作用ピン１５２ｃを役物操作部１１１ｆで受止め操作することで、回転役物１５０Ｂを収納状態に切換え、大収容部１１１ｄに第１反射部材１５２の一部をまた小収容部１１１ｅに第２反射部材１５３の一部を収容する。尚、可動役物１３０ｂ，１３０ｄを退避位置に切換える前に、回転役物１５０Ｂを原点位置に切換えて停止させておくものとする。
【０１５８】
次に、回転役物駆動機構１６０について説明する。
この回転役物駆動機構１６０は、１つの電動モータ１６３の駆動力で４つの回転役物１５０を同期回転させるように構成してある。
【０１５９】
図２９，図３２，図３３，図３８，図３９，図４４に示すように、環状ベース部１１１の背面側に全周に亙るリングギヤ１６１であって外歯付きのリングギヤ１６１が回転可能に設けられ、このリングギヤ１６１の内周部は環状ベース部１１１のリング状案内部１１１ｇに近接し、リングギヤ１６１の前面と背面には、夫々、摺動抵抗低減用の内外２本の小さな環状突条１６１ａが形成されている。リングギヤ１６１の背面側に円弧形の４枚の押え板１７０が円周４等分位置に配置されて、回転リング１１０にビス１７１で固定され、リングギヤ１６１の背面の２本の環状突条１６１ａが押え板１７０に低摩擦で接触して前後方向位置が規制されている。
【０１６０】
図４４に示すように、前記リングギヤ１６１を回転駆動するギヤ駆動部１６２は、環状ベース部１１１の前面の右下部位に装備された電動モータ１６３（ステッピングモータ）と、環状ベース部１１１の背面側において電動モータ１６３の前後方向向きの出力軸に固定されたギヤ１６４と、このギヤ１６４に噛合したギヤ１６５と、このギヤ１６５と同軸一体に形成されたギヤ１６６であってリングギヤ１６１に噛合したギヤ１６６とを有する。
【０１６１】
前記リングギヤ１６１の回転力を４つの回転役物１５０に夫々伝達する４つの回転役物駆動部１６７について説明する。これら回転役物駆動部１６７は同構造であるため、１つの回転役物駆動部１６７について説明する。回転役物駆動部１６７は、可動役物１３０を枢支する枢支軸１３５に回転自在に装着され且つリングギヤ１６１に噛合したギヤ１６８と、可動役物１３０の内部に収容された８つのギヤ１３４ａ〜１３４ｈからなるギヤ列１３４とを有する。ギヤ列１３４の先頭ギヤ１３４ａはギヤ１６８に噛合され、ギヤ列１３４の終端ギヤ１３４ｈのギヤ軸が第１アーム部材１５４又は第２アーム部材１５５に固着されている。
【０１６２】
回転リング１１０の回転位相が任意の位相にあっても、リングギヤ１６１の回転駆動力は回転役物駆動部１６７を介して回転役物１５０に伝達され、回転役物１５０が回転駆動される。リングギヤ１６１は時計回り方向と、反時計回り方向の所望の方向に回転駆動可能である。それ故、回転役物１５０の回転方向も、時計回り方向と、反時計回り方向の所望の方向に回転駆動可能である
【０１６３】
次に、回転役物装置２３に関連するその他の機器や機構について説明する。
図２７，図２８に示すように、環状ベース部１１１の前面側には、複数の電動モータや複数のＬＥＤを駆動制御するための３つの基板１７２が装着されている。
基盤部材１０１の左下部には、回転リング１１０の原点位置を検出する光学センサ（フォトインタラプタ）からなる原点検出センサ１７３（回転リング原点検出手段）が装着され、回転リング１１０の筒状部１１２には原点位置検出用の光遮断片１１２ａが突設され、光遮断片１１２ａが原点検出センサ１７３に合致した位置が原点位置である。
【０１６４】
前記ガイドローラ１０５は原点検出センサ１７３の後方近傍に装着され、ガイドローラ１０５で回転リング１１０の環状鍔部１１４の前後方向位置を規制するため、原点検出センサ１７３の位置で光遮断片１１２ａの前後方向位置が正規位置に規制されるため、原点検出センサ１７３による原点検出性能を確保することができる。
【０１６５】
図４８，図４９に示すように、ガイドローラ１０５の外側約半分は、基盤部材１０１に固定された合成樹脂製のローラケース１０５ａ内に収容され、軸部材の後端部は基盤部材１０１の軸穴で支持され、軸部材の前端部はローラケース１０５ａの蓋部の軸穴で支持されている。また、ローラケース１０５ａの蓋部には前方へ突出する１対の基板取付け部１０５ｂが突設され、これら基板取付け部１０５ｂの内面にセンサ基板１０５ｃがビスで固定され、このセンサ基板１０５ｃの内周面側に突出するように原点検出センサ１７３が設けられている。このように、ローラケース１０５ａを有効活用して原点検出センサ１７３が取付けられている。
【０１６６】
可動役物１３０を揺動駆動する上下の揺動駆動機構１４０には可動役物１３０の揺動限界位置を検出する揺動限界位置検出手段１４０ｓが夫々設けられている。ここでは、図５０に基づいて、上側の揺動駆動機構１４０の揺動限界位置検出手段１４０ｓについて説明する。円弧部材１４１は、既述のように内側円弧部１４１ｂと、その外周部のラック部１４１ａと、第２外側円弧部１４１ｄとを有し、第２外側円弧部１４１ｄの外周部のうちのラック部１４１ａ側の端部には、前方へ突出する光遮断片１４１ｆが形成されている。基板１７２の後面には、後方へ突出する第１，第２光センサ１４１ｈ，１４１ｉ（フォトインタラプタ）が周方向に間隔を空けて装着されている。
【０１６７】
第１光センサ１４１ｈは揺動原点位置を検出するものであり、第２光センサ１４１ｉは揺動終端位置を検出するものである。可動役物１３０が退避位置に位置しているとき光遮断片１４１ｆが第１光センサ１４１ｈをオフにし、可動役物１３０が作動位置に位置したとき、光遮断片１４１ｆが第２光センサ１４１ｉをオフにする。尚、可動役物１３０が揺動終端位置に位置したとき、円弧部材１４１の端部がストッパ部１１１ｃに当接する。
【０１６８】
４つの回転役物１５０は共通の１つの回転役物駆動機構１６０によって同期回転されるが、これら４つの回転役物１５０の原点位置を検出する共通の１つの原点位置検出手段１８１について説明する。図３３，図３８，図３９，図５１に示すように、回転リング１１０の環状ベース部１１１の右部の中段やや下部には、シリアル信号をパラレル信号に変換する信号変換モジュール１８０が環状ベース部１１１の前面側に装備されている。
この信号変換モジュール１８０の下部に対応する部位において、リングギヤ１６１に噛合し且つ回転役物１５０と同期回転するギヤ１７５が設けられ、このギヤ１７５は環状ベース部１１１に回動自在に支持された軸１７４ａに固定されている。このギヤ１７５は４つの回転役物１５０の軸心から離隔した軸心を有する。
【０１６９】
ギヤ１７５の前側において、上記の軸１７４ａにギヤ１７５と同軸状の回転部材１７５ａが固定され、回転部材１７５ａはギヤ１７５と一体的に回転する（つまり、回転役物５０と同期して回転する）ように構成してある。この回転部材１７５ａの周方向の１箇所には切欠スリット１７５ｂ（被検出部）が形成されている。この回転部材１７５ａの切欠スリット１７５ｂを検出可能な光センサ１７４（フォトインタラプタ）が環状ベース部１１１に固定され、回転部材１７５ａが原点位置（回転方向原点位置）のとき、光センサ１７４が切欠スリット１７５ｂに対向して光センサ１７４がオンとなる。
【０１７０】
図２８，図２９は、４つの回転役物１５０を夫々原点位置にした状態を示し、この状態から可動役物１３０ａ，１３０ｃを退避位置に同時に切換えると、回転役物１５０Ａの操作用ピン１５２ｃが役物操作部１１３ｃで操作されて２つの回転役物１５０Ａが展開状態から収納状態に切換えられる。同様に、可動役物１３０ｂ，１３０ｄを退避位置に同時に切換えると、回転役物１５０Ｂの操作用ピン１５２ｃが役物操作部１１１ｆで操作されて２つの回転役物１５０Ｂが展開状態から収納状態に切換えられる。
【０１７１】
○［スリップリングと接触子ユニット］
次に、スリップリング１７６（環状導電部材）と接触子ユニット１７７について、図２７，図２８，図３０，図３１，図３４，図４５，図４７，図５２，図５３に基づいて説明する。３つの基板１７２に駆動信号と制御信号を伝達すると共に３つの基板１７２のアースに接続するための計３本のスリップリング１７６が回転リング１１０の筒状部１１２の外周面（外周部）に付設されている。これらのスリップリング１７６に摺接する３つの接触子１７７ａを備えた接触子ユニット１７７が、筒状部１１２の外周近傍位置に４組配置されている。
【０１７２】
回転リング１１０の筒状部１１２の外周部には３つの浅い環状溝１７６ｇが形成され、これら環状溝１７６ｇの各々に導電性と強度に優れる金属材料（例えば、リン青銅）製のスリップリング１７６が装着されている。このスリップリング１７６は薄い帯状のバンド部材１７６ａを環状溝１７６ｇに巻き付け、導入構造１７８（導入部に相当する）を介して筒状部１１２の内側へ導入してある。この導入構造１７８において、バンド部材１７６ａの一端側部分には半幅部分を残した半幅部１７６ｂが形成され、バンド部材１７６ａの他端側部分には半幅部分を残した半幅部１７６ｃが形成されている。
【０１７３】
上記の一方の半幅部１７６ｂは、環状溝１７６ｇの溝底の半幅部分に形成した開口穴１７８ａから筒状部１１２の内周側に導入されて、半幅部１７６ｂの端部に一体形成又は固着された端子部１７６ｄが、回転リング１１０の環状ベース部１１１に形成された固定ボス部１７６ｅにビスで固定されている。尚、上記の半幅部１７６ｂは、図５３に示す傾斜部ｍを介して内周側へ移行していく。
【０１７４】
他方の半幅部１７６ｃは、開口穴１７８ａよりも時計回り方向に離隔した位置で溝底の半幅部分に形成した形成した開口穴１７８ｂから筒状部１１２の内側に導入され、この半幅部１７６ｃの端部には引っ張りコイルバネ１７６ｆの一端が連結され、この引っ張りコイルバネ１７６ｆの他端が環状ベース部１１１に形成されたフック部１７６ｈに連結されている。尚、上記の半幅部１７６ｃは、図５３に示す傾斜部ｎを介して内周側へ移行していく。このように、上記引っ張りコイルバネ１７６ｆを主体とする張力付加機構により、バンド部材１７６ａに常時張力を付与した状態にして、スリップリング１７６は環状溝１７６ｇの溝底に密着する状態に形成されている。
【０１７５】
尚、傾斜部ｍ，ｎの境界部位において、接触子１７７ａとスリップリング１７６との接触が瞬間的に途切れる虞がある。尚、一方の半幅部１７６ｂの基端に対応する部位でバンド部材１７６ａの一部が開口穴１７８ａの内側へ折り曲げられている。同様に、他方の半幅部１７６ｃの基端に対応する部位でバンド部材１７６ａの一部が開口穴１７８ｂの内側へ折り曲げられている。
【０１７６】
３本のスリップリング１７６を後方のものから順に１段目スリップリング、２段目スリップリング、３段目スリップリングとする。図２８に示すように、回転リング１１０を初期状態（原点位置）にした状態で、１段目スリップリング１７６の導入構造１７８は、回転リング１１０の最頂部のやや左寄り部位に形成され、２段目スリップリング１７６の導入構造１７８は、１段目スリップリング１７６の導入構造１７８から時計回り方向に約９０°離隔した位置に形成され、３段目スリップリング１７６の導入構造１７８は、２段目スリップリング１７６の導入構造１７８から時計回り方向に約９０°離隔した位置に形成されている。
【０１７７】
２組の接触子ユニット１７７が回転リング１１０の下端側に配設され、１組の接触子ユニット１７７が回転リング１１０の左側上部に配設され、１組の接触子ユニット１７７が回転リング１１０の右側上部に配設されている。これら４組の接触子ユニット１７７は、基盤部材１０１に装備されている。４組の接触子ユニット１７７を設けるのは、接触不良に対処するためであるので、これら４組の接触子ユニット１７７からは同一の駆動信号と制御信号が供給される。しかも、回転リング１１０の回転時、４組の接触子ユニット１７７の接触子１７７ｂが何れかの導入構造１７８に遭遇するタイミングが異なるように４組の接触子ユニット１７７の取付け位置が設定されている。
【０１７８】
下端左側の接触子ユニット１７７を例にして接触子ユニットについて説明する。
図４５に示すように、接触子ユニット１７７は、合成樹脂製のユニット本体１７７ａと、このユニット本体１７７ａに基端部が固定された３つの接触子１７７ｂであって３本のスリップリング１７６に摺接する３つの接触子１７７ｂとを有する。
【０１７９】
接触子１７７ｂは弾性のある導電性金属材料（例えば、りん青銅）で構成され、接触子１７７ｂは十分な長さのあるストレート形状に形成され、緩曲線状に弾性変形させた状態でスリップリング１７６に押圧状に接触させている。接触子１７７ｂの先端には導電性と摺動性と耐摩耗性に優れる接点チップ１７７ｃが固着されている。
【０１８０】
前記ユニット本体１７７ａには、接触子１７７ｂが過度に弾性変形した際にその接触子１７７ｂをスリップリング１７６と反対側からサポートするサポート部１７７ｓが形成されている。サポート部１７７ｓは、３つの接触子１７７ｂに対応する３つのリブ１７７ｒに形成した３つのサポート面を有すると共に、前側の２本の接触子１７７ｂの前後方向位置を夫々規制する２つの規制リブ１７７ｔを有する。
【０１８１】
接触子１７７ｂの基端近傍部はサポート部１７７ｓに近接しているが、先端側に移行する程接触子１７７ｂとサポート部１７７ｓの間の間隔が拡大するように、サポート部１７７ｓの内面は傾斜面又は緩曲面状に形成されている。図４５の接触子ユニット１７７では、接触子１７７ｂがユニット本体１７７ａから時計回り（右回り）方向へ延びている。
【０１８２】
回転リング１１０の回転方向が正転、逆転の両方向であることに鑑み、左下と右上の対角関係にある接触子ユニット１７７では、接触子１７７ｂがユニット本体１７７ａから時計回り（右回り）方向へ延びるように構成され、右下と左上の対角関係にある接触子ユニット１７７では、接触子１７７ｂがユニット本体１７７ａから反時計回り（左回り）方向へ延びるように構成されている。
【０１８３】
○［モータカバー］
次に、回転リング１１０の上側と下側の揺動駆動機構１４０の電動モータ１４６に装着されるモータカバー１８４について、図２８，図５４，図５５に基づいて説明する。前記電動モータ１４６は、回転リング１１０の環状ベース部１１１の前面に取付けられているが、３つのフランジ１４６ａを環状ベース部１１１にビス止めすることで固定されている。電動モータ１４６の側部にはその外周から突出する端子収容箱１４６ｂ（付属部に相当する）が設けられている。
【０１８４】
回転リング１１０の筒状部１１２の内周面の大部分に沿って複数の信号線（ハーネス）が配線され、筒状部１１２と電動モータ１４６との間の隙間（例えば、幅５ｍｍ）には、１０〜２０本の信号線１８５が配線されている。これら信号線１８５の信号に、電動モータ１４６から発生する電磁放射ノイズでノイズが発生するのを防止し、電動モータ１４６の熱が信号線に悪影響を及ぼすのを防止するため、電動モータ１４６にワンタッチ式に装着可能なモータカバー１８４であって電動モータ１４６の外周の少なくとも一部を覆うモータカバー１８４が設けられている。
【０１８５】
このモータカバー１８４は合成樹脂材料で弾性変形可能な一体品に構成されている。
このモータカバー１８４は、電動モータ１４６の近傍の信号線１８５に臨む部分円筒状のカバー本体部１８４ａと、このカバー本体部１８４ａの周方向一端から周方向へ延びる断面円弧状の第１保持部１８４ｂと、カバー本体部１８４ａの周方向他端から周方向へ延びる断面円弧状の第２保持部１８４ｃとを備えている。カバー本体部１８４ａは円周の約１／３の周方向長さに形成されているが、この周方向長さに限るものではない。
【０１８６】
前記カバー本体部１８４ａの軸方向幅は電動モータ１４６の軸方向幅と同幅に形成され、第１，第２保持部１８４ｂ，１８４ｃの軸方向幅は電動モータ１４６の軸方向幅の半分の幅に形成され、第１，第２保持部１８４ｂ，１８４ｃは、カバー本体部１８４ａの後半部に連なるように形成されている。第１，第２保持部１８４ｂ，１８４ｃの対向端部の間に端子収容箱１４６ｂを挟む状態にしてモータカバー１８４が電動モータ１４６に着脱可能に装着される。
【０１８７】
第１，第２保持部１８４ｂ，１８４ｃの対向端部には、端子収容箱１４６ｂの後端部に係脱可能に係合する１対の係合部１８４ｄ，１８４ｅが形成され、これら係合部１８４ｄ，１８４ｅの下面には、下方拡大状に傾斜した１対の傾斜案内部１８４ｆ，１８４ｇが形成されている。尚、モータカバー１８４の後端部には、３つのフランジ１４６ａを通過させる３つのフランジ通過部１８４ｈが形成されている。
【０１８８】
モータカバー１８４を電動モータ１４６に装着する際には、モータカバー１８４を電動モータ１４６の前方に位置させ、１対の傾斜案内部１８４ｆ，１８４ｇを端子収容箱１４６ｂの前方に対向させた状態で、モータカバー１８４を後方へ移動させると、１対の傾斜案内部１８４ｆ，１８４ｇの案内作用で第１，第２保持部１８４ｂ，１８４ｃが相離隔方向へ僅かに弾性変形し、１対の係合部１８４ｄ，１８４ｅが端子収容箱１４６ｂの側面に摺接しつつ後方移動し、１対の係合部１８４ｄ，１８４ｅが端子収容箱１４６ｂの後端部に係合して抜け止め状態になる。
【０１８９】
この装着状態において、電動モータ１４６の外周面とモータカバー１８４の内面間には、放熱に寄与する僅かな隙間が形成される。尚、モータカバー１８４を装着状態から取り外す場合には、１対の係合部１８４ｄ，１８４ｅの係合が解除するように第１，第２保持部１８４ｂ，１８４ｃを弾性変形させることで、取り外すことができる。
【０１９０】
モータカバー１８４は、電動モータ１４６で発生する電磁放射ノイズと熱を遮蔽する機能を有するため、カバー本体部１８４ａは、信号線１８５に臨む領域を遮蔽するように形成されている。第１，第２保持部１８４ｂ，１８４ｃの前後幅を電動モータ１４６の前後幅の約半分にし、電動モータ１４６の円形の前面の全部と周面の約１／３を開放状態にしたため、電動モータ１４６から放熱する放熱性も確保することができる。
【０１９１】
次に、以上の回転役物装置２３に到達した経緯等について簡単に説明する。
リング状で回転中心側に空間部を形成する回転役物に１又は複数の第１の可動役物を進出位置と退避位置に切換え可能に装備し、これら、回転役物と第１の可動役物を複数の可動パターンで作動させることで演出を行うことが可能であるが、第１の可動役物を進出位置にして回転役物と一体的に回転させるだけでは、可動パターンの種類も少なく新鮮味に欠け、斬新な躍動的な演出とすることは難しい。そこで、第１の可動役物と協働して斬新な演出を行い得る第２の可動役物を設けることが望ましい。
【０１９２】
一方、アーム部材と回転役物とを備えた可動役物装置のように、画面の前側においてアーム部材に設けた回転役物を回転させるだけの演出では、演出効果を高めることが難しい。そこで、複数のアーム部材に夫々回転役物を設ける場合には、複数の回転役物が干渉するおそれがある。その干渉回避のため回転役物の数やサイズが制約され、演出効果を高めるうえで不利である。
【０１９３】
他方、アーム部材と回転役物とを有する可動役物装置では、回転役物を常時展開状態にしたまま可動役物を退避位置に切換えるため、回転役物を遊技者に目立たないように収納する上で不利である。しかも、展開状態から収納状態に切換え不能の回転役物ではそのサイズが制約され、演出効果を高める上で不利である。
【０１９４】
役物としての回転リングに複数の可動役物手段を設ける場合に、それら可動役物手段を個別に駆動する複数の駆動手段を設けると、駆動手段の数が多くなり、構成が複雑化し製作費も高価になる。
【０１９５】
可動役物手段が回転役物である場合に、それら複数の回転役物の原点位置を夫々検出する原点検出手段を設けると、構成が複雑化し製作費も高価になる。
前記回転リングを回転自在に支持する複数のガイドローラを設けると共に、回転リングの原点位置を検出する回転リング原点検出手段を設ける場合に、回転リング原点検出手段の作動確実性を確保できるようにガイドローラを配置することが望ましい。
【０１９６】
遊技機の前面側に装備する比較的大型の回転リングの筒状部にスリップリングを固定的に設け、そのスリップリングに接触子を接触させて給電する場合、回転リングとスリップリングの熱膨張率が異なるため、遊技機を数カ月間稼働させている間に摩耗も進行し、スリップリングが断線したり、スリップリングが外側へ剥離したりする。また、スリップリングや接触子に摩耗粉や埃等が付着して導電接触性が悪化するという問題もある。
【０１９７】
スリップリングに接触する接触子に曲率の大きい折曲部がある場合、スリップリングが付設された回転部材が正転と逆転を繰り返す間に折曲部に繰り返し応力が発生して弾性力が低下し、接触性能が低下する。
【０１９８】
電動モータから発生する電磁放射ノイズや熱を遮蔽する遮蔽手段を設けない場合、電動モータの周辺の信号線の信号にノイズが発生したり、信号線がオーバーヒートする場合がある。また、発泡金属や金属製のモータカバーを採用する場合、大型化し、重く、製作費も高価になるうえ、モータカバーを複数のビスで固定するため、モータカバーの取付け構造が大型化し複雑化し、モータカバーを簡単に着脱することができない。
【０１９９】
以上のパチンコ遊技機１の作用、効果などについて説明する。
この回転役物装置２３においては、回転リング１１０を静止状態に保持可能であり、回転状態に保持することもできる。回転リング１１０の内側には空間部があり、この空間部から奥側の画像表示器１７の画面のほぼ全体を見ることができる。画面の外周側領域の前側近傍部に配置された大型の回転リング１１０が回転するため、斬新で躍動的な演出を行うことができる。
【０２００】
回転リング１１０が静止状態か回転状態かに関わらず、４つの可動役物１３０を空間部の中心側領域に張出した作動状態に揺動にて切換えることができ、その作動状態から回転リング１１０に接近する退避位置に揺動にて切換えることができる。
【０２０１】
初期状態（原点状態）で見た場合、４つの可動役物１３０の下の２つの可動役物１３０（１３０ａ，１３０ｂ）と上の２つの可動役物１３０（１３０ｃ，１３０ｄ）は、夫々独立の電動モータ１２１で揺動駆動される関係上、下の２つの可動役物１３０（１３０ａ，１３０ｂ）のみを作動位置に切換えたり、上の２つの可動役物１３０（１３０ｃ，１３０ｄ）のみを作動位置に切換えたり、４つの可動役物１３０を作動位置に切換えたりすることが可能である。各可動役物１３０には、複数のＬＥＤが装備され、複数色のカラー光を発光可能になっている。
【０２０２】
そのため、可動役物１３０は退避位置でも先端側の一部が遊技者に見える状態になっているため、退避位置の可動役物１３０を発光状態に切換えることで、多少の演出を行うこともできる。また、発光状態か未発光状態かによらず、４つの可動役物１３０を退避位置から作動位置に切換えると、画面の前面側に４つの刀剣状の可動役物１３０が突如現われるため、演出効果の高い演出を行うことができる。このとき、作動位置に切換える前に発光状態に切換えてもよいし、作動位置に切換えるのと同時に発光状態に切換えてもよいし、作動位置に切換えてから発光状態に切換えてもよい。
【０２０３】
４つの可動役物１３０の発光色は同じでもよいし、第１群の２つの可動役物１３０（１３０ａ，１３０ｃ）と第２群の２つの可動役物１３０（１３０ｂ，１３０ｄ）を異なる発光色で発光させてもよい。４つの可動役物１３０を全て異なる発光色で発光させてもよい。
【０２０４】
４つの回転役物１５０は、上記のように展開状態と収納状態に切換え可能であり、展開状態とは、可動役物１３０が作動位置にあって回転役物１５０の第１，第２反射部材１５２，１５３が対向状態で回転可能な状態である。可動役物１３０が作動位置の場合、回転役物１５０を回転停止状態に保持可能である。回転停止状態の４つの回転役物１５０が回転リング１１０の内側空間部の中心側領域の大部分を占めるように位置し、これら回転役物１５０を回転させることで大きな演出効果が得られる。
【０２０５】
特に、４つの可動役物１３０を作動状態且つ発光状態に切り換え、４つの回転役物１５０を回転状態に切換えると、新鮮味と躍動感のある演出効果の高い演出となる。この状態で、回転リング１１０を回転させると一層躍動感のある演出効果の高い演出となる。
【０２０６】
また、第１群の回転役物１５０（１５０Ａ）は、可動役物１３０の前面側において回転し、第２群の回転役物１５０（１５０Ｂ）は、可動役物１３０の背面側において回転するため、第１群の回転役物１５０（１５０Ａ）の回転空間と、第２群の回転役物１５０（１５０Ｂ）の回転空間とが前方から見て部分的にラップする状態になり、４つの回転役物１５０を配置する上で有利であり、回転リング１１０の内側空間部の大部分を有効活用して、４つの回転役物１５０を回転させることができる。
【０２０７】
回転リング１１０に装備した下側の１対の可動役物１３０ａ，１３０ｂを共通の１つの揺動駆動機構１４０により作動位置と退避位置とに亙って位置切換え駆動し、回転リング１１０に装備した上側の１対の可動役物１３０ｃ，１３０ｄを共通の１つの揺動駆動機構１４０により作動位置と退避位置とに亙って位置切換え駆動するように構成したため、揺動駆動機構１４０の数を少なくし、構造を簡単化し、製作費を節減することができる。
【０２０８】
回転リング１１０に４つの可動役物１３０を介して４つの回転役物１５０を装備し、これら４つの回転役物１５０を駆動するための４組の回転役物駆動部１６７を、共通のギヤ駆動部１６２を有する共通の１つの回転役物駆動機構１６０で駆動するように構成したため、回転役物駆動機構１６０の構造を簡単化できるうえ、４つの回転役物１５０の回転動作を同期させることができ、４つの回転役物１５０の演出の一体性を確保することができる。
【０２０９】
４つの回転役物１５０の原点位置を共通の１つの原点位置検出手段１８１により検出可能に構成したため、原点位置検出手段の数も少なく、構成も簡単で、製作費の面でも有利である。原点検出センサ１７３（回転リング原点検出手段）を設け、複数のガイドローラ１０２〜１０５のうちの１つのガイドローラ１０５を原点検出センサ１７３の近傍部位に配置するため、回転リング１１０の原点を検出する検出手段の作動確実性を確保することができる。
【０２１０】
以上説明したように、このパチンコ遊技機１は、始動条件の成立に基づいた当否抽選を行い、その当否抽選の判定値に基づき複数の可動パターンで所定の役物を可動させて演出を行うと共に、所定条件（例えば、大当り図柄停止など）が成立した場合に遊技者に有利な大当り遊技を提供する遊技機である。
【０２１１】
前記所定の役物は、遊技者が略円状に可動している旨を視認可能で、その回転中心側に空間部を有した回転リング１１０（回転役物本体に相当する）と、前記回転リング１１０の空間部内側方向へ進出する第１演出を行う可動役物１３０（第１演出部に相当する）と、複数の可動パターンのうち、その少なくとも一部で第１演出と同期し、可動役物１３０と少なくとも一部が異なる空間部領域において第１演出と異なる第２演出を行う回転役物１５０（第２演出部に相当する）を備えている。前記第１演出は、可動役物１３０を退避位置から作動位置に切換える演出であり、前記第２演出は、回転役物１５０を回転させる演出である。
【０２１２】
前記可動役物１３０と回転役物１５０が回転リング１１０の内側空間部の回転中心方向に進出し第１，第２演出が作動した状態で、回転リング１１０と可動役物１３０と回転役物１５０が一体的に回転可能に構成されている。前記回転役物１５０の第２演出は、画像表示器１７の画面の前方において回転する回転動作を含むものである。
【０２１３】
前記のパチンコ遊技機１においては、第１群の可動役物１３０（１３０ａ，１３０ｃ）には、その前面側において回転する回転役物１５０（１５０Ａ）を設け、第２群の可動役物１３０（１３０ｂ，１３０ｄ）には、その背面側において回転する回転役物１５０Ｂを設け、第１，第２群の可動役物１３０を作動位置にして第１，第２群の回転役物１５０Ａ，１５０Ｂを回転させる際には、第１，第２群の回転役物１５０Ａ，１５０Ｂが少なくとも部分的に前後方向にオーバーラップさせた状態で回転させる。そのため、第１，第２群の回転役物１５０Ａ，１５０Ｂを回転させることで、斬新で躍動的な演出を実現できる。しかも、第１，第２群の回転役物１５０Ａ，１５０Ｂが干渉するのを確実に防止できるうえ、干渉防止のために第１，第２群の回転役物１５０Ａ，１５０Ｂのサイズが制約されないから、第１，第２群の回転役物１５０Ａ，１５０Ｂのサイズを大きくして演出効果を高める上で有利である。
【０２１４】
上記の構成の変更形態として、少なくとも１つの可動役物を設け、この可動役物にその前面側で回転する第１回転役物を設けると共にその背面側で回転する第２回転役物を設けてもよい。この場合、回転役物が相互に干渉しないように周方向に例えば１２０°おきに配置した３つの可動役物を設け、それら可動役物の各々に前面側の回転役物と背面側の回転役物を設けてもよい。
【０２１５】
また、第１，第２群の可動役物１３０が、同一の鉛直面内で作動位置と退避位置とに亙って位置切り換え可能に構成してあるため、第１，第２群の可動役物１３０を支持し且つ駆動する為の機構を簡単化することができる。
【０２１６】
また、パチンコ遊技機１は、センタ役物に含まれる画像表示器１７を備えており、前記４つの回転役物１５０は前記画像表示器１７の画面の前方空間において回転するように構成されている。それ故、画面に表示される演出と関連付けて、４つの回転役物１５０を回転させる演出を行うことができる。
【０２１７】
このパチンコ遊技機１は、遊技者による所定の操作を受付け可能な操作手段６を備え、始動条件の成立に基づいた当否抽選の内容に基づいて各種遊技の分岐を演出する分岐演出手段２３４を備え、分岐演出では、操作手段６の操作指示表示が画面への表示により行われ、分岐演出で操作手段６が操作されなかった場合に、最終結果示唆タイミングで回転リング１１０（回転役物本体）と可動役物１３０（第１演出部）と回転役物１５０（第２演出部）とが一体的に回転可能に構成され、例えば、分岐演出で操作手段６が操作された場合よりも、回転リング１１０と可動役物１３０と回転役物１５０とが一体的に作動する割合が高く設定されている。
【０２１８】
各種遊技の分岐とは、ステップアップする否かの煽り演出、リーチ図柄停止か否かの煽り演出、大当りか否かの煽り演出、ラウンド昇格するか否かの煽り演出、確変昇格するか否かの煽り演出等のことである。この分岐演出では、操作手段６の操作指示表示が行われ、分岐演出で操作手段６が操作されなかった場合には、最終結果示唆タイミングで回転リング１１０と可動役物１３０と回転役物１５０とを一体的に回転させることで、各種遊技の分岐の演出を効果的に行うことができる。
【０２１９】
このパチンコ遊技機１は、始動条件の成立に基づいた当否抽選を行い、その当否抽選の判定値に基づき複数の可動パターンで所定の可動役物（回転役物装置２３）を可動させて演出を行うと共に、所定条件が成立した場合に遊技者に有利な大当り遊技を提供する。そして、可動役物１３０に対して回転可能で且つ収納状態と展開状態とに変化可能な回転役物１５０を設けている。それ故、収納状態から展開状態へ切換える動作が演出効果の高い演出となるうえ、回転役物１５０を目立たないように収納する上で有利である。
【０２２０】
回転役物１５０を展開状態に付勢する前記引っ張りバネ１５６（付勢手段に相当する）を設け、回転役物１５０を展開状態から収納状態に変化させる際に、その回転役物１５０を可動に支持する回転リング１１０（ベース部材に相当する）に、回転役物１５０のピン部１５２ｃを受止めて展開状態から収納状態に変化させる役物操作部１１３ｃ，１１１ｆ（役物誘導部に相当する）を設けたため、回転役物１５０を展開状態と収納状態とに亙って切換える切換え機構を可動役物１３０に設ける必要がなく、可動役物１３０と回転役物１５０の構造を簡単化することができる。
【０２２１】
スリップリング１７６を、回転リング１１０の筒状部１１２に巻き付けて両端側部分が筒状部の導入構造１７８から筒状部１１２の内周側に導入された帯状のバンド部材１７６ａであって、張力付加機構により張力が付加された帯状のバンド部材１７６ａで構成するため、スリップリング１７６が常時筒状部１１２に密着した状態を維持でき、スリップリング１７６の破断や剥離も生じず、耐久性に優れる。
また、接触子１７７ｂをストレート形状に形成して弾性変形させた状態で、スリップリング１７６に接触させるため、接触子１７７ｂに折曲部がないから、回転リング１１０が正転と逆転を繰り返しても、弾性力が低下したり接触性能が低下したりすることがない。
【０２２２】
２つの右回り用接触子ユニット１７７と、２つの左回り用接触子ユニット１７７を設けるため、回転リング１１０の右回り時にも左回り時にも少なくとも２つの接触子ユニット１７７から給電することができ、右回り時に１つの右回り用接触子ユニット１７７の接触子１７７ｂが導入構造１７８に遭遇したり埃等で導電接触性が低下しても、他の１つの右回り用接触子ユニット１７７の接触子１７７ｂから給電することができる。このことは、左回り時も同様である。
【０２２３】
接触子１７７ｂが過度に弾性変形する際には、ユニット本体１７７ａに一体形成したサポート部１７７ｓにより、接触子１７７ｂをスリップリング１７６と反対側からサポートすることで、過度の弾性変形を確実に防止することができる。
【０２２４】
電動モータ１４６の外周の少なくとも一部を覆う着脱可能なモータカバー１８４を設けるため、このモータカバー１８４でもって電動モータ１４６と信号線１８５の間を遮蔽し、電動モータ１４６から発する電磁放射ノイズで信号線の信号にノイズが発生したり、電動モータ１４６からの熱が信号線１８５に悪影響を及ぼしたりするのを確実に防止できる。
【０２２５】
しかも、モータカバー１８４は電動モータ１４６にワンタッチ式に着脱可能に構成したため、モータカバー１８４を容易に着脱できる上、モータカバー１８４を軽量化し小型化し、取付け構造も簡単化することができ、製作費の面でも有利である。
【０２２６】
モータカバー１８４は、電動モータ１４６の近傍のハーネス（信号線）に臨むカバー本体部１８４ａと、このカバー本体部１８４ａの両端から周方向へ延びる断面円弧状の第１，第２保持部１８４ｂ，１８４ｃを備えるため、カバー本体部１８４ａと第１，第２保持部１８４ｂ，１８４ｃを用いてモータカバー１８４を電動モータ１４６に保持することができる。
【０２２７】
第１，第２保持部１８４ｂ，１８４ｃの対向端部には、電動モータ１４６の外周から突出する端子収容箱１４６ｂ（付属部に相当する）の端部に係脱可能に係合する１対の係合部１８４ｄ，１８４ｅを形成したため、１対の係合部１８４ｄ，１８４ｅを介してモータカバー１８４を装着状態に保持できるうえ、１対の係合部１８４ｄ，１８４ｅの係合を解除すればモータカバー１８４を簡単に取り外すことができる。
【０２２８】
前記回転役物装置２３を部分的に変更する変更形態について説明する。
１）本発明はパチンコ遊技機以外の、例えば、回転リール式遊技機（スロットマシン）にも適用することができる。その場合、３つの回転リールの上方に配設された画像表示器の画面の外周側領域の前面近傍部材に前方から視て画面を囲む状態の回転役物装置として構成するものとする。
２）前記可動役物１３０及び回転役物１５０の数は４つに限らず、３つでもよく２つでもよい。
【０２２９】
３）回転リング１１０の構造は前記実施例のものに限定されず、種々の構造を採用可能である。回転リング１１０のサイズも画像表示器１７の画面のサイズに対応するように適宜変更可能である。可動役物１３０及び回転役物１５０の形状と構造も前記実施例のものに限定される訳ではない。
４）回転リング１１０の全体を遊技者から視認可能に構成してもよい。また、回転リング１１０に複数のＬＥＤを組み込み、発光可能な回転リングに構成してもよい。
【０２３０】
５）第１群の可動役物１３０ａ，１３０ｃにのみ回転役物１５０を設け、第２群の可動役物１３０ｂ，１３０ｄの回転役物１５０は省略してもよい。
６）回転役物１５０にＬＥＤを組み込み、発光型の回転役物としてもよい。
【０２３１】
７）スリップリング１７６は、３本に限らず、２本でもよく、４本以上でもよく、接触子ユニット１７７にはスリップリング１７６の数と同数の接触子１７７ｂを設ける。
８）前記回転役物駆動機構１６０の電動モータ１６３にも、図５４，図５５に示すようなモータカバー１８４を設けている。その他の電動モータにも、モータカバーを設けることもある。
【０２３２】
９）モータカバー１８４の形状、構造は実施例のものに限定されず、例えば、カバー本体部１８４ａは第１，第２保持部１８４ｂ，１８４ｃよりも厚肉に形成してもよく、また、第１，第２保持部１８４ｂ，１８４ｃの前後幅をより小さくして肉厚を厚くしてもよい。また、端子収容箱１４６ｂには、端子とその他の電気部品（例えば、駆動回路など）が収容されていてもよい。
【０２３３】
１０）モータカバー１８４の第１，第２係合部１８４ｄ，１８４ｅを電動モータ１４６のモータ本体の後端部に係合させるように構成してもよく、第１，第２係合部１８４ｄ，１８４ｅを環状ベース部１１１に形成された係合部に係合させるように構成してもよい。
【０２３４】
次に、パチンコ遊技機１の種々の機能手段について説明する。
図５６に示すように、遊技制御基板３１の主にコンピュータ（主制御部）により、図示の各手段２００〜２０７，２１０〜２１７，２２０が構成されている。特図カウンタ手段２００は、大当り判定値、特図判定値、リーチ判定値、変動パターン判定値を、夫々設定範囲内で微小時間毎に順次更新する。
【０２３５】
特図取得手段２０１は、第１特図保留数が４未満のときに、遊技球が第１始動口１０に入賞すると特図始動条件が成立して、特図カウンタ手段２００により更新された大当り判定値、図柄判定値、リーチ判定値、変動パターン判定値を１組の第１特図判定情報として取得し、第２特図保留数が４未満のときに、遊技球が第２始動口１１ａに入賞すると特図始動条件が成立して、特図カウンタ手段２００により更新された大当り判定値、図柄判定値、リーチ判定値、変動パターン判定値を１組の第２特図判定情報として取得する。
【０２３６】
特図保留記憶手段２０２は、特図取得手段２０１により取得され且つ特図判定手段２０４の大当り判定手段２０４ａによる判定に供していない第１，第２特図判定情報を夫々４個まで、つまり特図判定情報を合計８個まで記憶（保留）可能であり、特図保留記憶手段２０２に記憶されている第１特図判定情報の数が第１特図保留数となり、特図保留記憶手段２０２に記憶されている第２特図判定情報の数が第２特図保留数となる。
【０２３７】
特図保留消化手段２０３は、特図保留記憶手段２０２に記憶されている特図判定情報を、特別図柄の変動開始毎に順次１ずつ大当り判定手段２０４ａによる判定に供して特図保留記憶手段２０２から消去（保留消化）する。その際、特図保留記憶手段２０２に複数の特図判定情報が記憶されている場合、それら複数の特図判定情報を特図保留記憶手段２０２に記憶された順番（即ち、特図取得手段２０１により取得された順番）で消化し、但し、特図保留記憶手段２０２に第１，第２特図判定情報の両方が記憶されている場合には、第２特図判定情報を第１特図判定情報よりも優先して消化する。
【０２３８】
特図判定手段２０４においては、大当り判定手段２０４ａが、特図取得手段２０１により取得され特図保留記憶手段２０２に記憶された特図判定情報、詳しくは特図保留消化手段２０３により消化された当該特図判定情報に基づいて、遊技者に有利な特別遊技を行うか否かを判定し、特別遊技を行うと判定すると、図柄判定手段２０４ｂが、その特別遊技における第１，第２大入賞口１３ａ，１４ａ及び特定領域１４ｆの開放パターンを判定する。
【０２３９】
具体的に、先ず、大当り判定手段２０４ａは、当該特図判定情報の大当り判定値に基づいて、特別遊技を行うか否かを判定する。この場合、後述の「低確・非時短状態」又は「低確・時短状態」が設定されているときには、図５７に示す低確テーブルを用いて、大当り判定値が約1/300 の割合で大当り特定値（3,247 ・・・）の何れかと一致すると、特別遊技を行うと判定し、後述の「高確・時短状態」が設定されているときには、図５７に示す高確テーブルを用いて、大当り判定値が約1/68の割合で大当り特定値（3,7 ・・・）の何れかと一致すると、特別遊技を行うと判定する。
【０２４０】
図柄判定手段２０４ｂは、大当り判定手段２０４ａにより特別遊技を行うと判定されると、当該特図判定情報の図柄判定値に基づいて、複数の大当り図柄（図５８に示す大当り図柄１〜３）の何れか１つを選択し、特別遊技を行わないと判定されると、ハズレ図柄を選択する。大当り図柄の選択について、当該特図判定情報が第１特図判定情報の場合、図５８に示す第１図柄選択テーブルにより規定される選択率で図柄選択を行い、第２特図判定情報の場合、図５８に示す第２図柄選択テーブルにより規定される選択率で図柄選択を行う。
【０２４１】
特図表示制御手段２０５は、特図判定手段２０４による判定結果に基づいて、特図保留消化手段２０３により第１特図判定情報が消化されたことを契機に、第１特図表示器２９ａに第１特別図柄を変動表示させた後に当該判定結果を示す判定図柄を停止表示させ、特図保留消化手段２０３により第２特図判定情報が消化されたことを契機に、第２特図表示器２９ｂに第２特別図柄を変動表示させた後に当該判定結果を示す判定図柄を停止表示させる。この判定図柄として、大当り判定手段２０４ａにより特別遊技を行うと判定されると、図柄判定手段２０４ｂにより選択された大当り図柄１〜３の何れかを停止表示させ、特別遊技を行わないと判定されると、ハズレ図柄を停止表示させる。
【０２４２】
特別遊技実行手段２０６は、大当り判定手段２０４ａにより特別遊技を行うと判定された場合、特図表示制御手段２０５により、当該判定結果を示す判定図柄（図柄判定手段２０４ｂにより選択された大当り図柄１〜３の何れか）が停止表示された後、その判定図柄に応じた開放パターンで第１，第２大入賞口１３ａ，１４ａ及び特定領域１４ｆを開放する遊技者に有利な特別遊技を行う。
【０２４３】
つまり、このパチンコ遊技機１は、始動条件の成立に基づいた当否抽選（特図判定情報の取得、その特図判定情報に基づく特別遊技を行うか否かの判定）を行い、その当否抽選の判定結果（判定値）に基づいて、特別遊技を行うと判定（所定の条件が成立）した場合に、遊技者に有利な特別遊技（大当り遊技）を提供するものである。
【０２４４】
図５９に示すように、大当り図柄１が停止して行われる特別遊技１、大当り図柄２が停止して行われる特別遊技２は、第１，第２大入賞口１３ａ，１４ａの何れかを開放するＲ遊技（Ｒは「ラウンド」を意味する）を１Ｒ〜８Ｒ有し、そのうちの１Ｒ〜７Ｒの各Ｒが第１大入賞口１３ａを開放する通常Ｒ、８Ｒが第２大入賞口１４ａを開放する特定Ｒになる。大当り図柄３が停止して行われる特別遊技３は、Ｒ遊技を１Ｒ〜16Ｒ有し、そのうちの１Ｒ〜７Ｒ，９Ｒ〜15Ｒの各Ｒが通常Ｒ、８Ｒと16Ｒの各Ｒが特定Ｒになる。特別遊技１，２，３の通常Ｒは、第１大入賞口１３ａを開放して開始後、第１大入賞口１３ａに10個の遊技球が入賞する、或いは30秒経過すると、第１大入賞口１３ａを閉塞して終了する。
【０２４５】
図６０（１）に示すように、特別遊技１の特定Ｒは、第２大入賞口１４ａを開放して開始後、第２大入賞口１４ａに10個の遊技球が入賞する、或いは0.1 秒経過すると、第２大入賞口１４ａを閉塞して終了し、その特定Ｒにおいて、第２大入賞口１４ａの開放時から0.8 秒後に特定領域１４ｆを開放させ、第２大入賞口１４ａの閉塞時から0.8 秒後に特定領域１４ｆを閉塞させる。また、図６０（２）に示すように、特別遊技２，３の特定Ｒは、第２大入賞口１４ａを開放して開始後、第２大入賞口１４ａに10個の遊技球が入賞する、或いは30秒経過すると、第２大入賞口１４ａを閉塞して終了し、その特定Ｒにおいて、第２大入賞口１４ａの開放時から0.8 秒後に特定領域１４ｆを開放させ、第２大入賞口１４ａの閉塞時から0.8 秒後に特定領域１４ｆを閉塞させる。
【０２４６】
「右打ち」を行うことにより、特別遊技１では、例えば約875 個の遊技球を獲得でき、特別遊技２では、例えば約1000個の遊技球を獲得でき、特別遊技３では、例えば約2000個の遊技球を獲得でき、そして、特別遊技１では、遊技球が特定領域１４ｆを通過する可能性が極めて低くなり、特別遊技２，３では、遊技球が特定領域１４ｆを通過する可能性が極めて高くなる。
【０２４７】
確率設定手段２０７は、大当り判定手段２０４ａにより大当り遊技を行うと判定される大当り確率を、図５７に示す低確テーブルを用いて低確率（約1/300 ）又は図５７に示す高確テーブルを用いて低確率よりも高い高確率（約1/68）に設定する。
【０２４８】
一方、普図カウンタ手段２１０は、当り判定値を設定範囲内で微小時間毎に順次更新する。普図取得手段２１１は、普図保留数が４未満のときに、遊技球がゲート１２を通過すると普図始動条件が成立して、普図カウンタ手段２１０により更新された当り判定値を普図判定情報として取得する。普図保留記憶手段２１２は、普図取得手段２１１により取得され且つ普図判定手段２１４による判定に供していない普図判定情報を４個まで記憶（保留）可能であり、普図保留記憶手段２１２に記憶されている普図判定情報の数が普図保留数となる。
【０２４９】
普図保留消化手段２１３は、普図保留記憶手段２１２に記憶されている普図判定情報を、普通図柄の変動開始毎に順次１ずつ普図判定手段２１４による判定に供して普図保留記憶手段２１２から消去（保留消化）する。その際、普図保留記憶手段２１２に複数の普図判定情報が記憶されている場合、それら複数の普図判定情報を普図保留記憶手段２１２に記憶された順番（即ち、普図取得手段２１１により取得された順番）で消化する。
【０２５０】
普図判定手段２１４は、普図保留記憶手段２１２に記憶された普図判定情報、詳しくは普図保留消化手段２１３により消化された当該普図判定情報に基づいて、補助遊技を行うか否かを判定する。普図表示制御手段２１５は、普図判定手段２１４による判定結果に基づいて、普図保留消化手段２１３により普図判定情報が消化されたことを契機に、普図表示器２９ｃに普通図柄を変動表示させた後に当該判定結果を示す判定図柄を停止表示させる。この判定図柄として、普図判定手段２１４により補助遊技を行うと判定されると、当り図柄を停止表示させ、補助遊技を行わないと判定されると、ハズレ図柄を停止表示させる。
【０２５１】
補助遊技実行手段２１６は、普図判定手段２１４により補助遊技を行うと判定された場合、普図表示制御手段２１５により、当該判定結果を示す判定図柄（当り図柄）が停止表示された後、第２始動口１１ａを開放する補助遊技を行う。作動モード設定手段２１７は、図６１に示すように、第２始動口作動モードとして、第２始動口１１ａを開状態に作動させ難い低作動モード又は開状態に作動させ易い高作動モードを設定する。
【０２５２】
具体的に、低作動モードでは、普図判定手段２１４により補助遊技を行うと判定される当り確率が1/10、普図表示制御手段２１５により普通図柄が変動表示される普図変動時間が12秒、補助遊技実行手段２１６による補助遊技において第２始動口１１ａを開放する第２始動口開放パターンが0.1 秒×1 回に設定され、高作動モードでは、当り確率が10/10 、普図変動時間が0.5 秒、第２始動口開放パターンが2.0 秒×3 回に設定される。
【０２５３】
遊技状態制御手段２２０は、複数の遊技状態（図６２に示す「低確・非時短状態」「低確・時短状態」「高確・時短状態」）の何れか１つを択一的に設定し、その遊技状態で遊技を制御する。尚、電源投入時には前回の電源遮断時に設定されていた遊技状態を継続的に設定し、電源投入時に所謂ＲＡＭクリアが実行された場合には「低確・非時短状態」を設定する。
【０２５４】
図６２に示すように、「低確・非時短状態」又は「低確・時短状態」が設定された場合、確率設定手段２０７により低確率が設定され、「高確・時短技状態」が設定された場合、確率設定手段２０７により高確率が設定される。また、「低確・非時短状態」が設定された場合、作動モード設定手段２１７により低作動モードが設定され、「低確・時短状態」又は「高確・時短状態」が設定された場合、作動モード設定手段２１７により高作動モードが設定される。
【０２５５】
図６３に示すように、遊技状態制御手段２２０は、特別遊技実行手段２０６により特別遊技が行われているときに、「低確・非時短状態」で遊技を設定するが、特別遊技の終了後、当該特別遊技において第２大入賞口１４ａに入賞した遊技球が特定領域１４ｆを通過している（即ちＶ入賞有となる）と、「高確・時短状態」を設定し、その後、特別遊技が行われないで特別図柄の特図変動回数が110 回に達すると、「高確・時短状態」から「低確・非時短状態」へ変更設定する。また、特別遊技の終了後、当該特別遊技において第２大入賞口１４ａに入賞した遊技球が特定領域１４ｆを通過していない（即ちＶ入賞無となる）と、「低確・時短状態」を設定し、その後、特別遊技が行われないで特図変動回数が100 回に達すると、「低確・時短状態」から「低確・非時短状態」へ変更設定する。
【０２５６】
図５６に示すように、演出制御基板３３、画像制御基板３４、ランプ制御基板３５のコンピュータ等により、遊技演出を演出手段２４０（画像表示装置１７、上可動役物装置２０、下可動役物装置２１、可動表示役物装置２２、回転役物装置２３、スピーカ３７、ランプ３８ａ，３８ｂ）に行わせる演出制御手段２３０が構成され、その演出制御手段２３０は、図柄変動演出制御手段２３１、特別遊技演出制御手段２３２、役物制御手段２３３、分岐演出手段２３４を備えている。
【０２５７】
図柄変動演出制御手段２３１は、特図判定手段２０４による判定結果に基づいて、特図表示制御手段２０５により特別図柄が変動表示されているときに、図６４（１）に示す複数の図柄変動演出（図柄変動演出１，２，３・・・ｎ）の中から選択した図柄変動演出を行わせる。各図柄変動演出は、通常ハズレ図柄変動演出、リーチハズレ図柄変動演出、当り図柄変動演出の何れかに分類され、特図判定手段２０４による判定結果（特別遊技を行うと判定された大当り期待度）を示唆するように行われる。
【０２５８】
例えば、図６５に示すように、図柄変動演出では、画像表示装置１７に３つの図柄表示部１７ａが設定され、これら図柄表示部１７ａに、（１）３組の演出図柄列が縦スクロールにて変動表示された後、先ず、（２）左演出図柄「Ｘ」が停止表示され、次に、（３）右演出図柄「Ｙ」が停止表示され、最後に、（４）中演出図柄「Ｚ」が停止表示され、これら３つの停止演出図柄「ＸＺＹ」が、特図判定手段２０４による判定結果を示す組み合わせ態様になる。
【０２５９】
例えば、通常ハズレ図柄変動演出では、（２）（３）左演出図柄「Ｘ」と右演出図柄「Ｙ」が揃わないように変動停止して非リーチ状態になり、その後、発展演出が行われることなく、（４）中演出図柄「Ｚ」が変動停止する。例えば、リーチハズレ図柄変動演出、当り図柄変動演出では、（２）（３）左演出図柄「Ｘ」と右演出図柄「Ｙ」が揃うように変動停止してリーチ状態になり、その後、発展演出が行われ、その発展演出の終了を以て、リーチハズレ図柄変動演出では、中演出図柄「Ｚ」が変動停止している演出図柄「Ｘ」「Ｙ」と揃わないように変動停止し、当り図柄変動演出では、中演出図柄「Ｚ」が変動停止している演出図柄「Ｘ」「Ｙ」と揃うように変動停止する。
【０２６０】
特別遊技演出制御手段２３２は、特別遊技実行手段２０６により特別遊技が行われているときに、図６４（２）に示す複数の特別遊技演出（特別遊技演出１，２，３・・・ｎ）の中から選択した特別遊技動演出を行わせ、その特別遊技の最後に、図６４（３）に示す複数のエンディング演出（エンディング演出１，２，３・・・ｎ）の中から選択したエンディング演出を行わせる。
【０２６１】
役物制御手段２３３は、図柄変動演出制御手段２３１により行われている特定の図柄変動演出において、特図判定手段２０４による判定結果（大当り期待度）を示唆するように、或いは、特別遊技演出制御手段２３２により行われている特定の特別遊技演出や特定のエンディング演出において、上可動役物装置２０、下可動役物装置２１、可動表示役物装置２２、回転役物装置２３の少なくとも１つを作動させるように制御する。
【０２６２】
役物制御手段２３３は、回転役物装置２３の制御に関して、始動条件の成立に基づいた当否抽選（特図判定手段２０４による判定）の結果（判定値）に基づいて、複数の可動パターンで回転役物装置２３（回転リング１１０、４つの可動役物１３０、４つの回転役物１５０の少なくとも１つ）を可動させて演出を行わせ得るように構成してある。
【０２６３】
例えば、図６６に示すように、回転役物装置２３の複数の可動パターンは、回転リング１１０と回転役物１５０を停止させた状態で可動役物１３０を動作させる可動パターン１、回転役物１５０を停止させた状態で回転リング１１０と可動役物１３０を動作させる可動パターン２、回転リング１１０を停止させた状態で可動役物１３０と回転役物１５０を動作させる可動パターン３、回転リング１１０と可動役物１３０と回転役物１５０を動作させる可動パターン４を含む。
【０２６４】
具体的に、可動パターン１では、４つの可動役物１３０が退避位置→作動位置→退避位置へと移動し、この可動パターン１において、４つの可動役物１３０が作動位置にあるときに回転リング１１０が回転するのが可動パターン２である。また、可動パターン１において、４つの可動役物１３０が作動位置にあるときに４つの回転役物１５０が回転（自転）するのが可動パターン３であり、更に、回転リング１１０が回転するのが可動パターン４である。
【０２６５】
可動パターン１〜４において、４つの可動役物１３０が回転リング１１０の空間部内側方向へ進出する演出が第１演出であり、可動パターン３，４（複数の可動パターンの少なくとも一部）において、４つの回転役物１５０が第１演出と同期し（つまり４つの可動役物１３０が作動位置にあるときに）、４つの回転役物１５０の少なくとも一部が回転リング１１０の内側の４つの可動役物１３０と異なる空間領域部において回転する演出が第２演出である。
【０２６６】
分岐演出手段２３４は、図柄変動演出制御手段２３１又は特別遊技演出制御手段２３２により、回転役物装置２３が作動可能な特定の図柄変動演出又は特別遊技演出が行われているときに、当否抽選の内容（特図判定手段２０４による判定の結果）に基づいて各種遊技の分岐（つまり、図柄変動演出又は特別遊技演出等の遊技演出の分岐）を演出する分岐演出を、回転役物装置２３が作動するまでに行わせる。
【０２６７】
ここで、分岐演出としては、図柄変動演出において演出内容がステップアップする（より大当り期待度が高い演出内容に切換わる）か否かを煽る演出、図柄変動演出においてリーチ状態にするか否かを煽る演出、図柄変動演出において大当りを確定させるか否か（例えば、停止演出図柄「ＸＺＹ」をゾロ目で停止させるか否か）を煽る演出、大当りが確定している図柄変動演出又は特別遊技演出においてラウンド昇格するか否か（例えば、8 Ｒの大当り遊技か16Ｒの大当り遊技か）を煽る演出、大当りが確定している図柄変動演出又は特別遊技演出において確変昇格するか否か（例えば、当該大当り遊技終了後に「低確・時短状態」になるか「高確・時短状態」になるか）を煽る演出、等が挙げられる。
【０２６８】
演出操作装置６が遊技者による所定操作を受付け可能な操作手段に相当し、前記分岐演出では、図６７に示すように、画像表示装置１７に、その分岐演出の画像が表示される共に、演出操作装置６の演出ボタンＳＷ６ａの操作指示表示が行われる。
【０２６９】
ここで、図６８（１）に示すように、例えば、分岐演出の開始時から分岐演出が最大限行われ得るまでの間、演出ボタンＳＷ６ａの操作有効期間が設定され、前記の各種煽りの対象となる事象が有利な方となる場合、図６８（２）に示すように、演出ボタンＳＷ６ａが操作有効期間内に操作されると、その操作時に回転役物装置２３が作動し、図６８（３）に示すように、演出ボタンＳＷ６ａが操作有効期間内に操作されないと、操作有効期間の終了時となる最終結果示唆タイミングで回転役物装置２３が作動する。
【０２７０】
ここでの回転役物装置２３の作動は、図６６に示す可動パターン４で行われる。つまり、回転リング１１０と４つの可動役物１３０と４つの回転役物を一体的に回動させるが、詳細には、前記のように、４つの可動役物１３０が退避位置→作動位置→退避位置へと移動し、４つの可動役物１３０が作動位置にあるときに回転リング１１０を回転（自転）させ、更に、回転リング１１０を回転させる。尚、図６６に示す可動パターン３で回転役物装置２３を作動させてもよい。ここで、分岐演出で演出ボタンＳＷ６ａが操作されなかった場合、操作された場合よりも、最終結果示唆タイミングで回転リング１１０と可動役物１３０と回転役物１５０とが一体的に作動する割合を高く設定することができる。
【０２７１】
役物制御手段２３３は、可動表示役物装置２２の制御に関して、特図判定手段２０４による判定結果に基づいて、図柄変動演出の進行、更には図柄変動演出中の演出操作装置６を用いた所定操作に応じて、３つの可動表示役物７６，７７，７８を一体的に上下移動させたり、待機位置又は作動位置に移動停止させたり、３つの可動表示役物７６，７７，７８を同期して回転又は回転停止させたりして、演出を行わせ得るように構成してある。
【０２７２】
具体的に、図６９に示すように、特定の発展演出が行われているとき、決められた設定期間に、可動表示役物装置２２の作動、及び所謂カットイン演出の実行を、遊技者に開始させ得る操作指示表示が行われる。ここで、図７２（１）に示すように、前記設定期間の開始時から一定期間、操作有効期間が設定され、図７２（２）示すように、この操作有効期間内に演出操作装置６の演出ボタンＳＷ６ａが操作されると、可動表示役物装置２２が作動し、この可動表示役物装置２２の作動に同期してカットイン演出が行われる。
【０２７３】
具体的に、前記操作有効期間内に演出ボタンＳＷ６ａが操作されると、図７０に示すように、３つの可動表示役物７６，７７，７８が回転しながら待機位置（図６９参照）から上昇し、図７１に示すように、３つの可動表示役物７６，７７，７８が作動位置（画像表示装置１７の左右方向中央部分の下半部前側）に到達すると、３つの可動表示役物７６，７７，７８が回転停止すると共に、画像表示装置１７（例えば、３つの可動表示役物７６，７７，７８の上側に対応する画面部分）にカットイン演出が表示される。
【０２７４】
ここで、３つの可動表示役物７６，７７，７８は、第１の表示面７２Ａ，７３Ａ，７４Ａを前向きにして、それら表示面で例えば「□」を表示させる第１の表示位置（図１７）と、第２の表示面７２Ｂ，７３Ｂ，７４Ｂを前向きにして、それら表示面で例えば「△」を表示させる第２の表示位置（図２０）と、第３の表示面７２Ｃ，７３Ｃ，７４Ｃを前向きにして、それら表示面で例えば「○」を表示させる第３の表示位置（図２３、図２５（１））の何れかの表示位置に、特図判定手段２０４による判定結果に応じて回転停止する
【０２７５】
カットイン演出は、３つの可動表示役物７６，７７，７８の表示位置（第１，第２，第３の何れかの表示位置）に対応する表示態様、つまり３つの可動表示役物７６，７７，７８による表示（「□」「△」「○」の何れか）に対応する表示態様であって、結局は特図判定手段２０４による判定結果に応じた表示態様で画像表示装置１７に表示される。
【０２７６】
具体的に、図７３に示すように、表示「□」に対応する表示態様Ａでは、青色エフェクトのカットイン演出が表示され、表示「△」に対応する表示態様Ｂでは、紫色エフェクトのカットイン演出が表示され、表示「○」に対応する表示態様Ｃでは、赤色エフェクトのカットイン演出が表示され、大当り期待度は、表示態様Ａのカットイン演出（表示「□」）よりも、表示態様Ｂのカットイン演出（表示「△」）方が高く、それよりも、表示態様Ｃのカットイン演出（表示「○」）方が高くなるようにしている。
【０２７７】
○［液晶ベースと板状部材（不正防止板）］
次に、液晶ベース３００（ベース部材）に関する構造について説明する。
図７４〜図８０に示すように、遊技盤４の後側に、正面視にて遊技盤４と略同サイズの合成樹脂製の透明な液晶ベース３００が設けられ、この液晶ベース３００に液晶の画像表示器１７を含む液晶ユニット３１０（所定の遊技機器）が装着されている。液晶ベース３００は、開閉枠２（枠部材）に内嵌状に取付けられる矩形の外周壁３０１（上壁３０２、下壁３０３、左側壁３０４、右側壁３０５）（周壁部）と、この外周壁３０１の後端に繋がる後面壁３０６とを有する。この外周壁３０１と後面壁３０６は一体形成されている。
【０２７８】
液晶ベース３００には、外周壁３０１により画像表示器１７の画面を視認可能にする矩形の第１開口部３０７が形成され、後面壁３０６に、画像表示器１７よりも上下方向のサイズが大きく、また第１開口部３０７よりも小さな矩形の第２開口部３０８であって、画像表示器１７の画面を視認可能にすると共に画像表示器１７（液晶ユニット３１０）を装着する為の第２開口部３０８が形成されている。
【０２７９】
外周壁３０１の前端部にフランジ３０１ａが形成され、このフランジ３０１ａが遊技盤４の外周側後面に当接して複数のビスで固定されている。外周壁３０１の内側且つ後面壁３０６の前側に、前記の基盤部材１０１、及び基盤部材１０１に装備された回転役物装置２３が収容され、基盤部材１０１が後面壁３０６に固定されている。
【０２８０】
液晶ユニット３１０は、画像表示器１７の画面が第２開口部３０８に臨むように、後面壁３０６に後側から取付けられて、画像表示器１７の画面を、パチンコ遊技機１の前側から、センタ枠体１６ａ、第１開口部３０７、基盤部材１０１に形成された円形開口部１０１ａ、第２開口部３０８の内側を通して視認可能になる。尚、図７４では、センタ役物１６、基盤部材１０１、回転役物装置２３を省略している。
【０２８１】
液晶ユニット３１０には、画像表示器１７の他、画像表示器１７を後側からカバーして後面壁３０６に固定される合成樹脂製の液晶ケース３１１と、画像表示器１７の後側に搭載される遊技制御基板３１と、遊技制御基板３１を後側からカバーして液晶ケース３１１に固定される合成樹脂製の基板ケース３１２と、液晶ケース３１１に取付けられる中継基板３１３，３１４（所定の基板）（図７５参照）を含む各種基板等が設けられている。
【０２８２】
第２開口部３０８は、液晶ユニット３１０（画像表示器１７の画面）の前方に位置し、液晶ユニット３１０により塞がれる主要開口３０８ａ（画面開口３０８ａ）を形成すると共に、この主要開口３０８ａよりも後方且つ上方に位置する上部開口３０８ｂを形成している。上部開口３０８ｂは、断面Ｌ形の開口であって、主要開口３０８ａの上端側から後方へ広がる上部水平開口３０８ｃと、上部水平開口３０８ｃの後端から上方へ広がり液晶ユニット３１０により塞がれない上部鉛直開口３０８ｄとを有する。
【０２８３】
後面壁３０６は、主要開口３０８ａを形成する第１の後面壁３０６ａと、第１の後面壁３０６ａよりも後方へ張り出して上部開口３０８ｂを形成する第２の後面壁３０６ｂとを有する。第１の後面壁３０６ａの後部に、液晶ユニット３１０を取付ける為の収容凹部３０６ａ１が形成され、液晶ユニット３１０は、その前側一部を収容凹部３０６ａ１に収容した状態で液晶ベース３００に取付けられている。
【０２８４】
液晶ベース３００には、第２開口部３０８と液晶ユニット３１０（画像表示器１７）との間及びその近傍において第２開口部３０８と液晶ユニット３１０との隙間の少なくとも一部を塞ぐ板状部材３２０、つまり液晶ベース３００と液晶ユニット３１０との間及びその近傍に上部開口３０８ｂ（上部鉛直開口３０８ｄ）と連通するように生じる隙間の少なくとも一部を塞ぐ合成樹脂製の透明又は半透明な板状部材３２０が設けられている。
【０２８５】
ここで、針金等の不正器具を、パチンコ遊技機１の表側から、島構造とパチンコ遊技機１との間の隙間に差し込んで、パチンコ遊技機１の後側に到達させた後、パチンコ遊技機１内に、画像表示器１７によりで塞がれない液晶ベース３００の上部開口３０８ｂ（上部鉛直開口３０８ｄ）を通る進入通路で進入させ、始動口装置１１の開閉部材１１ｂや大入賞口装置１３，１４の開閉部材１３ｂ，１４ｂに引っ掛けて、始動口１１ａや大入賞口１３ａ，１４ａを開ける等の不正が行われる虞がある。
【０２８６】
板状部材３２０は、こうした不正を防止するために、前記隙間の少なくとも一部を遮蔽して、液晶ベース３００の上部開口３０８ｂ（上部鉛直開口３０８ｄ）を通る不正器具の進入経路であって、特に不正器具が始動口装置１１や大入賞口装置１３，１４に向かい易い進入経路を遮断する不正防止板に構成されている。
【０２８７】
次に、板状部材３２０について詳しく説明する。図７７、図７８、図８０〜図８５に示すように、板状部材３２０は、液晶ベース３００の第２の後面壁３０６ｂのうちの上部鉛直開口３０８ｄの上側部分に前面側から取付けられている。
【０２８８】
板状部材３２０は、前後方向と直交する鉛直面を有するプレート部３２１と、このプレート部３２１の上端部分から後方へ延びる左右２つの取付脚部３２２，３２３とを有し、この２つの取付脚部３２２，３２３の後端部に形成されたフランジ部３２２ａ，３２３ａが第２の後面壁３０６ｂに当接してビスで固定されている。プレート部３２１と２つの取付脚部３２２，３２３は一体形成されている。
【０２８９】
プレート部３２１は、上部鉛直開口３０８ｄの左右長の約２／３倍の左右長を有するとともに、上部鉛直開口３０８ｄの上下長の約２倍の上下長を有し、上部鉛直開口３０８ｄの前方であって、主要開口３０８ａの前後方向位置と同じ前後方向位置に配置され、また、上部鉛直開口３０８ｄの左右方向中心よりも右寄りに配置されている。プレート部３２１の上端は、上部鉛直開口３０８ｄよりも少し上方に位置し、プレート部３２１の下部は、主要開口３０８ａ内にあり、つまり、液晶ユニット３１０の上端側前方に位置する。
【０２９０】
プレート部３２１の外周部は、左右両端が鉛直でその左右両端間が水平な上方凸の上中央縁部３２１ａ、水平な上左縁部３２１ｂ、水平な上右縁部３２１ｃ、水平な下縁部３２１ｄ、上部が傾斜状で下部が鉛直な左縁部３２１ｅ、鉛直な右縁部３２１ｆにより図示形状に形成され、プレート部３２１は、上中央縁部３２１ａの左右両端付近、上左縁部３２１ｂ付近、及び上右縁部３２１ｃ付近において、プレート部３２１の大部分をなす鉛直部分に対して後方へ緩やかに湾曲している。
【０２９１】
上中央縁部３２１ａが、上部鉛直開口３０８ｄよりも少し上方に位置し、上左縁部３２１ｂ、上右縁部３２１ｃが、上部鉛直開口３０８ｄの上端側前方に位置し、上中央縁部３２１ａの鉛直左端及び上左縁部３２１ｂから後方へ断面Ｌ形の左側の取付脚部３２２が延び、上中央縁部３２１ａの鉛直右端及び上右縁部３２１ｃから後方へ断面Ｌ形の右側の取付脚部３２３が延びている。
【０２９２】
板状部材３２０は、プレート部３２１の外周部の所定部位に後方へ突出する突出部３２４ａ〜３２４ｅを有する。この突出部３２４ａ〜３２４ｅは、プレート部３２１の後面に当ってプレート部３２１に沿って移動する針金等の不正器具を、上部開口３０８ｂ（上部鉛直開口３０８ｄ）を通る進入通路で進入させないように、後方へ向かわせるように返す為のものである。
【０２９３】
上中央縁部３２１ａの水平上端に、その左右全長に亙って且つ左右両端が取付脚部３２２，３２３に繋がる突出部３２４ａ一体形成され、上中央縁部３２１ａの鉛直左端及び上左縁部３２１ｂに、取付脚部３２２によって突出部３２４ｂが形成され、上中央縁部３２１ａの鉛直右端及び上右縁部３２１ｃに、取付脚部３２３によって突出部３２４ｃが形成されている。また、左縁部３２１ｅの傾斜上端部分に取付脚部３２２に繋がる突出部３２４ｄが一体形成され、右縁部３２１ｆの鉛直上部（主要開口３０８ａよりも上方に位置する部分）に取付脚部３２３に繋がる突出部３２４ｅが一体形成されている。
【０２９４】
板状部材３２０の作用・効果について説明する。
前記のように、針金等の不正器具を、パチンコ遊技機１の表側から、島構造とパチンコ遊技機１との間の隙間に差し込んで、パチンコ遊技機１の後側に到達させた後、パチンコ遊技機１内に、液晶ユニット３１０によりで塞がれない液晶ベース３００の上部開口３０８ｂ（上部鉛直開口３０８ｄ）を通る進入通路で進入させ、始動口装置１１の開閉部材１１ｂや大入賞口装置１３，１４の開閉部材１３ｂ，１４ｂに引っ掛けて、始動口１１ａや大入賞口１３ａ，１４ａを開ける等の不正が行われる虞がある。
【０２９５】
ここで、上部開口３０８ｂについては、液晶ベース３００に液晶ユニット３１０を装着し易くするために設けることができ、或いは、遊技制御用の所定の複数のケーブルを配線するために設けることができ、或いは、液晶ベース３００に本実施例の画像表示器１７よりも大型の画像表示器を装着する場合に、その画像表示器の画面を臨ませることができるように、つまり液晶ベース３００の有効利用を図って設けることができる。しかし、この上部開口３０８ｂがあることによって、前記不正が行われる虞がある。
【０２９６】
そこで、第２開口部３０８と液晶ユニット３１０との間及びその近傍において第２開口部３０８と液晶ユニット３１０との隙間の少なくとも一部を塞ぐ板状部材３２０、つまり液晶ベース３００と液晶ユニット３１０との間及びその近傍に上部開口３０８ｂ（上部鉛直開口３０８ｄ）と連通するように生じる隙間の少なくとも一部を塞ぐ板状部材３２０を液晶ベース３００に設けたので、上部開口３０８ｂを通る不正器具の進入経路を遮断して、前記不正を抑制することができる。また、この板状部材３２０を液晶ベース３００に一体形成せずに、別途形成して液晶ベース３００に取付けるようにしたので、新たな液晶ベースを作製することなく（上部開口３０８ｂを設けたことによる前記効果を維持して）、前記不正を抑制することができる。
【０２９７】
板状部材３２０は、前記隙間の少なくとも一部を遮蔽するプレート部３２１と、取付脚部３２２、３２３とを有し、この取付脚部３２２、３２３を液晶ベース３００の後面壁３０６に固定して、プレート部３２１を前記不正の抑制に有効な位置に配置することができる。プレート部３２１の左右方向の配置については、不正が行われ易い始動口装置１１、大入賞口装置１３，１４が遊技盤４の右部に配置されることを考慮して、プレート部３２１を、上部開口３０８ｂの左右長の約２／３倍の左右長を有するものに形成し、つまり上部開口３０８ｂの左右全幅に亙って設けることなく、上部開口３０８ｂの左右方向中心よりも右より配置して、前記不正を有効に抑制できる。
【０２９８】
次に、プレート部３２１の前後方向の配置について、後面壁３０６において、上部開口３０８ｂ（上部水平開口３０８ｃ、上部鉛直開口３０８ｄ）を形成する第２の後面壁３０６ｂは、主要開口３０８ａを形成する第１の後面壁３０６ａよりも後方へ張り出しているが、この第２の後面壁３０６ｂの上部鉛直開口３０８ｄの上側部分に取付脚部３２２、３２３を固定して、プレート部３２１を上部鉛直開口３０８ｄの前方であって、主要開口３０８ａの前後方向位置と同じ前後方向位置に配置して、前記不正を有効に抑制できる。
【０２９９】
板状部材３２０は、プレート部３２１の外周部の所定部位に後方へ突出する突出部３２４ａ〜３２４ｅを有するので、この突出部３２４ａ〜３２４ｅにより、プレート部３２１の後面に当ってプレート部３２１に沿って移動する針金等の不正器具を、上部開口３０８ｂを通る進入通路で進入させないように、後方へ向かわせるように返すことができ、つまり前記不正を一層抑制することが可能になり、また、プレート部３２１が補強され、板状部材３２０の強度・剛性を高めることもできる。
【０３００】
尚、板状部材３２０については、液晶ベース３００と液晶ユニット３１０との間及びその近傍に上部開口３０８ｂと連通するように生じる隙間の少なくとも一部を塞ぐものであれば、前記以外の種々の形状・サイズ・配置としてもよい。また、板状部材３２０については、液晶ベース３００と液晶ユニット３１０との間及びその近傍に上部開口３０８ｂと連通するように生じる隙間の全部又は大部分を塞ぐものに構成してもよい。
【０３０１】
第２開口部３０８が、前記上部開口３０８ｂではなく、主要開口３０８ａの上側に位置して、主要開口３０８ａと同じ前後方向位置の上部開口（画像表示器１７によりで塞がれない上部開口）を形成したものにおいて、この上部開口と連通するように生じる隙間の少なくとも一部を塞ぐ板状部材を、板状部材３２０に対してサイズ・形状・配置を多少変更して適用してもよい。また、液晶ベース３００に板状部材３２０を一体的に形成するようにしてもよい。
【０３０２】
○［液晶ベースと不正防止部材］
次に、図７４〜図８０に示すように、液晶ベース３００の外周壁３０１には、右側壁３０５に、前後方向に延びる複数のケーブル３２９（ハーネス）を配線する為の配線用凹部３３０が形成され、この配線用凹部３３０に装着可能な合成樹脂製の不正防止部材３４０であって、配線用凹部３３０内を通る不正器具の進入経路を配線用凹部３３０内で遮断する不正防部材３４０（図８６〜図９１参照）が設けられている。
【０３０３】
図７４〜図８０、図８６〜図９１に示すように、配線用凹部３３０は、外周壁３０１の外周外側へ開口する、つまり右側壁３０５の右側へ開口するものであり、この配線用凹部３３０内には、液晶ベース３１０の後面側（液晶ユニット３１０）に取付けられる中継基板３１３，３１４（所定の基板）と、液晶ベース３１０の前面側（遊技盤４）に配置される第１，第２大入賞口装置１３，１４（所定の遊技機器）とを接続する為の複数のケーブル３２９が配線されている。
【０３０４】
複数のケーブル３２９により、第１，第２大入賞口１３，１４の第１，第２大入賞口ＳＷ１３ｃ，１４ｃ、通常領域ＳＷ１４ｇ-1、特定領域ＳＷ１４ｇ-2からの検出信号が、遊技制御基板３１のコンピュータに入力され、遊技制御基板３１のコンピュータにより、第１，第２大入賞口１３，１４の第１，第２大入賞口ＳＯＬ１３ｄ，１４ｄ、振分ＳＯＬ１４ｊが駆動制御される。
【０３０５】
配線用凹部３３０は、内側壁部３３１、上壁部３３２、下壁部３３３を有する。これら壁部３３１，３３２，３３３の前端は、外周壁３０１の前端に固定された遊技盤４よりも後方に位置し、つまり、これら壁部３３１，３３２，３３３と遊技盤４との間に形成される連通穴３３４により、配線用凹部３３０内と外周壁３０１の内側空間とが連通して、第１，第２大入賞口１３，１４から配線用凹部３３０内へ複数のケーブル３２９を配線することができる。また、外周壁３０１のフランジ３０１ａには、配線用凹部３３０の前端側に位置する部分を切り欠いたフランジ切欠部３０１ｂが形成されている。
【０３０６】
内側壁部３１１の後端は前記の第１の後面壁３０６ａに繋がり、一方、上壁部３３２と下壁部３３３は内側壁部３１１よりも後方へ延びている。上壁部３３２と下壁部３３３の後端部分が前記収容凹部３０６ａ１の周壁に繋がり、その周壁は上壁部３３２と下壁部３３３間の部分が切り欠かれている。これより、内側壁部３１１の後端側において、配線用凹部３３０内と収容凹部３０６ａ１の周壁内の空間とが連通して、配線用凹部３３０内から中継基板３１３，３１４へ複数のケーブル３２９を配線し易くなる。
【０３０７】
液晶ベース３００の右側壁部３０５には、配線用凹部３３０に不正防止部材３４０を装着する為の取付爪部３３６が設けられている。この取付爪部３３６は、配線用凹部３３０の内側壁部３３１と平行で且つ所定の前後幅を有する矩形片状に形成され、配線用凹部３３０の下壁部３３３の前部且つ右端から上方へ延び、この取付爪部３３６の上端と配線用凹部の上壁部３３２との間には隙間３３７が空けられている。取付爪部３３６の上端部には、左方へ屈曲してその左端部に傾斜部を有する屈曲部３３６ａが形成されている。この取付爪部３３６は右側壁部３０５に一体形成されている。
【０３０８】
不正防止部材３４０について詳しく説明する。尚、不正防止部材３４０を配線用凹部３３０に装着した状態の上下・前後・左右を上下・前後・左右として説明する。
図８６〜図９１に示すように、不正防止部材３４０は、外上壁３４１、外前壁３４２、外後壁３４３、連結板壁３４４、内上壁３４５、内前壁３４６、内連結壁３４７を有し、これらの壁３４１〜３４７は一体形成されている。
【０３０９】
外上壁３４１、外前壁３４２、外後壁３４３が断面門形に形成され、内上壁３４５、内前壁３４６が断面Ｌ形に形成され、外上壁３４１と内上壁３４４、外前壁３４２と内前壁３４５は、夫々、間隔を開けて平行に配設されている。外前壁３４２と内前壁２４５の下端とに内連結壁３４７が繋がり、外後壁３４３に内上壁３４５の後端が繋がり、外上壁３４１、外前壁３４２、内上壁３４５、内前壁３４６、内連結壁３４７の左端が断面Ｌ形の連結板壁３４４に繋がっている。
【０３１０】
外上壁３４１、外後壁３４３、内上壁３４５、内前壁３４６、内連結壁３４７は、配線用凹部３３０の左右長と略同じ左右長を有し、外後壁３４３と内前壁３４６とが、取付爪部３３６の前後幅よりも少し広い間隔を空けて前後方向に対向している。外前壁３４２は、外後壁３４３、内前壁３４６の上下長及び左右長よりも長い上下長及び左右長を有し、この外前壁３４２が、前記のフランジ切欠部３０１ｂの上下長よりも少し短い上下長を有し、また、外前壁３４２の下左部には、切欠部３４２ａが形成されている。
【０３１１】
外後壁３４３の前面部には、外後壁３４３の右端から左方へ取付爪部３３６の厚さ分の距離を空けた位置に１つの突状部３４３ａが形成され、内前壁３４６の後面部には、内前壁３４６の右端から左方へ取付爪部３３６の厚さ分の距離を空けた位置に上下２つの突状部３４６ａが形成されている。各突状部３４３ａは、右方ほど対向する壁３４６，３４３側張り出すように傾斜するテーパ部３４８ａと、テーパ部３４８ａの右端側に段状に形成された係合部３４８ｂとを有する（図９０（５）参照）。
【０３１２】
さて、この不正防止部材３４０は、配線用凹部３３０内に複数のケーブル３２９が配線された状態で、配線用凹部３３０にその右方から嵌め込むように装着される。この場合、外前壁３４２が液晶ベース３００のフランジ切欠部３０１ｂ内に挿入され、外後壁３４３と内前壁３４６との間に取付爪部３３６が挿入され、外上壁３４１と内上壁３４５が前記の隙間３３７に挿入されるように、また、配線用凹部３３０内の複数のケーブル３２９が後述の配線通路に配線されるように、必要に応じて複数のケーブル３２９を整いながら、不正防止部材３４０を装着していく。
【０３１３】
その際、突状部３４３ａ，３４６ａのテーパ部３４８ａが取付爪部３３６に接触して、外後壁３４３と内前壁３４６間の間隔が拡大するように、主に外後壁３４３が弾性変形して、突状部３４３ａ，３４６ａが取付爪部３３６を超えてその左方に移動する。すると、弾性変形が元に戻り、外後壁３４３と内前壁３４６との間に取付爪部３３６が挿入された状態で、また、外上壁３４１と内上壁３４５が前記の隙間３３７に嵌った状態で、突状部３４３ａ，３４６ａの係合部３４８ｂが取付爪部３３６に係合し、不正防止部材３４０が取付爪部３３６に係止された状態で配線用凹部３３０に装着される。
【０３１４】
この不正防止部材３４０により、配線用凹部３３０内が、複数のケーブル３２９を配線する配線通路を残して塞がれる。配線用凹部３３０内の不正防止部材３４０の近傍における前記配線通路は、複数のケーブル３２９が、取付爪部３３６の左側、外後壁３４３、内前壁３４６、内連結壁３４７の下側、外前壁３４２の切欠部３４２ａ内、外周壁３０１の連通穴３３４を通る通路になる。不正防止部材３４０の近傍における前記配線通路には、複数のケーブル３２９が密集状に配線され、針金等の不正器具が進入されに難く、依って、この不正防止部材３４０により、配線用凹部３３０内を通る不正器具の進入経路が配線用凹部３３０内で遮断される。
【０３１５】
液晶ベース３００、不正防止部材３４０の作用・効果について説明する。
先ず、パチンコ遊技機１において、画像表示器１７や演出役物（回転役物装置２３等）の大型化等に伴って、液晶ベース３００に画像表示器１７を含む液晶ユニット３１０を装着した構造では、遊技制御用の複数のハーネスを整然と配線する工夫が必要になる。
【０３１６】
そこで、液晶ベース３００の外周壁３０１に、前後方向に延びる複数のハーネス３２９であって、液晶ベース３００の後面側に取付けられる中継基板３１３，３１４と、液晶ベース３００の前面側に配置される大入賞口装置１３，１４とを接続する為の複数のハーネス３２９を配線する為の配線用凹部３３０を、外周壁３０１の外周外側へ開口するように形成したので、この複数のハーネス３２９を整然と配線する配線スペースを確保することができ、つまり、複数のハーネス３２９を配線する為の構造を改良することができる。
【０３１７】
しかし、液晶ベース３００の外周壁３０１に配線用凹部３３０を形成することにより、針金等の不正器具を、パチンコ遊技機１の表側から、島構造とパチンコ遊技機１との間の隙間に差し込んで、パチンコ遊技機１の後側に到達させた後、パチンコ遊技機１内に、配線用凹部３３０内を通る進入通路で進入させ、始動口装置１１の開閉部材１１ｂや大入賞口装置１３，１４の開閉部材１３ｂ，１４ｂに引っ掛けて、始動口１１ａや大入賞口１３ａ，１４ａを開ける等の不正が行われる虞がある。
【０３１８】
そこで、配線用凹部３３０に装着可能な不正防止部材３４０であって、配線用凹部３３０内を通る不正器具の進入経路を配線用凹部３３０内で遮断する不正防部材３４０を設けたので、前記不正を抑制することができる。
【０３１９】
この不正防部材３４０は、前記のように、複数の壁３４１〜３４７を有し、外後壁３４３、内前壁３４６に突状部３４３ａ，３４６ａを形成した構造であるので、外周壁３０１に一体形成された取付爪部３３６を利用して、ビス等の固定具を別途用いることなく、不正防部材３４０を配線用凹部３３０に容易に、且つ、取付爪部３３６に係止させて外れないように装着することができる。
【０３２０】
尚、不正防止部材３４０については、配線用凹部３３０に装着可能で、配線用凹部３３０内を通る不正器具の進入経路を配線用凹部３３０内で遮断するものであれば、前記以外の種々の形状・サイズ・配置としてもよい。また、取付爪部３３６を利用せずに、つまり取付爪部３３６を省略し、配線用凹部３３０にビス等の固定具用いて装着する不正防止部材を採用してもよい。
【０３２１】
○［大入賞口装置（可変入賞装置）] 
次に、大入賞口装置１３，１４に関する構造について詳しく説明する。
図２〜図５、図９２〜図１０１に示すように、遊技盤４の下部中央部分及び右側部分に入賞装置構造４００が設けられ、この入賞装置構造４００に、第１始動口１０と第１始動口ＳＷ１０ａ、第１大入賞口装置１３、第２大入賞口装置１４、１つの一般入賞口１５（右一般入賞口１５）と一般入賞ＳＷ１５ａ（右一般入賞ＳＷ１５ａ）が装備されている。
【０３２２】
図示のように、センタ役物１６の下端中央部の下側に第１始動口１０が配置され、第１始動口１０の右側に第１，第２大入賞口１３ａ，１４ａと右一般入賞口１５が配置され、第１大入賞口１３ａの左部下側に第２大入賞口１４ａが配置され、第１大入賞口１３ａの右側に右一般入賞口１５が配置されている。そして、前記のように、「左打ち」により第１始動口１０を狙うことが可能になり、「右打ち」により第１，第２大入賞口１３ａ，１４ａを狙うことが可能になる。
【０３２３】
ここで、前記のように、第１大入賞口装置１３は、第１大入賞口１３ａ、開閉部材１３ｂ、第１大入賞口ＳＷ１３ｃ、第１大入賞口ＳＯＬ１３ｄを有し、第２大入賞口装置１４は、第２大入賞口１４ａ、開閉部材１４ｂ、第２大入賞口ＳＷ１４ｃ、第２大入賞口ＳＯＬ１４ｄ、通常領域１４ｅ、特定領域１４ｆ、通常領域ＳＷ１４ｇ-1、特定領域ＳＷ１４ｇ-2、振分手段１４ｈ（振分部材１４ｉ、振分ＳＯＬ１４ｊ）を有する。
【０３２４】
入賞装置構造４００は、第１，第２大入賞口装置１３，１４を含む入賞装置本体４０１と、入賞装置本体４０１の前面側を装飾する合成樹脂製の装飾プレート４０２と、合成樹脂製の遊技盤部材４０３等で構成されている。入賞装置本体４０１（第１，第２大入賞口装置１３，１４）が一体化されて遊技盤４にその裏面側から取付けられ、装飾プレート４０２と遊技盤部材４０３が一体化されて遊技盤４の前面側に取付けられている。
【０３２５】
図９３、図９５〜図９９に示すように、入賞装置本体４０１は、本体ベース４１０と、第１大入賞口装置１３を構成する為の合成樹脂製の第１ケース４１１と、第２大入賞口装置１４を構成する為の合成樹脂製の第２，第３ケース４１２，４１３とを有する。これら本体ベース４１０と第１〜第３ケース４１１〜４１３は、互いにビス等で連結されて一体化され、第１ケース４１１の左下側に第２ケース４１２が配置され、第２ケース４１２の左側に第３ケース４１３が配置されている。
【０３２６】
第１ケース４１１には、第１大入賞口１３ａ、及び第１大入賞口１３ａに繋がる第１大入賞口通路４１１ａが形成され、開閉部材１３ｂ、第１大入賞口ＳＷ１３ｃ、第１大入賞口ＳＯＬ１３ｄが装着されている（図９６、図９７参照）。矩形板状の合成樹脂製の開閉部材１３ｂの前面には所定の装飾図柄が印されており（ここで、透明な開閉部材１３ｂの前面に装飾図柄を印したシート材を装着してもよい）、この開閉部材１３ｂ（前面の装飾図柄）が、第１大入賞口装置１３の前面側を装飾する為の第１装飾部４４１の一部を構成している。第１ケース４１１の下面部には、第１大入賞口１３ａや開閉部材１３ｂ等を電飾するＬＥＤを上面に実装した基板（図示略）も取付けられている。
【０３２７】
第２ケース４１２には、第２大入賞口１４ａ、及び第２大入賞口１４ａに繋がる第２大入賞口通路４１２ａが形成され、開閉部材１４ｂ、第２大入賞口ＳＷ１４ｃ、第２大入賞口ＳＯＬ１４ｄが装着されている（図９６、図９７参照）。矩形板状の合成樹脂製の開閉部材１４ｂの前面には所定の装飾図柄が印されており（ここで、透明な開閉部材１４ｂの前面に装飾図柄を印したシート材を装着してもよい）、この開閉部材１４ｂ（前面の装飾図柄）が、第２大入賞口装置１４の前面側を装飾する為の第２装飾部４４２の一部を構成している。第２ケース４１２の下面部には、第２大入賞口１４ａや開閉部材１４ｂ等を電飾するＬＥＤを上面に実装した基板（図示略）も取付けられている。
【０３２８】
第３ケース４１３には、第２ケース４１２の第２大入賞口通路４１２ａに繋がる第２大入賞口通路球通路４１３ａ、及びこの第２大入賞口通路４１３ａに繋がる通常領域１４ｅと特定領域１４ｆが形成され、通常領域ＳＷ１４ｇ-1、特定領域ＳＷ１４ｇ-2、振分手段１４ｈ（振分部材１４ｉ、振分ＳＯＬ１４ｊ）が装着され、更に、第１始動口１０に繋がる第１始動口通路４１３ｂが形成され、第１始動口ＳＷ１０ａが装着されている（図９６、図９７参照）。第３ケース４１３の前面部には、第１始動口１０の周辺を電飾するＬＥＤを前面に実装した基板（図示略）と、その基板の前面をカバーする合成樹脂製の透明な基板カバー４１４が取付けられている。
【０３２９】
本体ベース４１０には、第２始動口１１ａに繋がる第２始動口通路４１０ａ、右一般入賞口１５に繋がる一般入賞口通路４１０ｂが形成され、右一般入賞口ＳＷ１５ａが装着されている。本体ベース４１０の下部前面部に、中継基板（図示略）と、その中継基板の前面をカバーする基板カバー４１５が取付けられ、本体ベース４１０の下部後面部に、中継基板（図示略）と、その中継基板の後面をカバーする基板カバー４１６が取付けられている。前記の配線用凹部３３０内に配線されている複数のケーブル３２９の幾つかは、前記中継基板に接続され、その中継基板を介して他の複数のケーブルにより各種機器に接続される。
【０３３０】
尚、本体ベース４１０に２つの磁気センサ４１７が、第３ケース４１３に１つの磁気センサ４１７が夫々取付けられている。これら磁気センサ４１７は、遊技領域４ａにおいて発生する不正な磁気を検出する為のものであり、これら磁気センサ４１７を遊技制御基板３１に接続する為の複数のケーブルも前記複数のケーブル３２９の中に含まれている。
【０３３１】
図９４、図９５に示すように、入賞装置本体４０１を遊技盤４に取付けるために、遊技盤４には、その下部後面部の右側部分に、第１，第２ケース４１１，４１２の前端部分が嵌合される取付凹部４２０が形成され、この取付凹部４２０から、第１，第２ケース４１１，４１２に装着された開閉部材１３ｂ，１４ｂを遊技盤４の前面側に臨ませる為の矩形開口４２１，４２２と、本体ベース４１０の一般入賞口通路４１０ｂを右一般入賞口１５に連通させる為の円形開口４２４が形成されている。
【０３３２】
また、遊技盤４には、その下部の中央部分に、第３ケース４１３の第１始動口通路４１３ｂの前端部分を形成する部分と、第３ケース４１３に取付けられた基板カバー４１４が嵌合される下中央開口４２３が形成されている。尚、下中央開口４２３の下側に下部排出口９が形成されている。
【０３３３】
図９２、図９４、図９６、図１００に示すように、装飾プレート４０２は、正面視にて入賞装置本体４０１と略同じサイズに形成され、遊技盤４の下部前面の中央部分及びその右側部分に当接状に取付けられている。
【０３３４】
この装飾プレート４０２には、遊技盤４の矩形開口４２１，４２２の前方に位置する矩形開口４３１，４３２と、遊技盤４の円形開口４２３の前方に位置する切欠開口４３３と、遊技盤４の下中央開口４２３の上部（つまり、第１始動口通路４１３ｂの前端部分を形成する部分）の前方に位置する切欠開口４３４が形成されている。装飾プレート４０１の左部前面には、第１始動口１０を形成する第１始動口形成部材４３５が装着され、その第１始動口１０が、切欠開口４３４を介して第１始動口通路４１３ｂに連通している。
【０３３５】
装飾プレート４０２の前面には、第２，第３ケース４１２，４１３の第２大入賞口通路３１２ａ，４１３ａ、及び振分手段１４ｈの振分部材１４ｉの前方に位置する部分以外の大部分に、所定の装飾図柄が印されている（ここで、透明な装飾プレート４０２の前面に装飾図柄を印したシート材を装着してもよい）。
【０３３６】
さて、入賞装置構造４００は、第１大入賞口装置１３の前面側を装飾する為の第１装飾部４４１と、第２大入賞口装置１４の前面側を装飾する為の第２装飾部４４２とを備え、第２装飾部４４２は、第２大入賞口装置１４に入賞した遊技球を遊技者が視認可能な視認部４４３であって、具体的には振分け手段１４ｈにより振分けられる遊技球を視認可能な視認部４４３（透過領域）を有する。
【０３３７】
第１装飾部４４１は、第１大入賞口装置１３の前端側に位置する装飾プレート４０２の一部となる第１装飾ベース部４４１ａ、及び開閉部材１３ｂにより構成され、第２装飾部４４２は、第２大入賞口装置１４の前端側に位置する装飾プレート４０２の一部となる第２装飾ベース部４４２ａ（装飾ベース部）、及び開閉部材１４ｂにより構成されている。
【０３３８】
つまり、装飾プレート４０２は、第１，第２装飾ベース部４４１ａ，４４２ａを一体形成してなるものであり、装飾プレート４０２（第２装飾ベース部４４２ａ）のうち、第２，第３ケース４１２，４１３の第２大入賞口通路３１２ａ，４１３ａ、及び振分手段１４ｈの振分部材１４ｉの前方に位置する部分が、透明な視認部４４３になっている。尚、この視認部４４３については、例えば、前面や後面に複数の凹凸（ローレット形状）を形成したり、或いは、視認部４４３（つまり装飾プレート４０２）自体を薄い色で着色したり、前面に所定の装飾図柄を薄く印したりして、半透明のものにしてもよい。
【０３３９】
図９２、図９４、図１００、図１０１に示すように、遊技盤部材４０３は、装飾プレート４０２の右端側及び下端側に位置するＬ形の外側部４５０と、装飾プレート４０２の前方に位置する前面板４５１と、右一般入賞口１５とその右一般入賞口１５に繋がる一般入賞口通路４５２ａとを形成する一般入賞口形成部４５２と、遊技球を第２大入賞口装置１４の第２大入賞口１４ａに誘導する誘導通路部４５３と、第２大入賞口１４ａの左端側前方の空間を左右に仕切る縦壁部４５４とを有する。これら外側部４５０、前面板４５１、一般入賞口形成部４５２、誘導通路部４５３、縦壁部４５４は一体形成されている。
【０３４０】
外側部４５０は、遊技領域４ａの外周を仕切るガイドレール８を含む周壁のうち右側下半部と下側右半部をなす内壁４５０ａを形成すると共に、遊技盤４の右端面に連なる右端面を有する鉛直外壁４５０ｂと、遊技盤４の下端面に連なる下端面を有する水平外壁４５０ｃとを成形する。鉛直外壁４５０ｂの右端面と水平外壁４５０ｃの下端面にはゴム製帯片４５０ｂ-1，４５０ｃ-1が夫々接着されている。
【０３４１】
この外壁４５０ｂ，４５０ｃとゴム製帯片４５０ｂ-1，４５０ｃ-1により、針金等の不正器具を外壁４５０ｂ，４５０ｃの外周外側から遊技領域４ａ内に進入させ難くすることができる。尚、製帯片４５０ｂ-1，４５０ｃ-1は全体的に、外壁４５０ｂ，４５０ｃよりも前方へ少し張出し、また、外壁４５０ｂ，４５０ｃには多数の溝が形成され、製帯片４５０ｂ-1，４５０ｃ-1は、その多数の溝に自身の多数の突状部を入り込ませるようにして、外壁４５０ｂ，４５０ｃに強固に固定されている。
【０３４２】
また、内壁４５０ａの後端と外壁４５０ｂ，４５０ｃの後端とが後面板４５０ｄ，４５０ｅにより繋げられ、この後面板４５０ｄ，４５０ｅに、装飾プレート４０２の右端部と下端部が複数のビスで固定されている。
【０３４３】
前面板４５１は、第１大入賞口１３ａの下側と右側、及び第２大入賞口１４ａとその下側と左側を含む所定領域の前方位置（但し、視認部４４３を阻害しない位置）であって、前面板４５１と装飾プレート４０２との間を遊技球が通過可能に、透明板３ｂに近接した位置に配置されている。一般入賞口形成部４５２、誘導通路部４５３、縦壁部４５４は、前面板４５１に、その後面から後方へ張出すように繋がっている。
【０３４４】
一般入賞口形成部４５２の一般入賞口通路４５２ａを形成する部分が、装飾プレート４０２の切欠開口４３３、及び遊技盤４の円形開口４２３を貫通して後方へ延び、その一般入賞口通路４５２ａと本体ベース４１０の一般入賞口通路４１０ｂとが連通している。誘導通路部４５３、縦壁部４５４は、その後端が装飾プレート４０２に当接した状態で複数のビスで固定されている。こうして、第２装飾部４４２が、誘導通路部４５３と一体的に設けられた第２装飾ベース部４４２ａを有する。
【０３４５】
誘導通路部４５３は、一般入賞口形成部４５２の下端近傍から矩形開口４３２の右端近傍へ、左方ほど下方へ移行する傾斜状に形成され、第２大入賞口１４ａが開放しているときにだけ、誘導通路部４５３により誘導された遊技球は第２大入賞口１４ａに入賞する。誘導通路部４５３の右端部と一般入賞口形成部４５２との間に、遊技球を誘導通路部４５３上に導入する球導入部４５３ａが形成され、誘導通路部４５３は、球導入部４５３ａから導入された遊技球を、或いは、球導入部４５３ａから導入されなくても上側から落下する遊技球を受止めて、その遊技球を第２大入賞口１４ａに誘導する。
【０３４６】
入賞装置構造４００の作用・効果について説明する。
開閉式の第１大入賞口１３ａを有する第１大入賞口装置１３と、開閉式の第２大入賞口１４ａを有する第２大入賞口装置１４の構造や配置等に関して、如何に遊技性や遊技興趣を高め得るものにするか、また、パチンコ遊技機１を製造する上で如何に有利なものにするかが重要である。
【０３４７】
特に、第２大入賞口装置１４は、第２大入賞口１４ａに入賞した遊技球を通常領域１４ｅと特定領域１４ｆの何れかに振分ける振分手段１４ｈを有し、特別遊技中に遊技球が特定領域１４ｆを通過するか否かで、当該特別遊技終了後に設定される遊技状態に雲泥の差がある（遊技球が特定領域１４ｆを通過で「高確・時短状態」が設定され、非通過で「低確・時短状態」が設定される）ため、通常領域１４ｅと特定領域１４ｆの何れかに振分けられる遊技球の動向が非常に大事である。
【０３４８】
本発明の入賞装置構造４００においては、第１，第２大入賞口装置１３，１４が一体化された入賞装置本体４０１、更には、第１始動口１０の第１始動口通路４１３ｂや第１始動口ＳＷ１０ａ、また、右一般入賞口１５の一般入賞口通路４１０ｂや右一般入賞口ＳＷ１５ａ等も一体化された入賞装置本体４０１が遊技盤４に装着されている。故に、先ず、第１，第２大入賞口装置１３，１４、更には、第１始動口１０に関する構造、右一般入賞口１５に関する構造について、これらの少なくとも１つを個別に遊技盤４に装着するものと比べると、遊技盤４への取付け負荷を軽減することができる。
【０３４９】
また、入賞装置本体４０１を遊技盤４にその後面側から取付け、入賞装置本体４０１の前面側を装飾する装飾プレート４０２及び遊技盤部材４０３を遊技盤４に前面側から取付けるので、入賞装置本体４０１を遊技盤４に取付けた状態で、装飾プレート４０２及び遊技盤部材４０３を遊技盤４に着脱することができる。故に、パチンコ遊技機１を遊技ホールから回収して、そのパチンコ遊技機１において、遊技や演出の形態を変更して新たな遊技機１を製造する場合、入賞装置構造４００を再利用し、その場合、入賞装置構造４００において、遊技盤４から入賞装置本体４０１を取外さなくても、遊技盤部材４０３の装飾プレート４０２を、異なる装飾図柄を印したものに取り替えて対応できるので、リサイクル性が増し、製造負荷、及び製作コストを大幅に低減することができる。
【０３５０】
第１，第２大入賞口装置１３，１４を設けること、つまり所謂ダブルアタッカーとすることで、そして、第２大入賞口装置１４に通常領域１４ｅ、特定領域１４ｆ、振分手段１４ｈを設けることで、遊技性を高めることができるが、装飾プレート４０２（第２装飾ベース部４４２ａ）に視認部４３３を設けたので、この視認部４３により、第２大入賞口１４ａに入賞した遊技球であって、振分手段１４ｈにより振分けられる遊技球を視認可能になるので、遊技興趣を一層高めることができる。
【０３５１】
第１，第２大入賞口装置１３，１４の前面側を装飾する第１，第２装飾部４４１，４４２の第１，第２装飾ベース４４１ａ，４４２ａを一体形成してなる装飾プレート４０２を設け、その装飾プレート４０２に遊技盤部材４０３を取付けることで、その遊技盤部材４０３に一体形成された前面板４５１、一般入賞口形成部４５２、誘導通路部４５３、縦壁部４５４を装飾プレート４０２と一体的に設けることができる。つまり、装飾プレート４０２と遊技盤部材４０３を一体化して遊技盤４の前面側に取付けることで、前面板４５１、一般入賞口形成部４５２、誘導通路部４５３、縦壁部４５４を所定位置に容易に配置することができる。
【０３５２】
尚、入賞装置本体４０１については、少なくとも第１，第２大入賞口装置１３，１４を一体化するものであれば、第１始動口１０に関する構造や右一般入賞口１５に関する構造を含まないように構成してもよい。
【０３５３】
また、本実施例の遊技盤４の盤面構造以外の種々の盤面構造において、第１，第２可変入賞装置に関して、第１，第２可変入賞装置を一体化して遊技盤に取付け、第１，第２可変入賞装置の前面側を夫々装飾する為の第１，第２装飾部を設け、第２装飾部が、第２可変入賞装置に入球した遊技球を遊技者が視認可能な透明又は半透明の視認部を有するものにしてもよい。ここで、第１，第２可変入賞装置の各々については、開閉式の始動入賞口装置としてもよいし、開閉式の大入賞口装置としてもよいし、それら以外の可変入賞装置としてもよい。
【０３５４】
以上説明したパチンコ遊技機１の全体的な作用・効果について説明する。
「低確・非時短状態」が設定されているときには、遊技者は「左打ち」により遊技を行い、この「左打ち」により第１始動口１０を狙うことができ、第１特図保留数が４未満のときに、遊技球が第１始動口１０に入賞すると、第１特図判定情報が取得され特図保留記憶手段２０２に記憶される。「低確・時短状態」又は「高確・時短状態」が設定されているときには、遊技者は「右打ち」により遊技を行い、この右打ちにより第２始動口１１ａを狙うことができ、第２特図保留数が４未満のときに、遊技球が第２始動口１１ａに入賞すると、第２特図判定情報が取得され特図保留記憶手段２０２に記憶される。
【０３５５】
また、遊技者は「右打ち」によりゲート１２を狙うことができ、普図保留数が４未満のときに、遊技球がゲート１２を通過すると、普図判定情報が取得され普図保留記憶手段２１２に記憶される。ここで先ず、普図保留記憶手段２１２に記憶された普図判定情報は普通図柄の変動開始毎に順次消化（消去）され、この普図判定情報の消化により当り抽選が行われ、その当り抽選で当選した場合、普図表示器２９ｃに当り図柄が変動停止後、第２始動口１１ａが開放する補助遊技が発生する。
【０３５６】
「低確・時短状態」又は「高確・時短状態」が設定されている場合、補助遊技作動モードとして高作動モードが設定され、「右打ち」を行って第２始動口１１ａへの比較的多くの遊技球の入賞を期待できるため、「右打ち」により所有の遊技球の数を略維持して遊技を行うことができる。但し、「低確・非時短状態」が設定されている場合、「右打ち」を行っても第１始動口１０への遊技球の入賞を殆ど期待できないうえ、補助遊技作動モードとして低作動モードが設定され、第２始動口１１ａへの遊技球の入賞も殆ど期待できないため、「左打ち」により所有の遊技球の数を減らしながら遊技を行うことになる。
【０３５７】
次に、特図保留記憶手段２０２に記憶された特図判定情報は特別図柄の変動開始毎に順次消化（消去）されるが、その際、特図保留記憶手段２０２に複数の特図判定情報が記憶されている場合には、それら複数の特図判定情報は取得された順番で消化され、但し、第１，第２特図判定情報の両方が記憶されている場合には、第２特図判定情報が第１特図判定情報よりも優先消化される。この特図判定情報の消化により大当り抽選が行われ、その大当り抽選で当選した場合、特図表示器２９ａ，２９ｂｃに大当り図柄が変動停止後、第１，第２大入賞口１３ａ，１４ａが開放する特別遊技が発生する。
【０３５８】
特別遊技が発生すると、遊技者は「右打ち」により第１，第２大入賞口１３ａ，１４ａを狙うことができる。特別遊技１，２では、１Ｒ〜８ＲのＲ遊技が行われ、１Ｒ〜７Ｒの通常Ｒでは第１大入賞口１３ａが開放し、８Ｒの特定Ｒでは第２大入賞口１４ａが開放し、特別遊技３では、１Ｒ〜16ＲのＲ遊技が行われ、１Ｒ〜７Ｒ，９Ｒ〜15Ｒの通常Ｒでは第１大入賞口１３ａが開放し、８Ｒ，16Ｒの特定Ｒでは第２大入賞口１４ａが開放する。
【０３５９】
特別遊技１では、８Ｒの特定Ｒで第２大入賞口１４ａが短期開放して、例えば約875 個の遊技球を獲得でき、その第２大入賞口１４ａが短期開放に伴って、特定領域１４ｆも短期開放となるため、遊技球が特定領域１４ｆを通過する可能性が極めて低くなり、特別遊技１の終了後は「低確・時短状態」が設定される。
【０３６０】
一方、特別遊技２では、８Ｒの特定Ｒで第２大入賞口１４ａが長期開放して、例えば約1000個の遊技球を獲得でき、特別遊技３では、８Ｒと16Ｒの特定Ｒで第２大入賞口１４ａが長期開放して、例えば約2000個の遊技球を獲得でき、その第２大入賞口１４ａが長期開放に伴って、特定領域１４ｆも長期開放となるため、遊技球が特定領域１４ｆを通過する可能性が極めて高くなり、特別遊技２，３の終了後は「高確・時短状態」が設定される。
【０３６１】
一方、特別図柄が変動表示されているときには図柄変動演出が、また、特別遊技が行われているときには特別遊技演出とエンディング演出が、夫々、画像表示装置１７での表示を主体に行われ、遊技性並びに遊技興趣が高められ、更に、特定の図柄変動演出において、大当り抽選の結果（大当り期待度）を示唆するように、或いは、特定の特別遊技演出や特定のエンディング演出において、上可動役物装置２０、下可動役物装置２１、可動表示役物装置２２、回転役物装置２３の少なくとも１つが作動して、演出効果が高められる。
【０３６２】
上可動役物装置２０、下可動役物装置２１、可動表示役物装置２２、回転役物装置２３の各々について、例えば、図柄変動演出において、動作した場合に動作しなかった場合よりも「大当り」と判定された大当り期待度が高くなるように、また、その動作態様によって大当り期待度が異なるようにして、演出効果を一層高めることができる。
【０３６３】
その他、本発明の趣旨を逸脱しない範囲において種々の変更を付加して実施が可能であり、種々のパチンコ遊技機等の遊技機に本発明を適用可能である。例えば、スロットマシン（回胴遊技機）は、パチンコ遊技機と同じように、始動条件の成立に基づいた当否抽選（判定情報の取得、その判定情報に基づく特別遊技を行うか否かの判定）を行い、その当否抽選の判定結果（判定値）に基づいて、特別遊技を行うと判定（所定の条件が成立）した場合に、遊技者に有利な特別遊技（大当り遊技）を行うものであるが、そのスロットに本発明を適用することもできる。
【符号の説明】
【０３６４】
１        パチンコ遊技機
２  開閉枠（枠部材）
４  遊技盤
６        演出操作装置（操作手段）
１３  第１大入賞口装置（第１可変入賞装置、遊技機器）
１４  第２大入賞口装置（第２可変入賞装置、遊技機器）
１４ｅ  通常領域（第１領域）
１４ｆ  特定領域（第２領域）、
１４ｈ  振分手段
１７      画像表示装置（画像表示器）
２３      回転役物装置
４２      第１可動役物
４３      第２可動役物
４４      第３可動役物
４５      第１役物駆動手段
４６      第２役物駆動手段
４７      役物作動手段
７０      切欠部
７２Ａ、７３Ａ、７４Ａ    第１の表示面
７２Ｂ、７３Ｂ、７４Ｂ    第２の表示面
７２Ｃ、７３Ｃ、７４Ｃ    第３の表示面
７２Ｙ，７３Ｙ，７４Ｙ  表示面
７６，７７，７８  第１，第２，第３可動表示役物（可動表示役物）
７６Ｘ，７７Ｘ，７８Ｘ  周壁
７６Ｆ，７７Ｆ，７８Ｆ  光導入部
８１  役物駆動手段
８２      カバー部材
９５ａ，９５ｂ，９５ｃ  ＬＥＤ（光源）
１０２〜１０５  ガイドローラ
１１０    回転リング（回転役物本体、ベース部材、回転体）
１１１ｆ，１１３ｃ  役物操作部（役物誘導部）
１１２  筒状部
１３０    可動役物（第１演出部，可動役物手段）
１３０ａ，１３０ｃ    第１群の可動役物
１３０ｂ，１３０ｄ    第２群の可動役物
１４０  揺動駆動機構（駆動手段）
１４６  電動モータ
１４６ｂ  端子収容箱（付属部）
１５０    回転役物（第２演出部，可動役物手段）
１５０Ａ  第１群の回転役物
１５０Ｂ  第２群の回転役物
１５６    引っ張りバネ
１６０  回転役物駆動機構（駆動手段）
１７３  原点検出センサ（回転リング原点検出手段）
１７４  光センサ（原点検出手段）
１７５ａ  回転部材
１７５ｂ  切欠スリット（被検出部）
１７６  スリップリング（環状導電部材）
１７６ａ  バンド部材（帯状導電部材）
１７６ｆ  引っ張りコイルバネ（張力付加機構）
１７７  接続子ユニット
１７７ａ  ユニット本体
１７７ｂ  接触子
１７８  導入構造（導入部）
１８４  モータカバー
１８４ａ  カバー本体部
１８４ｂ  第１保持部
１８４ｃ  第２保持部
１８４ｄ，１８４ｅ  係合部
１８５  信号線（ハーネス）
２３４    分岐演出手段
３００  液晶ベース（ベース部材）
３０１  外周壁（周壁部）
３０７  第１開口部
３０８  第２開口部
３１０  液晶ユニット（遊技機器）
３１３，３１４  中継基板
３２０  板状部材
３２４ａ〜３２４ｅ  突出部
３２９  ケーブル（ハーネス）
３３０  配線用凹部
３４０  不正防止部材
４０２  装飾プレート
４４１  第１装飾部
４４２  第２装飾部
４４２ａ  装飾ベース部
４４３  視認部
４５３  誘導通路部
４５３ａ  球導入部
【図１】
0006030598.tif 000002
【図２】
0006030598.tif 000003
【図３】
0006030598.tif 000004
【図４】
0006030598.tif 000005
【図５】
0006030598.tif 000006
【図６】
0006030598.tif 000007
【図７】
0006030598.tif 000008
【図８】
0006030598.tif 000009
【図９】
0006030598.tif 000010
【図１０】
0006030598.tif 000011
【図１１】
0006030598.tif 000012
【図１２】
0006030598.tif 000013
【図１３】
0006030598.tif 000014
【図１４】
0006030598.tif 000015
【図１５】
0006030598.tif 000016
【図１６】
0006030598.tif 000017
【図１７】
0006030598.tif 000018
【図１８】
0006030598.tif 000019
【図１９】
0006030598.tif 000020
【図２０】
0006030598.tif 000021
【図２１】
0006030598.tif 000022
【図２２】
0006030598.tif 000023
【図２３】
0006030598.tif 000024
【図２４】
0006030598.tif 000025
【図２５】
0006030598.tif 000026
【図２６】
0006030598.tif 000027
【図２７】
0006030598.tif 000028
【図２８】
0006030598.tif 000029
【図２９】
0006030598.tif 000030
【図３０】
0006030598.tif 000031
【図３１】
0006030598.tif 000032
【図３２】
0006030598.tif 000033
【図３３】
0006030598.tif 000034
【図３４】
0006030598.tif 000035
【図３５】
0006030598.tif 000036
【図３６】
0006030598.tif 000037
【図３７】
0006030598.tif 000038
【図３８】
0006030598.tif 000039
【図３９】
0006030598.tif 000040
【図４０】
0006030598.tif 000041
【図４１】
0006030598.tif 000042
【図４２】
0006030598.tif 000043
【図４３】
0006030598.tif 000044
【図４４】
0006030598.tif 000045
【図４５】
0006030598.tif 000046
【図４６】
0006030598.tif 000047
【図４７】
0006030598.tif 000048
【図４８】
0006030598.tif 000049
【図４９】
0006030598.tif 000050
【図５０】
0006030598.tif 000051
【図５１】
0006030598.tif 000052
【図５２】
0006030598.tif 000053
【図５３】
0006030598.tif 000054
【図５４】
0006030598.tif 000055
【図５５】
0006030598.tif 000056
【図５６】
0006030598.tif 000057
【図５７】
0006030598.tif 000058
【図５８】
0006030598.tif 000059
【図５９】
0006030598.tif 000060
【図６０】
0006030598.tif 000061
【図６１】
0006030598.tif 000062
【図６２】
0006030598.tif 000063
【図６３】
0006030598.tif 000064
【図６４】
0006030598.tif 000065
【図６５】
0006030598.tif 000066
【図６６】
0006030598.tif 000067
【図６７】
0006030598.tif 000068
【図６８】
0006030598.tif 000069
【図６９】
0006030598.tif 000070
【図７０】
0006030598.tif 000071
【図７１】
0006030598.tif 000072
【図７２】
0006030598.tif 000073
【図７３】
0006030598.tif 000074
【図７４】
0006030598.tif 000075
【図７５】
0006030598.tif 000076
【図７６】
0006030598.tif 000077
【図７７】
0006030598.tif 000078
【図７８】
0006030598.tif 000079
【図７９】
0006030598.tif 000080
【図８０】
0006030598.tif 000081
【図８１】
0006030598.tif 000082
【図８２】
0006030598.tif 000083
【図８３】
0006030598.tif 000084
【図８４】
0006030598.tif 000085
【図８５】
0006030598.tif 000086
【図８６】
0006030598.tif 000087
【図８７】
0006030598.tif 000088
【図８８】
0006030598.tif 000089
【図８９】
0006030598.tif 000090
【図９０】
0006030598.tif 000091
【図９１】
0006030598.tif 000092
【図９２】
0006030598.tif 000093
【図９３】
0006030598.tif 000094
【図９４】
0006030598.tif 000095
【図９５】
0006030598.tif 000096
【図９６】
0006030598.tif 000097
【図９７】
0006030598.tif 000098
【図９８】
0006030598.tif 000099
【図９９】
0006030598.tif 000100
【図１００】
0006030598.tif 000101
【図１０１】
0006030598.tif 000102